(57)【特許請求の範囲】
【請求項１】
第１挿入部を有する第１部材と、
第２挿入部を有する第２部材と、
前記第１部材の移動を規制して前記第１部材と前記第２部材とを固定する規制手段と、を備え、
前記第２部材に前記第１部材を保持させた場合に、前記第１挿入部は前記第２挿入部に連続するように形成され、
前記第２挿入部は、前記第２部材と該第２部材に係止手段により係止される第３部材とにより形成され、
前記規制手段は、
前記第２部材に前記第１部材が保持された状態で前記第１挿入部側から挿入されて前記第２挿入部に先端側部分が挿入され、且つ前記第１挿入部に基端側部分が挿入され、
前記第２挿入部に該規制手段の先端側部分が挿入された状態で前記第３部材に係止され前記第１挿入部側への移動を規制する先端側係止爪と、
前記第１挿入部に前記規制手段の基端側部分が挿入された状態で前記第１挿入部と当接して前記第２挿入部側への移動を規制する基端側規制部とを有し、
前記第２部材と前記第３部材とにより前記先端側係止爪を覆う先端側係止爪収容部が形成され、
前記第１部材と前記第２部材とが前記規制手段により固定された状態では、前記係止手段を弾性変形させても前記第３部材に対向して配置された前記第１部材の所定部位に前記第３部材が当接することで前記第３部材の取り外しが妨げられ前記第２部材から前記第３部材の取り外しが規制された状態となり、
前記第1部材の特定部位が切断され前記規制手段による前記第１部材と前記第２部材との固定が解除された状態では、前記第３部材に対向して配置された前記第１部材を取り外すことが可能となり前記係止手段を弾性変形させて前記第２部材から前記第３部材を取り外すことが可能な状態となり、
前記先端側係止爪収容部が開放されることで前記先端側係止爪の前記第３部材への係止状態を解除可能となることを特徴とする遊技機。
【発明の詳細な説明】
【技術分野】
【０００１】
本発明は、スロットマシン等の遊技機に関する。
【背景技術】
【０００２】
遊技機は、遊技内容等の制御を行う制御基板を有している。制御基板は、遊技全体を制御する重要部品であり、不正な改造を防ぐために基板ボックス内に封入された状態で遊技機に収容されている（例えば特許文献１）。
【特許文献１】特開２００５−１１１０２７号公報
【発明の開示】
【発明が解決しようとする課題】
【０００３】
上記のような遊技機においても、基板ボックスに対する不正行為が行われるおそれがあり、より好適に不正を抑制したいという要望があった。
【０００４】
本発明は、上記問題に鑑みてなされたものであり、その目的は、基板ボックスに対する不正行為を好適に抑制することが可能な遊技機を提供することにある。
【課題を解決するための手段】
【０００５】
上記課題を解決する請求項１に記載した遊技機の発明は、第１挿入部を有する第１部材と、第２挿入部を有する第２部材と、前記第１部材の移動を規制して前記第１部材と前記第２部材とを固定する規制手段と、を備え、前記第２部材に前記第１部材を保持させた場合に、前記第１挿入部は前記第２挿入部に連続するように形成され、前記第２挿入部は、前記第２部材と該第２部材に係止手段により係止される第３部材とにより形成され、前記規制手段は、前記第２部材に前記第１部材が保持された状態で前記第１挿入部側から挿入されて前記第２挿入部に先端側部分が挿入され、且つ前記第１挿入部に基端側部分が挿入され、前記第２挿入部に該規制手段の先端側部分が挿入された状態で前記第３部材に係止され前記第１挿入部側への移動を規制する先端側係止爪と、前記第１挿入部に前記規制手段の基端側部分が挿入された状態で前記第１挿入部と当接して前記第２挿入部側への移動を規制する基端側規制部とを有し、前記第２部材と前記第３部材とにより前記先端側係止爪を覆う先端側係止爪収容部が形成され、前記第１部材と前記第２部材とが前記規制手段により固定された状態では、前記係止手段を弾性変形させても前記第３部材に対向して配置された前記第１部材の所定部位に前記第３部材が当接することで前記第３部材の取り外しが妨げられ前記第２部材から前記第３部材の取り外しが規制された状態となり、前記第1部材の特定部位が切断され前記規制手段による前記第１部材と前記第２部材との固定が解除された状態では、前記第３部材に対向して配置された前記第１部材を取り外すことが可能となり前記係止手段を弾性変形させて前記第２部材から前記第３部材を取り外すことが可能な状態となり、前記先端側係止爪収容部が開放されることで前記先端側係止爪の前記第３部材への係止状態を解除可能となることを特徴とする。
【発明の効果】
【０００６】
本発明によれば、基板ボックスに対する不正行為を好適に抑制することができる。
【発明を実施するための最良の形態】
【０００７】
はじめに、本実施の形態から抽出され得る発明群を手段ｎ（ｎ＝０、１、２、３・・・）として区分して示し、それらを必要に応じて効果等を示しつつ説明する。
【０００８】
手段０．制御基板を収容する基板ボックス（第１部材）と、遊技機の筐体内に設けられ、前記基板ボックス（第１部材）を保持し、前記基板ボックス（第１部材）を予め設定された方向に移動させた場合に前記基板ボックス（第１部材）を取り外し可能な台座装置（第２部材）と、前記基板ボックス（第１部材）の移動を規制して前記基板ボックス（第１部材）を前記台座装置（第２部材）に固定する規制手段とを備え、前記規制手段は、前記台座装置（第２部材）に脱着可能に設けられ、且つ第１挿入孔（第２挿入部）が形成され、前記台座装置（第２部材）からの離脱により前記第１挿入孔（第２挿入部）の軸心と交差する方向に分離して前記第１挿入孔（第２挿入部）の内周面の一部を備えた複数の部材に分解される第１被挿入部材（第３部材）と、前記基板ボックス（第１部材）に分離可能に設けられ、且つ第２挿入孔（第１挿入部）が形成され、前記基板ボックス（第１部材）を前記台座装置（第２部材）に保持させた場合に前記第１被挿入部材（第３部材）に対向して配置されて、前記第２挿入孔（第１挿入部）が前記第１挿入孔（第２挿入部）に連続する第２被挿入部材と、前記台座装置（第２部材）に前記基板ボックス（第１部材）が保持された状態で前記第２挿入孔（第１挿入部）側から挿入されて前記第１挿入孔（第２挿入部）に先端側部分が挿入され、前記第２挿入孔（第１挿入部）に基端側部分が挿入される規制手段と、該規制手段に設けられ、前記第１挿入孔（第２挿入部）に前記規制手段の先端側部分が挿入された状態で前記第１被挿入部材（第３部材）に係止されて前記規制手段の抜脱方向への移動を規制する先端側係止爪と、前記規制手段に設けられ、前記第２挿入孔（第１挿入部）に前記規制手段の基端側部分が挿入された状態で前記第２被挿入部材と当接して前記規制手段の挿入方向への移動を規制する当接部と、を備えたことを特徴とする遊技機。
【０００９】
手段１．制御基板を収容する基板ボックス（第１部材）と、遊技機の筐体内に設けられ、基板ボックス（第１部材）を保持し、基板ボックス（第１部材）を予め設定されたスライド方向にスライド移動させた場合に基板ボックス（第１部材）を取り外し可能な台座装置（第２部材）と、基板ボックス（第１部材）のスライド移動を規制して基板ボックス（第１部材）を台座装置（第２部材）に固定する固定手段とを備え、固定手段は、台座装置（第２部材）に脱着可能に設けられ、基板ボックス（第１部材）のスライド方向に交差する方向に延在する第１挿入孔（第２挿入部）が形成され、第１挿入孔（第２挿入部）の軸心に沿って軸方向一方側に移動させた場合に台座装置（第２部材）から離脱され、台座装置（第２部材）からの離脱により第１挿入孔（第２挿入部）の軸心と交差する方向に分離して第１挿入孔（第２挿入部）の内周面の一部を備えた複数の部材に分解される第１被挿入部材（第３部材）と、基板ボックス（第１部材）に分離可能に設けられ、基板ボックス（第１部材）のスライド方向に交差する方向に延在する第２挿入孔（第１挿入部）が形成され、基板ボックス（第１部材）を台座装置（第２部材）に保持させた場合に台座装置（第２部材）から第１被挿入部材（第３部材）が離脱される方向側で第１被挿入部材（第３部材）に対向して配置されて、第２挿入孔（第１挿入部）が第１挿入孔（第２挿入部）に連続する第２被挿入部と、台座装置（第２部材）に基板ボックス（第１部材）が保持された状態で第２挿入孔（第１挿入部）側から挿入されて第１挿入孔（第２挿入部）に先端側部分が挿入され、第２挿入孔（第１挿入部）に基端側部分が挿入される固定部材と、固定部材に設けられ、第１挿入孔（第２挿入部）に固定部材の先端側部分が挿入された状態で第１被挿入部材（第３部材）に係止されて固定部材の抜脱方向への移動を規制する先端側係止爪と、固定部材に設けられ、第２挿入孔（第１挿入部）に固定部材の基端側部分が挿入された状態で第２被挿入部と当接して固定部材の挿入方向への移動を規制する当接部とを備えたことを特徴とする遊技機。
【００１０】
これにより、台座装置（第２部材）に基板ボックス（第１部材）を保持させ、第１被挿入部材（第３部材）の第１挿入孔（第２挿入部）に固定部材の先端側部分を挿入し、第２被挿入部の第２挿入孔（第１挿入部）に固定部材の基端側部分を挿入した場合に、台座装置（第２部材）に対する基板ボックス（第１部材）のスライド移動が規制されて基板ボックス（第１部材）が台座装置（第２部材）に固定される。
【００１１】
また、かかる状態で先端側係止爪が第１被挿入部材（第３部材）に係止されて固定部材の抜脱方向への移動が規制されると共に、当接部が第２被挿入部と当接して固定部材の挿入方向への移動が規制される。
【００１２】
したがって、基板ボックス（第１部材）が固定部材に固定された状態が維持されて、基板ボックス（第１部材）の台座装置（第２部材）からの不正な取り外しを防ぐことができる。
【００１３】
一方、基板ボックス（第１部材）を台座装置（第２部材）から正規に取り外す場合には、第２被挿入部を基板ボックス（第１部材）から分離して、第２被挿入部に対向する位置に配置されている第１被挿入部材（第３部材）を台座装置（第２部材）から離脱する方向に移動させることが可能となる。
【００１４】
これにより、第１被挿入部材（第３部材）を台座装置（第２部材）から離脱させて、第１被挿入部材（第３部材）と一体に固定部材を取り外すことができる。したがって、台座装置（第２部材）に対して基板ボックス（第１部材）をスライド移動させることが可能となり、基板ボックス（第１部材）を台座装置（第２部材）から取り外すことができる。
【００１５】
そして、第１被挿入部材（第３部材）を台座装置（第２部材）から離脱させることによって、第１被挿入部材（第３部材）を第１挿入孔（第２挿入部）の軸心と交差する方向に分離して第１挿入孔（第２挿入部）の内周面の一部を備えた複数の部材に分解することができる。
【００１６】
したがって、第１被挿入部材（第３部材）から固定部材を簡単に取り外すことができ、固定部材を破壊することなく再使用可能な状態で取り外すことができる。
【００１７】
そして、上記発明によると、固定部材の先端側係止爪が係止される第１被挿入部材（第３部材）を、台座装置（第２部材）に着脱自在な構成としたので、第１被挿入部材（第３部材）を成形する成形型と、台座装置（第２部材）を成形する成形型を別々のものにすることができ、各成形型の構造を簡単化することができる。
【００１８】
手段２．手段１において、第２被挿入部は、基板ボックス（第１部材）から分離された場合に、前記第２挿入孔（第１挿入部）の軸心と交差する方向に分離して前記第２挿入孔（第１挿入部）の内周面の一部を備えた複数の部材に分解されることを特徴とする遊技機。
【００１９】
手段２の発明によれば、第２被挿入部を基板ボックス（第１部材）から分離した場合に、第２被挿入部を第２挿入孔（第１挿入部）の軸心と交差する方向に分離して第２挿入孔（第１挿入部）の内周面の一部を備えた複数の部材に分解できる。したがって、固定部材から第２被挿入部を簡単に取り外すことができ、固定部材を破壊することなく再使用可能な状態で取り外すことができる。
【００２０】
手段３．手段１１又は２において、固定部材は、第２挿入孔（第１挿入部）に固定部材の基端側部分が挿入された状態で第２被挿入部材に係止されて固定部材の抜脱方向への移動を規制する基端側係止爪を有することを特徴とする遊技機。
【００２１】
これにより、台座装置（第２部材）に基板ボックス（第１部材）を保持させ、第１被挿入部材（第３部材）の第１挿入孔（第２挿入部）に固定部材の先端側部分を挿入し且つ第２被挿入部材の第２挿入孔（第１挿入部）に固定部材の基端側部分を挿入した場合に、先端側係止爪が第１被挿入部材（第３部材）に係止され且つ基端側係止爪が第２被挿入部材に係止される。
【００２２】
したがって、第２被挿入部材を基板ボックス（第１部材）から分離せずに固定部材を取り外すには、先端側係止爪と基端側係止爪の両方に対して同時に係止解除操作を行う必要があり、かかる操作は煩雑であり、また、困難でもある。したがって、固定部材の不正な取り外しを防止でき、高いセキュリティ性を有する。
【００２３】
そして、基板ボックス（第１部材）を台座装置（第２部材）から正規に取り外す場合には、第２被挿入部材を基板ボックス（第１部材）から分離して第１被挿入部材（第３部材）を台座装置（第２部材）から離脱させるだけでよく、基板ボックス（第１部材）を台座装置（第２部材）から簡単に取り外すことができる。
【００２４】
そして、第１被挿入部材（第３部材）が台座装置（第２部材）から離脱されると、第１被挿入部材（第３部材）が第１挿入孔（第２挿入部）の軸心と交差する方向に分離して複数の部材に分解されるので、固定部材から第１被挿入部材（第３部材）を簡単に取り外すことができる。したがって、固定部材を破壊することなく再使用可能な状態で取り外すことができる。
【００２５】
また、第２被挿入部材が基板ボックス（第１部材）から分離されると第２挿入孔（第１挿入部）の軸心と交差する方向に分離して第２挿入孔（第１挿入部）の内周面の一部を備えた複数の部材に分解できる構成を有する場合は、固定部材から第２被挿入部材を簡単に取り外すことができ、固定部材を破壊することなく再使用可能な状態で取り外すことができる。
【００２６】
手段４．制御基板を収容する基板ボックス（第１部材）と、遊技機の筐体内に設けられ、基板ボックス（第１部材）を保持し、基板ボックス（第１部材）を予め設定されたスライド方向にスライド移動させた場合に基板ボックス（第１部材）を取り外し可能な台座装置（第２部材）と、基板ボックス（第１部材）のスライド移動を規制して基板ボックス（第１部材）を台座装置（第２部材）に固定する固定手段とを備え、固定手段は、台座装置（第２部材）に着脱自在に設けられ、基板ボックス（第１部材）のスライド方向に交差する方向に延在する第１挿入孔（第２挿入部）が形成され、第１挿入孔（第２挿入部）の軸心に沿って軸方向一方側に移動させた場合に台座装置（第２部材）から離脱される第１被挿入部材（第３部材）と、基板ボックス（第１部材）に分離可能に設けられ、基板ボックス（第１部材）のスライド方向に交差する方向に延在する第２挿入孔（第１挿入部）が形成され、基板ボックス（第１部材）を台座装置（第２部材）に保持させた場合に台座装置（第２部材）から第１被挿入部材（第３部材）が離脱される方向側で第１被挿入部材（第３部材）に対向して配置されて、第２挿入孔（第１挿入部）が第１挿入孔（第２挿入部）に連続する第２被挿入部材と、台座装置（第２部材）に基板ボックス（第１部材）が保持された状態で第２挿入孔（第１挿入部）側から挿入されて第１挿入孔（第２挿入部）に先端側部分が挿入され、第２挿入孔（第１挿入部）に基端側部分が挿入される固定部材と、固定部材に設けられ、第１挿入孔（第２挿入部）に固定部材の先端側部分が挿入されて固定部材が第１被挿入部材（第３部材）に対して予め設定された回転係止位置に配置された状態で第１被挿入部材（第３部材）に係止されて固定部材の抜脱方向への移動を規制し、固定部材が第１被挿入部材（第３部材）に対して相対的に軸周りに回転されて回転係止位置から予め設定された回転解除位置に配置された場合に第１被挿入部材（第３部材）への係止が解除されて固定部材の抜脱方向への移動を許容する先端側係止爪と、固定部材に設けられ、第２挿入孔（第１挿入部）に固定部材の基端側部分が挿入された状態で第２被挿入部材と当接して固定部材の挿入方向への移動を規制する当接部と、台座装置（第２部材）に基板ボックス（第１部材）を保持して第１挿入孔（第２挿入部）に固定部材の先端側部分を挿入し且つ第２挿入孔（第１挿入部）に固定部材の基端側部分を挿入した場合に、固定部材と係合して固定部材を回転係止位置に位置決めし、また、第２被挿入部材を基板ボックス（第１部材）から分離した場合に、固定部材の位置決めを解除して固定部材を回転係止位置から回転解除位置に回転可能とする回転位置決め手段とを有することを特徴とする遊技機。
【００２７】
これにより、台座装置（第２部材）に基板ボックス（第１部材）を保持させ、第１被挿入部材（第３部材）の第１挿入孔（第２挿入部）に固定部材の先端側部分を挿入し、第２被挿入部材の第２挿入孔（第１挿入部）に固定部材の基端側部分を挿入した場合に、台座装置（第２部材）に対する基板ボックス（第１部材）のスライド移動が規制されて基板ボックス（第１部材）が台座装置（第２部材）に固定される。
【００２８】
そして、固定部材が回転位置決め手段によって回転係止位置に位置決めされ、先端側係止爪が第１被挿入部材（第３部材）に係止されて、固定部材の抜脱方向への移動が規制される。そして、当接部が第２被挿入部材と当接して固定部材の挿入方向への移動が規制される。
【００２９】
したがって、固定部材の先端側部分が第１挿入孔（第２挿入部）に挿入され且つ固定部材の基端側部分が第２挿入孔（第１挿入部）に挿入された状態が維持されて、台座装置（第２部材）から基板ボックス（第１部材）を不正に取り出されるのを防ぐことができる。
【００３０】
一方、基板ボックス（第１部材）を台座装置（第２部材）から正規に取り外す場合には、第２被挿入部材を基板ボックス（第１部材）から分離して、回転位置決め手段による固定部材の回転位置決めを解除する。
【００３１】
そして、固定部材を回転させて回転係止位置から回転解除位置に移動させて、先端側係止爪による第１被挿入部材（第３部材）への係止を解除し、第１被挿入部材（第３部材）に対して固定部材を抜脱方向に向かって移動させる。
【００３２】
これにより、固定部材の先端側部分を第１挿入孔（第２挿入部）から抜脱して、固定部材を簡単に取り外すことができる。したがって、台座装置（第２部材）に対して基板ボックス（第１部材）をスライド移動させることが可能となり、基板ボックス（第１部材）を台座装置（第２部材）から取り外すことができる。
【００３３】
また、固定部材を回転係止位置から回転解除位置に回転させるだけで、第１被挿入部材（第３部材）から固定部材を取り外すことができるので、固定部材の取り外しの際に固定部材に傷を付けたり破壊するおそれもなく、固定部材を再使用可能な状態で取り出すことができる。
【００３４】
そして、上記発明によれば、固定部材の先端側係止爪が係止される第１被挿入部材（第３部材）を、台座装置（第２部材）に着脱自在な構成としたので、第１被挿入部材（第３部材）を成形する成形型と、台座装置（第２部材）を成形する成形型を別々のものにすることができ、各成形型の構造を簡単化することができる。
【００３５】
手段５．手段４において、第１被挿入部材（第３部材）は、固定部材の先端側部分が第１挿入孔（第２挿入部）に挿入されて固定部材が回転係止位置に配置された場合に先端側係止爪に対して固定部材の抜脱方向側に対向して配置され、第１被挿入部材（第３部材）に対して固定部材が相対的に抜脱方向に向かって付勢された場合に先端側係止爪に当接して第１被挿入部材（第３部材）に対する固定部材の相対的な抜脱方向への移動を規制する第１係止部と、第２被挿入部材が基板ボックス（第１部材）から分離されて、固定部材が回転解除位置に配置された場合に先端側係止爪に対して固定部材の抜脱方向側に配置され、第１被挿入部材（第３部材）に対して固定部材が相対的に抜脱方向に向かって付勢された場合に先端側係止爪を通過させて第１被挿入部材（第３部材）に対する固定部材の相対的な抜脱方向への移動を許容する第１通路部を有することを特徴とする遊技機。
【００３６】
手段５は、第１被挿入部材（第３部材）の具体的な構成の一例を示したものであり、これによると、第１被挿入部材（第３部材）は、第１係止部と第１通路部を有しており、第１係止部は、固定部材の先端側部分が第１挿入孔（第２挿入部）に挿入されて固定部材が第１被挿入部材（第３部材）に対して回転係止位置に配置された場合に、先端側係止爪に対して固定部材の抜脱方向側に対向して配置され、かかる状態で固定部材が相対的に抜脱方向に向かって付勢された場合に先端側係止爪と当接して第１被挿入部材（第３部材）に対する固定部材の相対的な抜脱方向への移動を規制する。
【００３７】
そして、第１通路部は、第２被挿入部材が基板ボックス（第１部材）から分離されて、固定部材が回転解除位置に配置された場合に先端側係止爪に対して固定部材の抜脱方向側に配置され、かかる状態で第１被挿入部材（第３部材）に対して固定部材が相対的に抜脱方向に向かって付勢された場合に先端側係止爪を通過させて第１被挿入部材（第３部材）に対する固定部材の相対的な抜脱方向への移動を許容する。
【００３８】
したがって、固定部材の先端側部分が第１挿入孔（第２挿入部）に挿入されて固定部材が第１被挿入部材（第３部材）に対して回転係止位置に配置された場合に、第１被挿入部材（第３部材）に対する固定部材の相対的な抜脱方向への移動を規制することができ、第２被挿入部材が基板ボックス（第１部材）から分離されて、固定部材が回転解除位置に配置された場合に、第１被挿入部材（第３部材）に対する固定部材の相対的な抜脱方向への移動を許容することができる。
【００３９】
手段６．手段４又は５において、固定部材は、第２挿入孔（第１挿入部）に固定部材の基端側部分が挿入されて固定部材が第２被挿入部材に対して予め設定された回転係止位置に配置された状態で第２被挿入部材に係止されて固定部材の抜脱方向への移動を規制し、固定部材が第２被挿入部材に対して相対的に軸周りに回転されて回転係止位置から予め設定された回転解除位置に配置された場合に第２被挿入部材への係止が解除されて固定部材の抜脱方向への移動を許容する基端側係止爪を有することを特徴とする遊技機。
【００４０】
これにより、台座装置（第２部材）に基板ボックス（第１部材）を保持させ、第１被挿入部材（第３部材）の第１挿入孔（第２挿入部）に固定部材の先端側部分を挿入し、第２被挿入部材の第２挿入孔（第１挿入部）に固定部材の基端側部分を挿入した場合に、固定部材が回転位置決め手段によって回転係止位置に位置決めされて、先端側係止爪が第１被挿入部材（第３部材）に係止され且つ基端側係止爪が第２被挿入部材に係止される。
【００４１】
したがって、第２被挿入部材を分離せずに固定部材を取り外すには、先端側係止爪と基端側係止爪の両方に対して同時に係止解除操作を行う必要があり、かかる操作は煩雑であり、また、困難でもある。したがって、固定部材の不正な取り外しを防止でき、高いセキュリティ性を有する。
【００４２】
一方、基板ボックス（第１部材）を台座装置（第２部材）から正規に取り外す場合には、第２被挿入部材を基板ボックス（第１部材）から分離して、回転位置決め手段による固定部材の回転位置決めを解除し、第１被挿入部材（第３部材）に対して固定部材を相対的に軸周りに回転させて回転係止位置から回転解除位置に移動させ、先端側係止爪による第１被挿入部材（第３部材）への係止を解除し、固定部材の先端側部分を第１挿入孔（第２挿入部）から抜脱するだけでよく、基板ボックス（第１部材）を台座装置（第２部材）から簡単に取り外すことができる。
【００４３】
そして、第２被挿入部材に対して固定部材を相対的に軸周りに回転させて回転係止位置から回転解除位置に移動させて、基端側係止爪による第２被挿入部材への係止を解除し、固定部材の基端側部分を第２挿入孔（第１挿入部）から抜脱することができ、第２被挿入部材から固定部材を簡単に取り外すことができ、固定部材に傷を付けたり破壊することなく、再使用可能な状態で取り外すことができる。
【００４４】
手段７．手段６において、第２被挿入部材は、固定部材の基端側部分が第２挿入孔（第１挿入部）に挿入されて固定部材が回転係止位置に配置された場合に基端側係止爪に対して固定部材の抜脱方向側に対向して配置され、第２被挿入部材に対して固定部材が相対的に抜脱方向に向かって付勢された場合に基端側係止爪に当接して第２被挿入部材に対する固定部材の相対的な抜脱方向への移動を規制する第２係止部と、第２被挿入部材が基板ボックス（第１部材）から分離されて固定部材が回転解除位置に配置された場合に基端側係止爪に対して固定部材の抜脱方向側に配置され、第２被挿入部材に対して固定部材が相対的に抜脱方向に向かって付勢された場合に基端側係止爪を通過させて第２被挿入部材に対する固定部材の相対的な抜脱方向への移動を許容する第２通路部を有することを特徴とする遊技機。
【００４５】
手段７は、第２被挿入部材の具体的な構成の一例を示したものであり、これによると、第２被挿入部材は、第２係止部と第２通路部を有しており、第２係止部は、固定部材の基端側部分が第２挿入孔（第１挿入部）に挿入されて固定部材が第２被挿入部材に対して回転係止位置に配置された場合に、基端側係止爪に対して固定部材の抜脱方向側に対向して配置され、かかる状態で固定部材が相対的に抜脱方向に向かって付勢された場合に基端側係止爪と当接して第２被挿入部材に対する固定部材の相対的な抜脱方向への移動を規制する。
【００４６】
そして、第２通路部は、第２被挿入部材が基板ボックス（第１部材）から分離されて、固定部材が回転解除位置に配置された場合に基端側係止爪に対して固定部材の抜脱方向側に配置され、かかる状態で第２被挿入部材に対して固定部材が相対的に抜脱方向に向かって付勢された場合に基端側係止爪を通過させて第２被挿入部材に対する固定部材の相対的な抜脱方向への移動を許容する。
【００４７】
したがって、固定部材の基端側部分が第２挿入孔（第１挿入部）に挿入されて固定部材が第２被挿入部材に対して回転係止位置に配置された場合に、第２被挿入部材に対する固定部材の相対的な抜脱方向への移動を規制することができ、第２被挿入部材が基板ボックス（第１部材）から分離されて、固定部材が回転解除位置に配置された場合に、第２被挿入部材に対する固定部材の相対的な抜脱方向への移動を許容することができる。
【００４８】
手段８．手段７において、回転位置決め手段は、第１被挿入部材（第３部材）に設けられ、固定部材の先端側部分が第１挿入孔（第２挿入部）に挿入されて先端側係止爪が第１被挿入部材（第３部材）に係止された場合に、先端側係止爪に対して固定部材の回転方向一方側に対向して配置され、第１被挿入部材（第３部材）に対する固定部材の相対的な回転方向一方側への回転を規制する第１回転規制部と、第２被挿入部材に設けられ、固定部材の基端側部分が第２挿入孔（第１挿入部）に挿入されて基端側係止爪が第２被挿入部材に係止された場合に、基端側係止爪に対して固定部材の回転方向他方側に対向して配置され、第２被挿入部材に対する固定部材の相対的な回転方向他方側への回転を規制する第２回転規制部を有することを特徴とする。
【００４９】
手段８は、回転位置決め手段の具体的な構成の一例を示したものであり、これによると、固定部材の先端側部分を第１挿入孔（第２挿入部）に挿入し且つ固定部材の基端側部分を第２挿入孔（第１挿入部）に挿入して、先端側係止爪を第１被挿入部材（第３部材）に係止させ且つ基端側係止爪を第２被挿入部材に係止させることによって、先端側係止爪に対して固定部材の回転方向一方側に第１回転規制部を対向させて第２被挿入部材に対する固定部材の回転方向一方側への回転を規制し、そして、基端側係止爪に対して固定部材の回転方向他方側に第２回転規制部を対向させて第２被挿入部材に対する固定部材の回転方向他方側への回転を規制することができる。したがって、固定部材を回転係止位置に位置決めすることができる。
【００５０】
そして、第２被挿入部材を基板ボックス（第１部材）から分離することによって、第１被挿入部材（第３部材）に対する固定部材の位置決めを解除して固定部材の相対的な回転方向他方側への回転を許容し、固定部材を回転係止位置から回転解除位置に回転させることができる。
【００５１】
したがって、第１被挿入部材（第３部材）に対して固定部材を相対的に軸周りに回転させて回転係止位置から回転解除位置に移動させて、先端側係止爪による第１被挿入部材（第３部材）への係止を解除し、固定部材の先端側部分を第１挿入孔（第２挿入部）から抜脱することができる。
【００５２】
したがって、固定部材を簡単に取り外すことができ、台座装置（第２部材）に対して基板ボックス（第１部材）をスライド方向にスライド移動させて、基板ボックス（第１部材）を台座装置（第２部材）から簡単に取り外すことができる。
【００５３】
それから、第２被挿入部材に対して固定部材を相対的に軸周りに回転させて回転係止位置から回転解除位置に移動させて、基端側係止爪による第２被挿入部材への係止を解除し、固定部材の基端側部分を第２挿入孔（第１挿入部）から抜脱することができる。
【００５４】
したがって、固定部材から第２被挿入部材を簡単に取り外すことができ、固定部材に傷を付けたり破壊するおそれもなく、固定部材を再使用することができる。
【００５５】
手段９．制御基板を収容する基板ボックス（第１部材）と、遊技機の筐体内に設けられ、基板ボックス（第１部材）を保持し、基板ボックス（第１部材）を予め設定されたスライド方向にスライド移動させた場合に基板ボックス（第１部材）を取り外し可能な台座装置（第２部材）と、基板ボックス（第１部材）のスライド移動を規制して基板ボックス（第１部材）を台座装置（第２部材）に固定する固定手段とを備え、固定手段は、台座装置（第２部材）に脱着可能に設けられ、基板ボックス（第１部材）のスライド方向に交差する方向に延在する第１挿入孔（第２挿入部）が形成され、第１挿入孔（第２挿入部）の軸心に沿って軸方向一方側に移動させた場合に台座装置（第２部材）から離脱される第１被挿入部材（第３部材）と、基板ボックス（第１部材）に分離可能に設けられ、基板ボックス（第１部材）のスライド方向に交差する方向に延在する第２挿入孔（第１挿入部）が形成され、基板ボックス（第１部材）を台座装置（第２部材）に保持させた場合に台座装置（第２部材）から第１被挿入部材（第３部材）が離脱される方向側で第１被挿入部材（第３部材）に対向して配置されて、第２挿入孔（第１挿入部）が第１挿入孔（第２挿入部）に連続する第２被挿入部材と、台座装置（第２部材）に基板ボックス（第１部材）が保持された状態で第２挿入孔（第１挿入部）側から挿入されて第１挿入孔（第２挿入部）に先端側部分が挿入され、第２挿入孔（第１挿入部）に基端側部分が挿入される固定部材と、固定部材に設けられ、第１挿入孔（第２挿入部）に固定部材の先端側部分が挿入された状態で第１被挿入部材（第３部材）に係止されて固定部材の抜脱方向への移動を規制し、第１被挿入部材（第３部材）が台座装置（第２部材）から離脱された場合に、第１被挿入部材（第３部材）から露出して第１被挿入部材（第３部材）に対する係止を解除する操作が可能となる先端側係止爪と、固定部材に設けられ、第２挿入孔（第１挿入部）に固定部材の基端側部分が挿入された状態で第２被挿入部材と当接して固定部材の挿入方向への移動を規制する当接部とを有することを特徴とする遊技機。
【００５６】
これにより、台座装置（第２部材）に基板ボックス（第１部材）を保持させ、第１被挿入部材（第３部材）の第１挿入孔（第２挿入部）に固定部材の先端側部分を挿入し、第２被挿入部材の第２挿入孔（第１挿入部）に固定部材の基端側部分を挿入した場合に、台座装置（第２部材）に対する基板ボックス（第１部材）のスライド移動が規制されて基板ボックス（第１部材）が台座装置（第２部材）に固定される。
【００５７】
そして、先端側係止爪が第１被挿入部材（第３部材）に係止されて固定部材の抜脱方向への移動が規制される。そして、当接部が第２被挿入部材と当接して固定部材の挿入方向への移動が規制される。
【００５８】
したがって、固定部材の先端側部分が第１被挿入部材（第３部材）の第１挿入孔（第２挿入部）に挿入され且つ固定部材の基端側部分が第２被挿入部材の第２挿入孔（第１挿入部）に挿入された状態が維持されて、台座装置（第２部材）から基板ボックス（第１部材）が不正に取り出されるのを防ぐことができる。
【００５９】
一方、基板ボックス（第１部材）を台座装置（第２部材）から正規に取り外す場合には、第２被挿入部材を基板ボックス（第１部材）から分離して、第２被挿入部材に対向する位置に配置されている第１被挿入部材（第３部材）を台座装置（第２部材）から離脱する方向に移動させる。
【００６０】
これにより、第１被挿入部材（第３部材）を台座装置（第２部材）から離脱させて、第１被挿入部材（第３部材）と一体に固定部材を取り外すことができる。したがって、台座装置（第２部材）に対して基板ボックス（第１部材）をスライド移動させることが可能となり、基板ボックス（第１部材）を台座装置（第２部材）から取り外すことができる。
【００６１】
そして、第１被挿入部材（第３部材）を台座装置（第２部材）から離脱させることによって、第１被挿入部材（第３部材）から先端側係止爪を露出させて、第１被挿入部材（第３部材）に対する係止を解除する係止解除操作を可能とすることができる。
【００６２】
したがって、第１被挿入部材（第３部材）から固定部材を簡単に取り外すことができ、固定部材を破壊することなく再使用可能な状態で取り外すことができる。
【００６３】
そして、上記発明によれば、固定部材の先端側係止爪が係止される第１被挿入部材（第３部材）を、台座装置（第２部材）に着脱自在な構成としたので、第１被挿入部材（第３部材）を成形する成形型と、台座装置（第２部材）を成形する成形型を別々のものにすることができ、各成形型の構造を簡単化することができる。
【００６４】
手段１０．手段９において、固定手段は、固定部材の基端側部分に設けられ、固定部材の基端側部分を第２挿入孔（第１挿入部）に挿入した場合に第２被挿入部材に係止されて固定部材の抜脱方向への移動を規制し、第１被挿入部材（第３部材）が固定部材から取り外された場合に、第２被挿入部材から露出して第２被挿入部材への係止を解除する操作を可能とする基端側係止爪を有することを特徴とする遊技機。
【００６５】
これにより、台座装置（第２部材）に基板ボックス（第１部材）を保持させ、第１被挿入部材（第３部材）の第１挿入孔（第２挿入部）に固定部材の先端側部分を挿入し且つ第２被挿入部材の第２挿入孔（第１挿入部）に固定部材の基端側部分を挿入した場合に、先端側係止爪が第１被挿入部材（第３部材）に係止されると共に、基端側係止爪が第２被挿入部材に係止される。
【００６６】
したがって、第２被挿入部材を基板ボックス（第１部材）から分離せずに固定部材を取り外すには、先端側係止爪と基端側係止爪の両方に対して同時に係止解除操作を行う必要があり、かかる操作は煩雑であり、また、困難でもある。したがって、固定部材の不正な取り外しを防止でき、高いセキュリティ性を有する。
【００６７】
一方、基板ボックス（第１部材）を台座装置（第２部材）から正規に取り外す場合には、第２被挿入部材を基板ボックス（第１部材）から分離して第１被挿入部材（第３部材）を台座装置（第２部材）から離脱させるだけでよく、基板ボックス（第１部材）を台座装置（第２部材）から簡単に取り外すことができる。
【００６８】
そして、離脱された第１被挿入部材（第３部材）を固定部材から取り外すと、第２被挿入部材から基端側係止爪が露出して、第２被挿入部材に対する基端側係止爪の係止解除操作が可能となるので、第２被挿入部材から固定部材を簡単に抜脱することができる。したがって、第２被挿入部材から固定部材を抜脱する際に、固定部材を破壊することなく再使用可能な状態で取り外すことができる。
【００６９】
以下、本発明の実施の形態について遊技機の一例としてスロットマシン１の場合を例に図面に基づいて説明する。図１は、スロットマシン１の正面図、図２は、スロットマシン１の前面扉３が閉じた状態を示す全体斜視図、図３は、スロットマシン１の前面扉３を開いた状態を示した全体斜視図、図４は、前面扉３の背面図、図５は、筐体２の正面図である。
【００７０】
スロットマシン１は、図１及び図２に示すように、筐体２と前面扉３を備えている。筐体２は、スロットマシン１の骨格をなす部材であり、図５に示すように、天板２ａ、底板２ｂ、背板２ｃ、左側板２ｄ、右側板２ｅからなり、筐体２正面側が開放された箱形状を有している。
【００７１】
前面扉３は、図３及び図４に示すように、左端側の上下複数カ所がヒンジ５によって筐体２に取り付けられ、上下方向に延在する揺動中心軸線を中心として水平に揺動自在に支持され、横方向の揺動によって筐体２の正面側を開閉するように構成されている。
【００７２】
前面扉３の右端部には、筐体２に対して前面扉３を閉鎖して施錠状態とする施錠装置６と、その施錠装置６による施錠状態を解除して前面扉３を開放するためのキーシリンダ７（図１及び図２を参照）が設けられている。
【００７３】
前面扉３の中央部上寄り位置には、図１及び図２に示すように、遊技者に遊技状態を示す遊技パネル８が設けられている。遊技パネル８には、縦長の表示窓９が３つ横並びに形成されている。表示窓９は透明又は半透明な材質によって構成されており、各表示窓９を介してリール５２を視認できるようになっている。
【００７４】
遊技パネル８の下方左側には、各リール５２の回転を開始させるために操作されるスタートレバー１１が設けられている。スタートレバー１１は、揺動操作によって各リール５２の回転開始を指示する信号を出力する。
【００７５】
スタートレバー１１の右側には、回転している各リール５２を個別に停止させるためのストップボタン１２がそれぞれ設けられている。各ストップボタン１２は、停止させるリール５２が表示される表示窓９の下方位置に対応して各々配置されており、押し操作によってリール５２の回転停止を指示する信号を出力する。
【００７６】
各ストップボタン１２には、各リール５２の停止操作が可能であるか否かを表示するための発光ランプが内蔵されており、リール５２の回転速度が一定になって回転を停止させることが可能な状態になると点灯し、リール５２の回転が停止すると消灯される。
【００７７】
遊技パネル８の下方右側には、コイン投入口２１が設けられている。コイン投入口２１から投入されたコインは、図３及び図４に示すように、前面扉３の背面に設けられたセレクタ２２によって貯留用通路２３か排出用通路２４のいずれかに案内される。セレクタ２２は、通路切替用のソレノイドを有しており、非励磁時に排出用通路２４側とし、励磁時に貯留用通路２３側に切り換える動作を行う。
【００７８】
貯留用通路２３に案内されたコインは、筐体２内に収容されたホッパ装置に供給され、排出用通路２４に案内されたコインは、前面扉３の前面下部に設けられたコイン排出口２５（図１及び図２を参照）からコイン受け皿２６に排出されて遊技者に返還される。
【００７９】
コイン投入口２１の下方には、図１及び図２に示すように、コイン返却スイッチ１３が設けられている。コイン返却スイッチ１３は、コイン投入口２１に投入されたコインがセレクタ２２内に詰まった際に押し操作することにより、セレクタ２２を機械的に動作させて、セレクタ２２内のコインを強制的に排出用通路２４内（図３及び図４を参照）に導き、コイン排出口２５からコイン受け皿２６に排出させることができる。
【００８０】
表示窓９の下方左側には、クレジットされた仮想コインを３枚投入するための３枚投入用のベットボタン１４が設けられている。そして、３枚投入用のベットボタン１４の左方には、クレジットされた仮想コインを２枚投入するための２枚投入用のベットボタン１５と、１枚投入するための１枚投入用ベットボタン１６が設けられている。
【００８１】
スタートレバー１１の左側にはクレジット精算ボタン１７が設けられている。クレジット精算ボタン１７は、予め設定された最大枚数、例えば５０枚となるまでの余剰の投入コイン数や入賞時に獲得した獲得コイン数を電子的に記憶する貯留モード（クレジット機能）と、獲得コイン数を記憶せずに払い出す払出モードとを切り替えるように構成されている。
【００８２】
例えば、クレジット精算ボタン１７が１回操作されると、貯留モードとなり蓄積されたコインの枚数の記憶が開始され、再び操作されると貯留モードが解除されて払出モードとなり記憶させた枚数分のコインが実際に排出される。
【００８３】
表示窓９の下方中央には、クレジットモード時に有効化されて貯留記憶されたコイン数を表示する残数表示部３１と、ビッグボーナスやレギュラーボーナス等の特別遊技状態の際に、残りのゲーム数等を表示するゲーム数表示部３２と、獲得コインの枚数を表示する獲得枚数表示部３３とがそれぞれ設けられている。
【００８４】
前面扉３の上部には、遊技の進行に伴って点灯・点滅する上部ランプ３４と、画像・映像等によって種々の情報を表示する液晶表示部３５が設けられている。そして、コイン受け皿２６の上方には、スロットマシン１の機種名や遊技に係わるキャラクタなどが表示された下段プレート３６が装着されている。また、コイン受け皿２６の左側には灰皿３７が設けられている。そして、コイン排出口２５の左右両側位置には、遊技の進行に伴って種々の効果音を鳴らしたり、遊技者に遊技の状態を報知する左右一対のスピーカ３８が設けられている。
【００８５】
筐体２は、図３及び図５に示すように、仕切板２ｆによってその内部が上下に２分割されており、仕切板２ｆの上部には、リールユニット５１が取り付けられている。リールユニット５１は、円筒状に形成された左リール５２ａ、中央リール５２ｂ、左リール５２ｃを備えており、各リール５２は、その中心軸線が回動中心軸線となるように、リールユニット５１のベース５３に回転自在に支持されている。各リール５２の回転中心軸線は、筐体２の横幅方向に略水平に左右に延びる同一軸線上に配置されて、各リール５２が各表示窓９に対して１対１で対応している。
【００８６】
各リール５２の表面には、周回方向に所定間隔をおいて複数種類の図柄が表示されており、一つの表示窓１１内から３つの図柄が視認できるように配置されている。そして、リール５２の正転により、各表示窓９には各種図柄が上から下に向かって移動しているように映し出される。
【００８７】
各リール５２は、個々にステッピングモータ（図示せず）に連結されており、各ステッピングモータにより別個独立して回転駆動され、リール表面の図柄が各表示窓９から視認可能な位置に停止される。
【００８８】
仕切板２ｆの下方位置には、ホッパ装置６１が配設されている。ホッパ装置６１は、コインを貯留する貯留タンク６２と、コインを払い出す払出装置６３を備えている。払出装置６３は、図示していないコイン払出用回転板を回転させることによって、貯留タンク６２から所定枚数のコインを排出し、排出用通路２４を介してコイン受け皿２６にコインを払い出す。
【００８９】
ホッパ装置６１の右方には、貯留タンク６２内に所定量以上のコインが貯留されることを回避するための予備タンク６４が設けられている。ホッパ装置６１の貯留タンク６２には、貯留タンク６２内のコインを予備タンク６４へ誘導する誘導プレート（図示せず）が設けられている。誘導プレートは、その誘導プレートが設けられている高さ以上に貯留タンク６２内にコインが貯留された場合に、コインを案内して貯留タンク６２から予備タンク６４内に導き、予備タンク６４内に貯留するようになっている。
【００９０】
筐体２内におけるホッパ装置６１の左方には、電源ボックス７１が収容されている。電源ボックス７１は、正面側に開閉扉７２が設けられており、その開閉扉７２を開くことで露出される正面部には、電源スイッチ、リセットスイッチ、設定キー挿入孔（いずれも図示せず）が設けられている。
【００９１】
電源スイッチは、操作することによって主制御装置を始めとする各部に電源を供給するためのものである。リセットスイッチは、スロットマシンの各種状態をリセットするためのスイッチである。リセットスイッチは、押し状態で電源スイッチをオンすることによって、スロットマシン内のバックアップデータをリセットでき、また、電源スイッチがオンされている状態でリセットスイッチを押した場合には、エラー状態をリセットできるようになっている。設定キー挿入孔は、設定キーを挿入するためのキー孔であり、ホール管理者等が設定キーを挿入して、スロットマシン１の設定状態を例えば設定１から設定６まで変更できるようになっている。
【００９２】
リールユニット５１の上方には、中継基板（接続基板）８１を間に介在させて、主基板ユニット１００が設けられている。中継基板８１は、リールユニット５１の上面に沿って左右方向に亘って延在して配設されており、中継基板８１の上面には、配線コード８２が接続されている。配線コード８２は、中継基板８１から上方に延出し、主基板ユニット１００の主制御装置１０１に接続されている。
【００９３】
主基板ユニット１００は、スロットマシン１の制御を行う主制御装置１０１と、主制御装置１０１を筐体２内の背板２ｃに取付支持する台座装置（第２部材）２０１とを備えている。
【００９４】
以下、主基板ユニット１００の構成について図６〜図１７に基づき詳細に説明する。
【００９５】
図６は主基板ユニット１００の正面図、図７は図６のＩ方向矢視図、図８は、可動ベース部２０３が起立姿勢位置に位置決め保持された主基板ユニット１００状態を示す斜視図、図９は、可動ベース部２０３が傾倒姿勢位置に位置決め保持された主基板ユニット１００の状態を示す斜視図、図１０は主基板ユニット１００の背面斜視図、図１１は主基板ユニット１００の分解斜視図、図１２は台座装置（第２部材）２０１を構成する固定ベース部２０２と可動ベース部２０３とを拡大して示す分解斜視図、図１３は台座装置（第２部材）２０１の正面斜視図、図１４は主制御装置１０１を構成する主基板１０３と基板ボックス（第１部材）１０２とを拡大して示す分解斜視図、図１５は図６のＩＩ−ＩＩ線断面図、図１６は図６のIII−III線断面図、図１７は固定ベース部２０２への可動ベース部２０３の支持構造を説明する模式図であり、回動軸部２６５の右端部側を支持ピン２０７の軸方向に沿った断面により示すものである。
【００９６】
尚、特に指定しない限り、図６の状態を基準として図中の右側を主基板ユニット１００の右側、図中の左側を主基板ユニット１００の左側とし、図中の手前側を主基板ユニット１００の前側、図中の奥側を主基板ユニット１００の後側として説明する。
【００９７】
主基板ユニット１００の台座装置（第２部材）２０１は、筐体２の背板２ｃに固定される固定ベース部２０２と、固定ベース部２０２に支持されて水平に延在する回動中心軸線を回動中心とした上下に回動可能な可動ベース部２０３とを備えている。
【００９８】
そして、台座装置（第２部材）２０１は、その回動中心軸線に直交する方向である予め設定されたスライド方向にスライド移動自在に主制御装置１０１を案内し、主制御装置１０１を回動中心軸線に接近する方向にスライド移動させることによって可動ベース部２０３に保持し、回動中心軸線から離反する方向にスライド移動させることによって可動ベース部２０３から取り外し可能な保持手段２０４を備えている。
【００９９】
また、台座装置（第２部材）２０１は、図８及び図９に示すように、可動ベース部２０３を起立姿勢位置と傾倒姿勢位置に選択的に配置して位置決め保持する起立姿勢位置決め保持手段２０５と傾倒姿勢位置決め保持手段２０６を備えている。
【０１００】
主制御装置１０１は、例えば図１１及び図１４に示すように、表裏一対のケース体１１０、１２０によって構成される基板ボックス（第１部材）１０２と、これら各ケース体１１０、１２０の間に挟まれる形で基板ボックス（第１部材）１０２に収容される横長矩形の平板形状を有した主基板（制御基板）１０３とを備えている。
【０１０１】
基板ボックス（第１部材）１０２は、主基板１０３の外形に合わせるように横長の矩形状を有しており、台座装置（第２部材）２０１の保持手段２０４によって可動ベース部２０３に着脱自在に装着できるようになっている。
【０１０２】
そして、主制御装置１０１を保持手段２０４によって保持させた状態で可動ベース部２０３を回動させて、図７及び図８に示す起立姿勢位置に位置決め保持することにより、基板ボックス（第１部材）１０２が筐体２の背板２ｃに沿って平行に延在して基板ボックス（第１部材）１０２内の主基板１０３の表面を筐体２の正面側から視認可能とする一方、可動ベース部２０３を回動させて、図９に示す傾倒姿勢位置に配置することにより、基板ボックス（第１部材）１０２が筐体２の正面側に傾倒して基板ボックス（第１部材）１０２内の主基板１０３の裏面を筐体２の正面側から視認可能とするようになっている。
【０１０３】
まず最初に、台座装置（第２部材）２０１の固定ベース部２０２の構成について説明する。
【０１０４】
固定ベース部２０２は、金属製の板状部材を折曲加工することによって形成されており、例えば図１１に示されるように、基板ボックス（第１部材）１０２よりも一回り大きな横長矩形で上下に延在する平板状の底板部２１１を有している。
【０１０５】
底板部２１１の左端部及び右端部には、台座装置（第２部材）２０１を筐体２内で背板２ｃに沿って取り付けるための取付フランジ部２１２が設けられている。取付フランジ部２１２は、図８〜図１３に示されるように、底板部２１１の左端部及び右端部で底板部２１１の裏面側に折曲された脚部２１３と、脚部２１３の後端部で互いに左右に離反する方向に折曲された第１取付面部２１４とからなる断面が略Ｌ字形状を有している。
【０１０６】
取付フランジ部２１２の第１取付面部２１４は、図７に示すように、底板部２１１から底板部２１１の裏面側に所定距離離間した位置で底板部２１１と平行に延在し、図９に示すように、底板部２１１の上下に亘って一定幅で帯状に延びるように形成されている。そして、第１取付面部２１４の上下方向略中央位置には、背板固定用の取付ネジを挿通するための底孔部２１４ａが開口形成されている。
【０１０７】
底板部２１１の上部でかつ横幅方向略中央位置には、切欠部２２１が設けられている。切欠部２２１は、図９〜図１２に示されるように、底板部２１１の上端部から矩形状に切り欠かれて形成されており、上端部から平行に垂下する一対の対向辺部には、フランジ片２２２が設けられている。フランジ片２２２は、底板部２１１の裏面側に折曲されて延出し、切欠部２２１の上下に亘って一定幅を有して帯状に形成されている。
【０１０８】
そして、図１０に示されるように、一対の対向辺部の下端間で水平方向に延在する水平辺部には、第２取付面部２２３が設けられている。第２取付面部２２３は、底板部２１１の裏面側に折曲されて後方に延出し、後端部で下方に折曲されて第１取付面部２１４と面一に延在し、切欠部２１１の左右に亘って形成されており、底板部２１１と対向する部分には、背面固定用の取付ネジを螺入するためのネジ孔２２３ａが、互いに左右に離反した位置に螺設されている。
【０１０９】
フランジ片２２２と第２取付面部２２３は、固定ベース部２０２を筐体２の背板２ｃに固定した場合に切欠部２１１と背板２ｃとの間に形成される開口部分を協働して閉塞し、底板部２１１と背板２ｃとの間隙に不正な回路基板等を隠し入れることができないようにしている。
【０１１０】
底板部２１１の上部でかつ横幅方向両端位置には、可動ベース部２０３を起立姿勢位置に位置決めして保持するための起立姿勢位置決め保持手段２０５を構成する係止爪部２３１が取り付けられている（図６〜図９、図１１〜図１３を参照）。
【０１１１】
各係止爪部２３１は、例えば図９及び図１２に示されるように、基端が底板部２１１に固定され、底板部２１１の表面から前方に向かって延出する基部２３２と、基部２３２の先端で底板部２１１の横幅方向中央側に向かって突出して可動ベース部２０３を係止する爪部２３３を有している。
【０１１２】
各係止爪部２３１は、可撓性を有する合成樹脂製材料によって構成されており、可動ベース部２０３を互いに対向する基部２３２の間に介在させて爪部２３３で係止し、可動ベース部２０３が傾倒するのを防いで起立姿勢位置に位置決め保持すると共に、互いに離反する方向に弾性変形させることによって爪部２３３の係止を解き、可動ベース部２０３の起立姿勢位置への位置決め保持を解除し、可動ベース部２０３を傾倒させることができるようになっている。
【０１１３】
底板部２１１の下部でかつ裏面側には、図１０に示すように、取付フレーム部材２２４が取り付けられている。取付フレーム部材２２４は、金属製の板状部材を折曲加工することによって形成されており、第１取付面部２１４及び第２取付面部２２３と面一に延在する第３取付面部２２５を有している。
【０１１４】
第３取付面部２２５は、固定ベース部２０２を筐体２の背板２ｃに固定した場合に、底板部２１１と背板２ｃとの間に形成される空間部分を埋めて、底板部２１１と背板２ｃとの間隙に不正な回路基板等を隠し入れることができないようにしている。
【０１１５】
その第３取付面部２２５には、左右両側に離れた２カ所に背板固定用の取付ネジ（図示せず）を挿通するための底孔部２２５ａが穿設されている。そして、底板部２１１には、その背板固定用の取付ネジを底板部２１１の表面側から挿入するための開口穴２１１ａが、第３取付面部２２５の底孔部２２５ａに対応する箇所に各々穿設されている（図１２を参照）。これら底孔部２２５ａ及び開口孔２１１ａは、固定ベース部２０２の下部側、すなわち、可動ベース部２０３の回動中心軸線の近傍位置に設けられている。
【０１１６】
取付フレーム部材２２４の下端部には、下蓋部２２６が設けられている。下蓋部２２６は、底板部２１１の下端部で底板部２１１の裏面側に折曲されて底板部２１１の下端部と背板２ｃとの間に形成される開口部分を閉塞するように形成されている。
【０１１７】
尚、本実施の形態では、底板部２１１の上端部を筐体２の天板２ａに当接させた状態で固定ベース部２０２を背板２ｃに固定する構成を採用している（図１８を参照）。したがって、固定ベース部２０２を背板２ｃに固定した場合に底板部２１１の上端部と背板２ｃとの間に形成される開口部分を天板２ａによって閉塞することができる。このため、底板部２１１の上端部には、この開口部分を閉塞する上蓋部を特に設けていないが、上蓋部を設けて開口部分を積極的に閉塞する構成としてもよい。
【０１１８】
また、底板部２１１の下端部には、支持フランジ部２４１が設けられている。支持フランジ部２４１は、特に図１２に示されるように、底板部２１１の下端部で底板部２１１の表面側に向かって折曲されて突出し、底板部２１１の横幅方向に沿って水平に左右に延在する起立板部２４２と、起立板部２４２の左端部及び右端部で折曲されて上方に突出し、互いに対峙する一対の軸支板部２４３、２４４を有している。
【０１１９】
起立板部２４２は、左右に離間した係止爪部２３１の間に形成される間隔とほぼ同じ横幅方向長さを有した横長の帯板形状をなし、係止爪部２３１の下方に対応する位置に軸支板部２４３、２４４が設けられている。
【０１２０】
各軸支板部２４３、２４４は、可動ベース部２０３の回動軸部２６５と協働して可動ベース部２０３を固定ベース部２０２に支持するための支持部分を構成するものであり、底板部５３の横幅方向に沿って左右に貫通する軸孔２４３ａ、２４４ａが開口形成されている。軸孔２４３ａ、２４４ａは、起立板部２４２の先端部側に位置しかつ軸孔２４３ａ、２４４ａの中心が互いに同一軸線上に位置するように設けられており、例えば金属製の支持ピン２０７を挿入して組み付け可能な構成となっている。
【０１２１】
底板部２１１の右端部側に位置する軸支板部２４４は、底板部２１１の左端部側に位置する軸支板部２４３よりも上方でかつ起立板部２４２の先端部よりも前方に延長されており、かかる延長部分には錠取付穴２４５が開口形成されている。錠取付穴２４５は、軸孔２４３ａ、２４４ａと同方向に開口するように形成されており、例えば南京錠のＵ字バーなどを挿通可能な内径を有している。
【０１２２】
起立板部２４２の先端部には、カバー板部２５１が設けられている。カバー板部２５１は、可動ベース部２０３の回動軸部２６５を前方から覆い隠すように設けられている。
【０１２３】
具体的には、起立板部２４２の先端部で上方に向かって折曲されて突出し、起立板部２４２の横幅方向に沿って左右に延在し、上端部２５２の高さ位置が軸孔２４３ａ、２４４ａの中心高さよりも高い位置となるように形成されている（例えば、図１６を参照）。
【０１２４】
カバー板部２５１は、可動ベース部２０３を固定ベース部２０２に回動自在に支持した場合に、回動軸部２６５の筐体正面側に対向して回動軸部２６５の軸方向長さに亘って延在し、そして、カバー板部２５１の上端部２５２が支持ピン２０７の軸中心（回動中心軸線）よりも高い位置に位置して、回動軸部２６５とカバー板部２５１との間に形成される隙間を最小限のものにするように形成されている。これにより、回動軸部２６５とカバー板部２５１との間隙に、バールやスクリュードライバーなどの工具の先端が差し込まれるのを防ぎ、てこの原理を利用して工具をこじる等の回動軸部２６５の破壊行為を防ぐようになっている。
【０１２５】
カバー板部２５１の左端部及び右端部には、可動ベース部２０３を傾倒姿勢位置に位置決めして保持するための傾倒姿勢位置決め保持手段２０６を構成する回動ストッパ２５３が設けられている。
【０１２６】
回動ストッパ２５３は、カバー板部２５１の左端部及び右端部を切り欠いて、カバー板部２５１の上端部２５２よりも一段低く形成されており、図１５（ｂ）に示すように、可動ベース部２０３を傾倒姿勢位置まで傾倒させた際に、可動ベース部２０３の当接部２６９に当接するように形成されている。
【０１２７】
次に、台座装置（第２部材）２０１の可動ベース部２０３の構成について説明する。
【０１２８】
可動ベース部２０３は、所定の剛性を有する例えばポリカーボネイトなどの透明な合成樹脂製材料によって構成されており、特に図１２及び図１３に示されるように、横長矩形の底板部２６１と、底板部２６１の長辺側である下端部で折曲されて底板部２６１の表面側に向かって突出する載置部２６２と、底板部２６１の短辺側である左端部及び右端部でそれぞれ底板部２６１の表面側に向かって折曲形成された一対の側板部２６３、２６４とを有している。
【０１２９】
底板部２６１は、固定ベース部２０２の前方である底板部２１１の表面側で左右の係止爪部２３１の間に亘る横幅と、固定ベース部２０２の底板部２１１の上下に亘る高さ幅とからなる平板形状をなし、互いに左右に離間した２カ所に窓孔部２６１ａが開口形成されている。窓孔部２６１ａは、可動ベース部２０３を起立姿勢位置に位置決め保持しかつ底板部２６１を固定ベース部２０２の底板部２１１の表面側に重ね合わせた状態で、固定ベース部２０２の底孔部２１１ａに連通する位置に形成されている。
【０１３０】
載置部２６２は、固定ベース部２０２の支持フランジ部２４１の上部に沿って、起立板部２４２と略同一の一定幅で底板部２６１の左右に亘って延在し、上面に主制御装置１０１の基板ボックス（第１部材）１０２が載置される横長の帯板形状を有しており、載置部２６２の下面には、回動軸部２６５が一体に形成されている。
【０１３１】
回動軸部２６５は、固定ベース部２０２の軸支板部２４３、２４４と協働して可動ベース部２０３を固定ベース部２０２に支持するための支持部分を構成するものであり、載置部２６２の前端部側で載置部２６２の下面に沿って左右に延在する円柱形状をなし、固定ベース部２０２の互いに対向する軸支板部２４３、２４４の間に亘って介在される長さを有している。
【０１３２】
回動軸部２６５の左端部及び右端部には、可動ベース部２０３を固定ベース部２０２に回動可能に支持するための軸孔２６５ａが設けられている（図１５〜図１７を参照）。軸孔２６５ａは、回動軸部２６５の左端部及び右端部から軸心に沿って穿設されており、スリット溝２６８よりも軸方向内側の位置まで至る軸方向深さを有している。
【０１３３】
スリット溝２６８は、側板部２６３、２６４から軸孔２６５ａの軸方向に所定距離だけ離間した位置にそれぞれ設けられ、軸孔２６５ａの軸心に直交して載置部２６２から回動軸部２６５までスリット状に切り欠いて形成され、載置部２６２及び回動軸部２６５を軸方向両側に分断している（図６及び図１７を参照）。
【０１３４】
また、回動軸部２６５の左端部及び右端部には、当接部２６９が設けられている（図６を参照）。当接部２６９は、固定ベース部２０２の回動ストッパ２５３に対応する軸方向位置で、回動軸部２６５から径方向外側に向かって突設されており（図１５を参照）、可動ベース部２０３を傾倒姿勢位置まで傾倒させた際に、回動ストッパ２５３に当接するように形成されている。
【０１３５】
そして、載置部２６２の下面には、回動軸部２６５と載置部２６２との間の剛性を確保するためのリブ２６６と、後述する補強プレート２７１を固定するための固定ネジ穴部２６７が設けられている（図１５及び図１６を参照）。
【０１３６】
リブ２６６は、回動軸部２６５の後部から載置部２６２の後端部までの間に亘って前後方向に延在し、回動軸部２６５の軸方向に所定間隔をおいて複数設けられている。固定ネジ穴部２６７は、底板部２６１の各窓孔部２６１ａの下方位置に各々設けられており、載置部２６２の下面に沿って載置部２６２の後端部から前端部側に向かってネジ穴が螺設されている。
【０１３７】
載置部２６２に取り付けられる補強プレート２７１は、可動ベース部２０３を固定ベース部２０２に支持する支持剛性を向上させるためのものであり、金属製の板状部材を折曲加工することによって形成されている。補強プレート２７１は、載置部２６２の左右のスリット溝２６８の間に亘る長さを有して載置部２６２の上面に重なり合う平板部２７２と、平板部２７２の左端部及び右端部でそれぞれ下方に向かって折曲されて互いに対向し、スリット溝２６８に差し込まれる軸支板部２７３と、平板部２７２の後端部で上方に向かって折曲されて左右方向に亘って延在し、底板部２６１の表面に沿って重なり合う起立板部２７４とを有している（図１２を参照）。
【０１３８】
補強プレート２７１の起立板部２７４には、互いに左右方向に離間した位置にそれぞれ窓孔部２７４ａが開口形成されている。各窓孔部２７４ａは、補強プレート２７１の載置部２６２への取り付けによって底板部２６１の窓孔部２６１ａに連通する位置に形成されており、第３取付面部２２５の固定ネジを通過させることができる大きさを有している。
【０１３９】
そして、補強プレート２７１の各窓孔部２７４ａの下部には、補強プレート２７１を載置部２６２に固定するためのブラケット２７５（図１６を参照）が設けられている。ブラケット２７５は、平板部２７２の後端部で折曲されて平板部２７２から下方に延出し、底板部２６１の窓孔部２６１ａを通過して固定ネジ穴部２６７の後端部に接面するように形成されている。かかるブラケット２７５には、補強プレート２７１を固定するための固定ネジ２７６が挿通される挿通孔が穿設されている。
【０１４０】
補強プレート２７１の軸支板部２７３には、回動軸部２６５の軸孔２６５ａと同一の内径を有した開口孔２７３ａが穿設されており、かかる開口孔２７３ａは、補強プレート２７１の載置部２６２への固定により、軸支板部２７３がスリット溝２６８に差し込まれて回動軸部２６５の軸孔２６５ａと同軸上に配置される位置に形成されている。
【０１４１】
補強プレート２７１の載置部２６２への取り付けは、まず、載置部２６２の上面に補強プレート２７１の平面部２７２を重ね合わせると共に、底板部２６１の表面側に起立板部２７４を重ね合わせて、各軸支板部２７３をスリット溝２６８に差し込み、ブラケット２７５を底板部２６１の窓孔部２６１ａに通過させて固定ネジ穴部２６７の後端部に接面させる。そして、固定ネジの先端を底板部２６１の裏面側からブラケット２７５の貫通孔２７５ａに挿通させて固定ネジ穴部２６７のネジ穴に螺入する。これにより、補強プレート２７１は載置部２６２に取り付けられ、軸支板部２７３の軸孔２７３ａが回動軸部２６５の軸孔２６５ａと同軸上に配置される。
【０１４２】
側板部２６３、２６４は、載置部２６２と略同一幅で底板部２６１の下端部から上端部までの間に亘って延在して形成されており、各側板部２６３、２６４の前端部には、側板部２６３、２６４の上端部から下端部までの間に所定間隔をおいて複数の返し部２８１が内側に折り曲げ形成されて設けられている。
【０１４３】
これら複数の返し部２８１と底板部２６１との離間距離は、基板ボックス（第１部材）１０２の前後幅に対応して設定され、左右の側板部２６３、２６４との離間距離は、基板ボックス（第１部材）１０２の左右幅に対応して設定されている。
【０１４４】
側板部２６３、２６４及び底板部２６１の上端部には、基板ボックス（第１部材）１０２を可動ベース部２０３に装着するための装着口が形成され、かかる装着口から挿入された基板ボックス（第１部材）１０２を底板部２６１に沿って載置部２６２に接近及び離反する方向、換言すると、可動ベース部２０３の回動軸部２６５（回動中心軸線）に直交する方向に往復移動自在に案内する構成となっている。
【０１４５】
そして、基板ボックス（第１部材）１０２を、装着口から挿入して、底板部２６１に沿って予め設定されたスライド方向である載置部２６２に接近する方向にスライド移動させて載置部２６２に載置することによって、可動ベース部２０３に保持でき、その保持された状態から、底板部２６１に沿って予め設定されたスライド方向である載置部２６２から離反する方向にスライド移動させることによって、可動ベース部２０３から取り外すことができる。
【０１４６】
したがって、これらの底板部２６１、載置部２６２、側板部２６３、２６４、返し部２８１によって、基板ボックス（第１部材）１０２を台座装置（第２部材）２０１に着脱自在に保持する保持手段２０４が構成される。
【０１４７】
各側板部２６３、２６４の下端部には、ボス板部２８２が設けられている。このボス板部２８２は、側板部２６３、２６４から左右方向である筐体２の横幅方向外側に突出して、軸支板部２４３、２４４と対向する断面がＬ字状の板形状をなし、回動軸部２６５の側端面との間に固定ベース部２０２の軸支板部２４３、２４４を挿入して介在させることが可能な間隙を形成している。
【０１４８】
各ボス板部２８２には、支持ピン２０７を挿入するための軸孔２８２ａがそれぞれ穿設されている。各軸孔２８２ａは、回動軸部２６５の軸孔２６５ａと同軸上の位置に設けられており、回動軸部２６５の軸孔２６５ａに先端が挿入された支持ピン２０７の基端を支持するように構成されている。
【０１４９】
したがって、例えば図１７に示すように、回動軸部２６５の側端面とボス板部２８２との間に軸支板２４４を挿入して介在させ、支持ピン２０７をボス板部２８２の軸孔２８２ａから、軸支板２４４の軸孔２４４ａを通して、回動軸部２６５の軸孔２６５ａに挿入して取り付けることにより、軸支板２４４を間に介して支持ピン２０７の軸方向両側を支持することができる。
【０１５０】
また、側板部２６４の下端部には、錠取付穴２８３が設けられている。錠取付穴２８３は、例えば南京錠などの錠を取り付けることによって、可動ベース部２０３の傾倒を禁止し、可動ベース部２０３を起立姿勢位置に固定するためのものである。
【０１５１】
錠取付穴２８３は、底板部２６１の右側に位置する側板部２６４の下端部及びボス板部２８２に互いに同軸上に穿設されており、固定ベース部２０２の軸支板部２４４に穿設された錠取付穴２４５と略同一の内径を有して同方向に向かって開口し、可動ベース部２０３を起立姿勢位置に位置決め保持することによって固定ベース部２０２の錠取付穴２４５と同軸上に連通する位置に配置され、また、可動ベース部２０３を傾倒姿勢位置に位置決め保持することによって固定ベース部２０２の軸支板部２４４よりも前方に傾倒した位置に配置されるように構成されている。
【０１５２】
したがって、可動ベース部２０３を起立姿勢位置に位置決め保持した状態で、例えば南京錠のＵ字バーなどを錠取付穴２４５、２８３に挿通し、南京錠をロックすることにより、可動ベース部２０３の傾倒を禁止し、起立姿勢位置に固定できる。そして、例えば適正に管理された鍵の所有者等が南京錠のロックを解除してＵ字バーを錠取付穴２４５、２８３から取り外さない限り、可動ベース部２０３を傾倒させることはできず、基板ボックス（第１部材）１０２を可動ベース部２０３から取り出すこともできない。したがって、基板ボックス（第１部材）１０２内の主基板１０３が基板ボックス（第１部材）１０２ごと盗まれるのを防ぐことができ、結果的に筐体２内からの主制御装置１０１の盗難を防止できる。
【０１５３】
また、底板部２６１の下部右側には、固定用フランジ２８４が設けられており、保持手段２０４により保持された主制御装置１０１の基板ボックス（第１部材）１０２を可動ベース部２０３に固定するための貫通孔２８４ａが穿設されている。
【０１５４】
固定用フランジ２８４は、側板部２６４の下端部に一体に形成されており、側板部２６４の前端部から内方に向かって突出して底板部２６１と対向する平板形状をなし、底板部２６１との間に基板ボックス（第１部材）１０２の一部を挿入して介在させることが可能な間隔を有している。
【０１５５】
貫通孔２８４ａは、固定用フランジ２８４の中央に開口し、中心軸線が底板部２６１に対して垂直に延在する方向、換言すると、中心軸線が基板ボックス（第１部材）１０２のスライド移動方向に直交しかつ回動中心軸線に直交する方向に沿って延在するように形成されている。尚、主制御装置１０１の可動ベース部２０３への固定方法については、後述の主制御装置１０１の構成を説明する際に合わせて説明する。
【０１５６】
底板部２６１の上端部でかつ横幅方向中央寄り位置には、可動ベース部２０３に保持された主制御装置１０１を係止するための係止部２８５と、固定手段３００の第１被挿入部材（第３部材）３１０が設けられている。
【０１５７】
係止部２８５は、底板部２６１の上端縁から下方に向かって所定長さに亘って切り欠いた一対のスリット溝により形成された係止片２８６と、係止片２８６の上部に開口形成された係止孔２８７とを有している。そして、主制御装置１０１を可動ベース部２０３に装着した際に、基板ボックス（第１部材）１０２に突設された突起部１２１ａ（図１０を参照）を係止部２８５の係止孔２８７に係入させて、基板ボックス（第１部材）１０２を可動ベース部２０３に係止する一方、係止片２８６を弾性変形させて係止孔２８７への係入を解くことによって、基板ボックス（第１部材）１０２の可動ベース部２０３への係止を解除できるようになっている。
【０１５８】
第１被挿入部材（第３部材）３１０は、後述する固定ピン（規制手段）３０１及び第２被挿入部材３３０との協働によって主制御装置１０１を可動ベース部２０３に固定する固定手段３００を構成するものであり、係止部２８５の左右両側に、複数（本実施の形態では４つ）が横一列に並ぶように可動ベース部２０３に取り付けられる。第１被挿入部材（第３部材）３１０を可動ベース部２０３に取り付ける嵌合部３２１は、可動ベース部２０３の底板部２６１から後方に突出するように形成されており、可動ベース部２０３が起立姿勢位置にあるときには、図１０に示すように、固定ベース部２０２の切欠部２２１によって形成された空きスペースに収容されて、固定ベース部２０２の底板部２１１との干渉を避けるようになっている。尚、第１被挿入部材（第３部材）３１０の詳細な構成については、固定手段３００の構成を説明する際に合わせて説明する。
【０１５９】
上記構成を有する可動ベース部２０３は、可動ベース部２０３の回動軸部２６５と固定ベース部２０２の軸支板部２４３、２４４とが位置合わせされ、ボス板部２８２の軸孔２８２ａ、軸支板部２４３、２４４の軸孔２４３ａ、２４４ａ及び回動軸部２６５の軸孔２６５ａに支持ピン２０７が挿通されて、固定ベース部２０２に回動可能に支持される。
【０１６０】
具体的には、可動ベース部２０３の右端部側については、例えば図１７に示すように、回動軸部２６５の側端面とボス板部２８２との間に軸支板２４４を挿入し、回動軸部２６５の軸孔２６５ａと軸支板部２４４の軸孔２４４ａを位置合わせし、支持ピン２０７をボス板部２８２の軸孔２８２ａから軸支板２４４の軸孔２４４ａを通して回動軸部２６５の軸孔２６５ａに挿入して取り付けることにより、固定ベース部２０２に回動自在に支持される。
【０１６１】
同様に、可動ベース部２０３の左端部側については、特に図示していないが、回動軸部２６５の側端面とボス板部２８２との間に軸支板部２４３を挿入し、回動軸部２６５の軸孔２６５ａと軸支板部２４３の軸孔２４３ａを位置合わせし、支持ピン２０７をボス板部２８２の軸孔２８２ａから軸支板部２４３の軸孔２４３ａを通して回動軸部２６５の軸孔２６５ａに挿通して取り付けることにより、固定ベース部２０２に回動自在に支持される。
【０１６２】
軸支板部２４３、２４４の軸孔２４３ａ、２４４ａの内径と補強プレート２７１の軸支板部２７３の軸孔２７３ａの内径は、支持ピン２０７の外径よりもわずかに大きく、ボス板部２８２の軸孔２８２ａと回動軸部２６５の軸孔２６５ａの内径は、支持ピン２０７の外径よりもわずかに小さく形成されており、支持ピン２０７はボス板部２８２の軸孔２８２ａと回動軸部２６５の軸孔２６５ａに圧入される。
【０１６３】
このとき、支持ピン２０７の頭部は、ボス板部２８２の側端面と面一、若しくは軸孔２８２ａ内に没入し、支持ピン２０７の抜き外しができない状態とされ、固定ベース部２０２に対して可動ベース部２０３を回動可能であるが、分離できないようになっている。
【０１６４】
支持ピン２０７は、例えば可動ベース部２０３の右端部側では、軸支板２４４を間に介して、支持ピン２０７の軸方向両側を側板部２６４とボス板部２８２によって支持される。そして、可動ベースｂ２０３の左端部側では、軸支板部２４３を間に介して、支持ピン２０７の軸方向両側を側板部２６３とボス板部２８２によって支持される。したがって、支持ピン２０７を可動ベース部２０３に強固に支持させることができ、可動ベース部２０３を固定ベース部２０２に支持する支持剛性を強くし、可動ベース部２０３を固定ベース部２０２に安定して支持することができる。
【０１６５】
固定ベース部２０２に回動自在に支持された可動ベース部２０３は、図１５（ａ）に示すように、係止爪部２３１により固定ベース部２０２の底板部２１１の表面側に沿って底板部２１１が垂直に延在する起立姿勢位置に位置決め保持される。そして、図１５（ｂ）に示すように、係止爪部２３１による係止を解除しかつ前方へ傾倒させることにより、起立姿勢位置から約６０度だけ前方に傾倒した位置で回動軸部２６５の当接部２６９がカバー板部２５１の回動ストッパ２５３に当接し、傾倒姿勢位置に位置決め保持される。
【０１６６】
可動ベース部２０３は、起立姿勢位置から傾倒されると、重力によって下方に向かって回動する力が作用し、傾倒姿勢位置まで回動して、傾倒姿勢位置で当接部２６９が回動ストッパ２５３に当接する。したがって、可動ベース部２０３を傾倒姿勢位置に必ず位置決め保持することができる。
【０１６７】
上述のように回動軸部２６５の左端部及び右端部には、図１７に示すように、軸孔２６５ａが設けられており、金属製材料からなる支持ピン２０７が各々挿入されている。そして、支持ピン２０７の先端部側は、スリット溝２６８に差し込まれた補強プレート２７１の軸支板部２７３に開口する軸孔２７３ａを通過して更に奥まで挿入されている。
【０１６８】
それから、回動軸部２６５の左端部及び右端部の軸方向外側位置には、金属製材料からなる固定ベース部２０２の軸支板部２４３、２４４が配置されており、支持ピン２０７の基端部側が軸支板部２４３、２４４の軸孔２４３ａ、２４４ａに挿入されて支持されている。したがって、回動軸部２６５の左端部及び右端部は、回動軸部２６５の軸方向中央部分よりも高い剛性を有している。
【０１６９】
そして、その回動軸部２６５の左端部及び右端部には、可動ベース部２０３の回動ストッパ２５３に当接する当接部２６９が設けられている。したがって、回動ストッパ２５３を確実に受け止めることができ、可動ベース部２０３を傾倒姿勢位置に安定して位置決め保持することができる。
【０１７０】
可動ベース部２０３を固定ベース部２０２に回動自在に支持すると、起立板部２４２は、回動軸部２６５の下方位置を通過して先端部が回動軸部２６５よりも筐体２の正面側に突出する位置に配置される。そして、カバー板部２５１は、回動軸部２６５の筐体正面側に対向して回動軸部２６５の軸方向に沿って延在する。
【０１７１】
したがって、可動ベース部２０３の回動軸部２６５と起立板部２４２との間の間隙を、図１６（ａ）及び図１６（ｂ）に示すように、起立姿勢位置及び傾倒姿勢位置の何れにおいても、カバー板部２５１によって筐体２の正面側から覆い隠される。
【０１７２】
したがって、カバー板部２５１によって回動軸部２６５を、筐体２の正面側から覆い隠すことができ、工具等を用いた回動軸部２６５の破壊行為を予防することができる。
【０１７３】
また、カバー板部２５１の上端部２５２が、回動軸部２６５の回動中心軸線よりも若干高い位置になるように形成されている。このように、カバー板部２５１の上端部２５１の高さ位置を回動軸部２６５の回動中心軸線と同一若しくはそれ以上の高さ位置に設定することで、回動軸部２６５とカバー板部２５１との間の間隙を最小限のものとしている。
【０１７４】
したがって、回動軸部２６５と起立板部２４２との間や回動軸部２６５とカバー板部２５１との間に、バールやスクリュードライバーなどの工具の先端が差し込まれるのを防ぎ、てこの原理を利用して工具をこじる等の回動軸部２６５の破壊行為を防ぐことができる。
【０１７５】
更に、本実施の形態では、底板部２１１の上端部を筐体２の天板２ａに当接させた状態で固定ベース部２０２を背板２ｃに固定する構成を採用していることから（例えば、図１８を参照）、回動軸部２６５の回動中心軸線と天板２ａとの間隔が狭く、回動軸部２６５とカバー板部２５１との間隙に上方からスクリュードライバー等の棒状の工具を挿入可能なスペースを確保することができない。
【０１７６】
したがって、工具等を用いた回動軸部２６５の破壊による可動ベース部２０３の固定ベース部２０２からの切り離しを困難なものとし、主基板１０３が可動ベース部２０３と共に持ち去られるのを抑制することができる。
【０１７７】
また、軸支板部２４３、２４４の外側、すなわち筐体２の横幅方向外側がボス板部２８２によって覆われてカバーされている（図７を参照）。したがって、工具等を用いて軸支板部２４３、２４４が破壊されるのを防ぐことができ、軸支板部２４３、２４４の破壊により可動ベース部２０３が固定ベース部２０２から切り離されて、主制御装置１０１が可動ベース部２０３と共に持ち去られるのを抑制することができる。
【０１７８】
また、カバー板部２５１は、起立板部２４２の先端部で上方に向かって折曲することによって形成することができるので、簡単に設けることができ、何ら特別な部品を後付けする必要がなく、低コストで実施できるという利点も有している。
【０１７９】
上記構成を有する台座装置（第２部材）２０１は、例えば図１３に示すように、固定ベース部２０２に可動ベース部２０３を回動自在に支持した状態で、固定ベース部２０２の表面側から第１取付面部２１４の底孔部２１４ａに取付ネジが挿通され、更に、可動ベース部２０３を起立姿勢位置に位置決め保持した状態で、可動ベース部２０３の窓孔部２７４ａ、２６１ａ及び底板部２１１の開口穴２１１ａを通して第３取付面部２２５の底孔部２２５ａに取付ネジが挿通され、背板２ｃ内側の各々対応する箇所に予め設けられているナット部（図示せず）に螺入されることで、背板２ｃに固定される。取付ネジは、筐体２の正面側から筐体内に挿入されたスクリュードライバー等の工具先端と係合し、工具をその回転中心軸線が筐体２の前後方向に延在する状態で回すことにより螺入される。
【０１８０】
また、筐体２の背板２ｃに予め形成された挿通孔（図示せず）に、筐体２の後方からネジ（図示せず）を挿入し、そのネジ先端部を背板２ｃから筐体２内に突出させ、固定ベース部２０２裏面の第２取付面部２２３に設けられたネジ孔２２３ａに螺入する。したがって、固定ベース部２０２は、背板２ｃに対して前方及び後方の両方から固定される。
【０１８１】
これにより、仮に背板２ｃの前方からの取付ネジが取り外されたとしても、背板２ｃの後方からのネジも取り外さない限りは固定ベース部２０２を背板２ｃから取り外すことができないようになっており、固定ベース部２０２の取り外しをより困難なものとし、主基板ユニット１００の盗難防止を図っている。
【０１８２】
特に、基板ボックス（第１部材）１０２を可動ベース部２０３に保持した状態では、可動ベース部２０３の窓孔部２７４ａ、２６１ａが基板ボックス（第１部材）１０２によって閉塞され、可動ベース部２０３の前方から窓孔部２７４ａ、２６１ａにスクリュードライバの先端を差し込むことができない。
【０１８３】
また、第３取付面部２２５の底孔部２２５ａ及び底板部２１１の開口穴２１１ａは、回動中心軸線の近傍位置である、台座装置（第２部材）２０１の下部側に設けられていることから、可動ベース部２０３を傾倒姿勢位置に位置決め保持した状態では、起立姿勢位置から約６０度だけ前方に傾倒した可動ベース部２０３が邪魔となり、底板部２１１の開口穴２１１ａにスクリュードライバの先端を差し込むことができない。
【０１８４】
したがって、主制御装置１０１が可動ベース部２０３に取り付けられたままでは、起立姿勢位置及び傾倒姿勢位置の何れにおいても、第３取付面部２２５の底孔部２２５ａに挿通された取付ネジを取り外すことはできない。したがって、主基板ユニット１００の盗難を防ぐことができる。
【０１８５】
次に、主制御装置１０１の構成について、図１４に基づいて以下に説明する。尚、以下の説明では、一対のケース体１１０、１２０のうち、筐体２内で表側に位置するケース体１１０を表ケース体１１０とし、裏側に位置するケース体１２０を裏ケース体１２０として説明する。
【０１８６】
主制御装置１０１の主基板１０３上には、図示しない配線パターンが施されると共に、ＣＰＵやＲＯＭ等のＩＣチップを含む各種電子部品、ソケット１０４等が実装されている。主基板１０３は、対角線上に位置する隅角部に設けられた一対の小孔１０３ａを通過してネジ１０６により表ケース体１１０側に固定されるようになっている。
【０１８７】
表ケース体１１０は、主基板１０３上の比較的背の高い電子部品等を収容可能とする主基板収容部１１１を有しており、その周縁部には、一段低い段部１１２が形成されている。
【０１８８】
主基板収容部１１１の表面には、後述する分解封印部１４１等の封印履歴等が記載される封印履歴記録シートを貼付するための貼付枠１１１ａが凹設されている。そして、段部１１２には、主基板１０３上のソケット１０４を挿通させるための複数のソケット挿通孔１１２ａが形成されている。
【０１８９】
表ケース体１１０の左端部及び右端部には、複数の長孔１１３が所定間隔をおいて上下に一列に並ぶように設けられている。表ケース体１１０の上部には、横長矩形の角孔部１１４が開口形成されており、その角孔部１１４内には、分解封印部１４１の封印部材１４２が左右に離間した位置にそれぞれ設けられている。封印部材１４２は、封印ピン１３０を挿入可能な内径を有する筒状体をなし、角孔部１１４内で上下に延在するゲート部１１６によって表ケース体１１０に連結されている。このゲート部１１６は、ニッパなどの工具で切断でき、切断によって封印部材１４２を表ケース体１１０から分離できるようになっている。
【０１９０】
表ケース体１１０の下部右側には、固定面１１７が形成されており、基板ボックス（第１部材）を可動ベース部２０３に固定するためのネジ孔部１１７ａが螺設されている。固定面１１７は、表ケース体１１０の表側で基板ボックス（第１部材）１０２のスライド移動方向に沿って延在し、基板ボックス（第１部材）１０２の可動ベース部２０３への保持により、可動ベース部２０３の固定用フランジ２８４の裏面に対向して重なり合う平面形状を有している。
【０１９１】
ネジ孔部１１７ａは、基板ボックス（第１部材）１０２を可動ベース部２０３に保持した際に、固定用フランジ２８４の貫通孔２８４ａの位置と一致し、その中心軸線が貫通孔２８４ａの中心軸線と同軸上に延在して貫通孔２８４ａと連通する位置に形成されている。そして、固定ネジ２８９を、互いに連通する貫通孔２８４ａとネジ孔部１１７ａに前方から挿着し、ネジ孔部１１７ａに螺入することによって基板ボックス（第１部材）１０２に係止できるようになっている。
【０１９２】
固定ネジ２８９は、貫通孔２８４ａ及びネジ孔部１１７ａへの挿着によって、基板ボックス（第１部材）１０２のスライド移動方向に直交しかつ回動中心軸線に直交する方向に沿って延在する。したがって、基板ボックス（第１部材）１０２の可動ベース部２０３から取り出す方向へのスライド移動を規制することができ、保持手段２０４により保持された基板ボックス（第１部材）１０２を可動ベース部２０３に固定することができる。
【０１９３】
本実施の形態では、固定面１１７が表ケース体１１０の下部右側に設けられ、固定ネジ２８９の螺入を筐体の前方側から行うことができるので、右利きの作業者にとっては、スクリュードライバなどの工具を回しやすく、簡単に固定作業を行うことができる。
【０１９４】
また、前面扉３は、筐体２の左端部に支持されていることから、前面扉３を開くことによって、固定面１１７と対向する側である筐体２の左端部側、すなわち、固定面１１７と反対側に移動し、固定面１１７側が大きく開放される。したがって、固定面１１７周辺の作業スペースを広く確保することができ、固定ネジ２８９の固定作業及び取外作業を容易に行うことができる。したがって、主制御装置１０１の基板ボックス（第１部材）１０２を台座装置（第２部材）２０１の可動ベース部２０３に固定する固定作業及び固定解除作業を容易に行うことができる。
【０１９５】
また、可動ベース部２０３の貫通孔２８４ａが回動中心軸線の近傍位置に設けられ、その貫通孔２８４ａに連通する基板ボックス（第１部材）１０２のネジ孔部１１７ａが基板ボックス（第１部材）１０２を可動ベース部２０３に保持させる際のスライド移動方向先頭側に配置されているので、基板ボックス（第１部材）１０２を回動中心軸線に接近する方向にスライド移動させて可動ベース部２０３に保持させる際に固定用フランジ２８４に対向する基板ボックス（第１部材）１０２の固定面１１７の長さを、基板ボックス（第１部材）１０２のスライド移動方向に沿って長く形成する必要がなく、より短い距離とすることができ、基板ボックス（第１部材）１０２の形状を簡単なものにすることができる。
【０１９６】
固定面１１７の側方位置には、基板ボックス（第１部材）１０２の可動ベース部２０３への固定時に、固定用フランジ２８４の表面側と面一に連続して延在する平面部１１８が形成されている。
【０１９７】
平面部１１８は、固定用フランジ２８４と共に、封印シール（図示せず）のシール貼付面を構成するように形成されている。封印シールは、基板ボックス（第１部材）１０２の表面側から平面部１１８と固定用フランジ２８４に跨るように貼付され、一旦剥がされると封印シールから粘着剤が剥がれ、再度貼付することができず、シール貼付面に剥がされた形跡を残すものであり、基板ボックス（第１部材）１０２の固定の封印が解かれたか否かを確認できる。
【０１９８】
一方、裏ケース体１２０は、表ケース体１１０に取り付けられた主基板１０３の裏面に対向する底板部１２１を有している。そして、その底板部１２１の左端部及び右端部には、基板高さ方向に起立して先端部がＬ字状に形成された複数の引掛部１２２が形成されており、これら複数の引掛部１２２と表ケース体１１０の長孔１１３との係合により、表ケース体１１０と裏ケース体１２０とが組み合わされるようになっている。
【０１９９】
裏ケース体１２０の引掛部１２２は、表ケース体１１０と裏ケース体１２０を互いに重ね合わせることによって表ケース体１１０の長孔１１３に挿通され、表ケース体１１０に対して裏ケース体１２０を相対的に上方にスライド移動させることによって、表ケース体１１０の長孔１１３と係合するようになっている。引掛部１２２の長孔１１３への係合により、表ケース体１１０と裏ケース体１２０が合体して中空箱状の基板ボックス（第１部材）１０２が形成される。
【０２００】
そして、表ケース体１１０を裏ケース体１２０に対して相対的に上方にスライド移動させることによって、引掛部１２２の長孔１１３への係止を解除でき、表面側と裏面側とに離反させることで基板ボックス（第１部材）１０２を表ケース体１１０と裏ケース体１２０に分解でき、基板ボックス（第１部材）１０２内に収容されている主基板１０３を取り出すことが可能となる。
【０２０１】
表ケース体１１０と裏ケース体１２０は、合体されて基板ボックス（第１部材）１０２を形成した状態で、結合ネジ１３２、１３３によって結合され、相対的な上下のスライド移動が規制される。
【０２０２】
表ケース体１１０の上端部左側位置には、裏ケース体１２０とネジ結合するための結合ネジ孔部１１９が設けられている。結合ネジ孔部１１９は、表ケース体１１０の裏面側にネジ孔が螺設されており、裏ケース体１２０の対応する箇所に穿設された貫通孔に結合ネジ１３２を挿通し、表ケース体１１０の結合ネジ孔部１１９に螺入することによって、裏ケース体１２０を表ケース体１１０に結合し、表ケース体１１０と裏ケース体１２０との相対的な上下のスライド移動を規制することができる。
【０２０３】
裏ケース体１２０の上端部右側位置には、表ケース体１１０とネジ結合するための結合ネジ孔部１２８が設けられている。結合ネジ孔部１２８は、裏ケース体１２０の表面側にネジ穴が螺設されており、表ケース体１１０の対応する箇所に穿設された貫通孔１１０ａに結合ネジ１３３を挿通し、裏ケース体１２０の結合ネジ孔部１２８に螺入することによって、表ケース体１１０を裏ケース体１２０に結合することができる。
【０２０４】
したがって、これら結合ネジ１３２、１３３の取り付けにより、表ケース体１１０と裏ケース体１２０との相対的な上下のスライド移動を防ぎ、基板ボックス（第１部材）１２０が表ケース体１１０と裏ケース体１２０に分解されるのを不可能とする一方、結合ネジ１３２、１３３の取り外しにより、表ケース体１１０と裏ケース体１２０との相対的な上下のスライド移動を許容し、基板ボックス（第１部材）１０２を表ケース体１１０と裏ケース体１２０に分解することができる。
【０２０５】
裏ケース体１２０の上部には横長矩形の角孔部１２３が開口形成されており、その角孔部１２３内には、分解封印部１４１の封印部材１４３が設けられている。封印部材１４３は、角孔部１２３内で左右に離間した位置にそれぞれ設けられている。封印部材１４３は、封印ピン１３０を挿入可能な内径を有する筒状体をなし、角孔部１２３内を上下に延在するゲート部１２５によって裏ケース体１２０に連結されている。
【０２０６】
このゲート部１２５は、ニッパなどの工具で切断でき、切断によって封印部材１４３を裏ケース体１２０から分離できるように構成されている。各封印部材１４３は、表ケース体１１０と裏ケース体１２０を互いに組み合わせることにより、表ケース体１１０の封印部材１４２と同軸上に連続する位置にそれぞれ設けられている。
【０２０７】
そして、同軸上に連続する封印部材１４２と封印部材１４３に表ケース体１１０側から封印ピン１３０を装着することにより、基板ボックス（第１部材）１０２を表ケース体１１０と裏ケース体１２０に分解できないように封印する分解封印部１４１を構成する。
【０２０８】
この封印ピン１３０は、表ケース体１１０の封印部材１４２内に封印ピン１３０の基端側部分が挿入されて係止され、裏ケース体１２０の封印部材１４３内に封印ピン１３０の先端側部分が挿入されて係止される。そして、かかる係止状態で、表ケース体１１０と裏ケース体１２０との相対的な上下のスライド移動を規制し、基板ボックス（第１部材）１０２が表ケース体１１０と裏ケース体１２０とに不正に分解されるのを防ぐことができる。そして封印ピン１３０は、装着後に取り外して再利用することが不可能な構成を有している。
【０２０９】
そして、表ケース体１１０のゲート部１１６と、裏ケース体１２０のゲート部１２５をニッパなどの工具で切断し、封印部材１４２を表ケース体１１０から分離し、そして、封印部材１４３を裏ケース体１２０から分離することによって、分解封印部１４１による封印を解除することができる。
【０２１０】
尚、本実施の形態では、ゲート部１１６、ゲート部１２５の順番で切断し、封印部材１４２、１４３の両方を分離して分解封印部１４１の封印を解除しているが、これに限られるものではなく、封印部材１４２、１４３のいずれか一方だけを分離することでも分解封印部１４１による封印を解除できる。
【０２１１】
分解封印部１４１による封印を解除することにより、表ケース体１１０と裏ケース体１２０との相対的な上下のスライド移動が許容され、基板ボックス（第１部材）１０２を表ケース体１１０と裏ケース体１２０に分解することが可能になる。
【０２１２】
上述のように、分解封印部１４１により封印した後に基板ボックス（第１部材）１０２を表ケース体１１０と裏ケース体１２０に分解するためには、封印部材１４２、１４３を分離してその封印を解除しなければならない。
【０２１３】
封印部材１４２、１４３を分離すると、基板ボックス（第１部材）１０２には封印部材１４２、１４３を分離した形跡が明確に残される。換言すれば、基板ボックス（第１部材）１０２に封印部材１４２、１４３の分離の形跡を残さない限り、基板ボックス（第１部材）１０２を表ケース体１１０と裏ケース体１２０に分解することはできない。したがって、封印部材１４２、１４３の分離の形跡を見ることによって、基板ボックス（第１部材）１０２の分解の事実及びその回数を容易に把握することができる。
【０２１４】
そして、貼付枠１１１ａに貼付された封印履歴記録シートには、分解封印部１４１によって封印した日時及び封印した者の氏名が記載されるように定められている。したがって、シートの記載内容と、封印部材１４２、１４３の分離の形跡を見比べることで、基板ボックス（第１部材）１０２の不正な分解がなされていないかを容易に判断することができる。尚、本実施の形態では、分解封印部１４１において、複数ある封印部分の何れを使用するかは予め順番が定められており、例えば左側の封印が最初に行われる。
【０２１５】
また、角孔部１２３内には、固定手段３００の第２被挿入部材３３０が設けられている。第２被挿入部材３３０は、角孔部１２３内で左右一列に並ぶように複数設けられている。各第２被挿入部材３３０は、基板ボックス（第１部材）１２０を可動ベース部２０３に取り付けた状態で、可動ベース部２０３の第１被挿入部材（第３部材）３１０と対向して同軸上に連続する位置に設けられている。
【０２１６】
そして、同軸上に連続する第２被挿入部材３３０と第１被挿入部材（第３部材）３１０に基板ボックス（第１部材）１０２側から固定ピン（規制手段）３０１を挿入することにより、基板ボックス（第１部材）１０２を可動ベース部２０３から取り外すことができないように固定する固定手段３００を構成する。
【０２１７】
固定ピン（規制手段）３０１は、第２被挿入部材３３０に固定ピン（規制手段）３０１の基端側部分が挿入されて係止され、可動ベース部２０３の第１被挿入部材（第３部材）３１０に固定ピン（規制手段）３０１の先端側部分が挿入されて係止される。そして、かかる係止状態で、可動ベース部２０３に対する基板ボックス（第１部材）１０２の取外方向へのスライド移動を規制し、基板ボックス（第１部材）１０２が可動ベース部２０３から不正に取り外されるのを防ぐことができる。
【０２１８】
一方、基板ボックス（第１部材）１０２を可動ベース部２０３から適切に取り外す場合は、第２被挿入部材３３０を基板ボックス（第１部材）１０２から分離し、第１被挿入部材（第３部材）３１０を可動ベース部２０３から分離して、第１被挿入部材（第３部材）３１０と第２被挿入部材３３０に固定ピン（規制手段）３０１が挿入された状態のまま取り出す。これにより、基板ボックス（第１部材）１０２の可動ベース部２０３に対する取外方向へのスライド移動が許容され、基板ボックス（第１部材）１０２を可動ベース部２０３から取り外すことが可能となる。
【０２１９】
上述のように、固定手段３００によって可動ベース部２０３に固定された基板ボックス（第１部材）１０２を可動ベース部２０３から取り外すためには、第２被挿入部材３３０を基板ボックス（第１部材）１０２から分離する必要がある。
【０２２０】
第２被挿入部材３３０を分離すると、基板ボックス（第１部材）１０２には第２被挿入部材３３０を分離した形跡が明確に残される。換言すれば、基板ボックス（第１部材）１０２に分離の形跡を残さない限り、基板ボックス（第１部材）１０２を可動ベース部２０３から取り外すことはできない。したがって、第２被挿入部材３３０の分離の形跡を見ることによって、基板ボックス（第１部材）１０２の可動ベース部２０３からの取り外しの事実及びその回数を容易に把握することができる。
【０２２１】
そして、貼付枠１１１ａに貼付された封印履歴記録シートには、履歴情報として、固定手段３００によって固定した日時及び固定した者の氏名等が記載されるように定められている。したがって、シートの記載内容と、第２被挿入部材３３０の分離の形跡を見比べることで、基板ボックス（第１部材）１０２の不正な取り外しがなされていないかを容易に判断することができる。本実施の形態では、複数の第１被挿入部材（第３部材）３１０及び第２被挿入部材３３０の何れを使用するかは予め順番が定められており、例えば左側から右側に向かって順に１つずつ使用される。
【０２２２】
これらの分解封印部１４１及び固定手段３００は、例えば以下のように使用される。まず、スロットマシン１の製造時において、主基板１０３が基板ボックス（第１部材）１０２内に収容されて主制御装置１０１が組み立てられると、一対の分解封印部１４１のうちの一つによって、基板ボックス（第１部材）１０２を表ケース体１１０と裏ケース体１２０に分解できないように封印される（例えば図６に示す「Ａ」が封印される）。
【０２２３】
そして、主制御装置１０１が台座装置（第２部材）２０１に装着されると、複数の固定手段３００のうちの一つによって、基板ボックス（第１部材）１０２を可動ベース部２０３から取り外すことができないように固定される（例えば図６に示す「Ｂ」が固定される）。
【０２２４】
そして、主制御装置１０１の不具合発生や検査等により、主基板１０３を基板ボックス（第１部材）１０２から取り外す場合、主制御装置１０１に対する作業が初回のときは、固定手段３００による固定が最初に解かれて主制御装置１０１が台座装置（第２部材）２０１から取り外され、次いで分解封印部１４１による封印が解かれて主基板１０３が基板ボックス（第１部材）１０２内から取り外される（例えば図６に示す「Ａ」の封印と「Ｂ」の固定が解除される）。
【０２２５】
主基板１０３の修理や点検等が終了すると、主基板１０３が基板ボックス（第１部材）１０２内に収容されて、可動ベース部２０３に装着される。そして、取外作業により分離された第２被挿入部材３３０とは別の第２被挿入部材３３０を使用して固定される（例えば図６に示す「Ｃ」が固定される）。
【０２２６】
この固定手段３００により、基板ボックス（第１部材）１０２は、可動ベース部２０３に固定され、かかる固定状態では基板ボックス（第１部材）１０２を可動ベース部２０３から引き出して取り外すことができないので、基板ボックス（第１部材）１０２を表ケース体１１０と裏ケース体１２０に分解することもできない。したがって、結果として表ケース体１１０と裏ケース体１２０との組み立て状態が維持され、基板ボックス（第１部材）１０２内に主基板１０３が封印された状態で収容される。
【０２２７】
そして、次に主基板１０３を基板ボックス（第１部材）１０２から取り外す場合など、主制御装置１０１に対する作業が２回目以降のときは、固定手段３００による固定が解かれて、基板ボックス（第１部材）１０２と可動ベース部２０３との結合が解除され、主制御装置１０１を台座装置（第２部材）２０１から取り外すことができる。
【０２２８】
主制御装置１０１が台座装置（第２部材）２０１から取り外され、分解封印部１４１による封印が解かれると、表ケース体１１０と裏ケース体１２０とを相対的に上下にスライド移動させることが可能となり、基板ボックス（第１部材）１０２を表ケース体１１０と裏ケース体１２０に分解して、主基板１０３を取り外すことができる。
【０２２９】
そして、主基板１０３の修理や点検等が終了すると、上述のように取外作業により分離された第２被挿入部材３３０とは別の第２被挿入部材３３０を使用して固定される（例えば図６に示す「Ｄ」が固定される）。
【０２３０】
上記固定及び固定解除の繰り返しにより、全ての固定手段３００（例えば図６に示す「Ｂ」、「Ｃ」、「Ｄ」、「Ｅ」）の第２被挿入部材３３０が分離された場合には、一対の分解封印部１４１のうちの他方の分解封印部１４１（例えば図６に示す「Ｆ」）が封印され、スロットマシン１の製造元等に発送される。スロットマシン１の製造元等では、分解封印部１４１の封印を解いて基板ボックス（第１部材）１０２を表ケース体１１０と裏ケース体１２０に分解し、主基板１０３を取り出して基板ボックス（第１部材）１０２を交換し、分解封印部１４１のうちの一つを封印して発送元に返送する。
【０２３１】
次に、主基板ユニット１００を筐体２の背板２ｃに取り付けた状態で主制御装置１０１を台座装置（第２部材）２０１から取り外す手順を図１８に基づいて以下に説明する。
【０２３２】
図１８は主制御装置１０１を台座装置（第２部材）１０２から取り外す手順を示す図であり、図１８（ａ）は、可動ベース部２０３が起立姿勢位置に位置決め保持された状態を示し、図１８（ｂ）は、可動ベース部２０３が傾倒姿勢位置に位置決め保持された状態を示し、図１８（ｃ）は、可動ベース部２０３から主制御装置１０１を取り出す状態を示している。
【０２３３】
主基板ユニット１００は、台座装置（第２部材）２０１の固定ベース部２０２が筐体２の背板２ｃに固定されて、可動ベース部２０３が筐体２の横幅方向に延在する回動中心軸線を中心として回動可能に支持されて回動によって起立姿勢位置と傾倒姿勢位置に選択的に配置できるように筐体２に取り付けられている。
【０２３４】
そして、図１８（ａ）に示す状態では、台座装置（第２部材）２０１の可動ベース部２０３は、起立姿勢位置決め保持手段２０５を構成する左右の係止爪部２３１によって起立姿勢位置に位置決め保持されている。
【０２３５】
かかる状態で、各係止爪部２３１を互いに離反する左右方向に弾性変形させて、係止爪部２３１による可動ベース部２０３の係止を解除し、可動ベース部２０３の先端部側を筐体２の正面側に引き出すように回動させる。これにより、可動ベース部２０３は、支持ピン２０７を回動中心として筐体２の正面側に傾倒し、図１８（ｂ）に示すように、当接部２６９がカバー板部２５１の回動ストッパ２５３に当接して起立姿勢位置から約６０度の回動角度だけ傾倒した傾倒姿勢位置に位置決め保持される。
【０２３６】
そして、係止部２８５の係止片２８６を弾性変形させて突起部１２１ａの係止孔２８７への係入を解き、基板ボックス（第１部材）１０２の可動ベース部２０３への係止を解除してから、図１８（ｃ）に示すように、主制御装置１０１を可動ベース部２０３の底板部２１１に沿って予め設定された摺接方向である載置部２６２から離反する方向、換言すると、回動軸部２６５の回動中心軸線に直交して離反する方向にスライド移動させ、可動ベース部２０３から引き出して取り外す。主制御装置１０１の台座装置（第２部材）２０１への取り付けは、上記取り外し手順を逆に行うことによりできる。
【０２３７】
上述の台座装置（第２部材）２０１は、起立姿勢位置に位置決め保持された可動ベース部２０３を、筐体２の正面側に傾倒する方向に回動させて、傾倒姿勢位置に位置決め保持できる。すなわち、可動ベース部２０３は、起立姿勢位置から筐体２の正面側に傾倒されると、重力によって下方に向かって回動する力が作用し、傾倒姿勢位置まで回動して、傾倒姿勢位置で当接部２６９が回動ストッパ２５３に当接する。したがって、可動ベース部２０３を予め設定された傾倒姿勢位置に必ず位置決め保持することができる。
【０２３８】
したがって、基板ボックス（第１部材）１０２の可動ベース部２０３からの取外作業や可動ベース部２０３への取付作業を行うときに、他方の手で可動ベース部２０３を支持して位置決め固定する必要がない。したがって、基板ボックス（第１部材）１０２の可動ベース部２０３への取付作業及び取外作業を容易なものとし、取付作業においては基板ボックス（第１部材）１０２を可動ベース部２０３に取り付け易いという効果を得る。したがって、これらの作業時間の短縮を図ることができる。
【０２３９】
そして、可動ベース部２０３を起立姿勢位置と傾倒姿勢位置とに選択的に配置できることから、起立姿勢位置では、筐体２の正面側から基板ボックス（第１部材）１０２の表ケース部１１０を透過して主基板１０３の表面を視認でき、傾倒姿勢位置では、筐体２の正面側でかつ上側から可動ベース部２０３の底板部２１１及び基板ボックス（第１部材）１０２の裏ケース部１２０を透過して主基板１０３の裏面を視認できる。
【０２４０】
したがって、主基板１０３の表面と裏面の何れも筐体２の正面側から視認することができ、主基板１０３の裏面を視認する際に、筐体２の横方向からのぞき込む必要がなく、筐体２の正面側でかつ上方から視認できる。
【０２４１】
特に、本実施の形態では、前面扉３が筐体２に横開き方向に回動して筐体２の正面側を閉塞するように設けられていることから、そのような前面扉３などの障害物がない、筐体２の正面側でかつ上方から視認できる。したがって、前面扉３に邪魔されることなく、主基板１０３の裏面を視認でき、主基板１０３の表面と裏面の両側の視認作業を容易に行うことができる。したがって、主基板１０３に対して不正な利益を得ることを目的とした改造等が行われているか否かの確認作業を容易に行うことができる。
【０２４２】
図１９は、台座装置（第２部材）２０１の平面図、図２０は、図１９のｉｖ−ｉｖ線断面図である。基板ボックス（第１部材）１０２の裏ケース体１２０には、フランジ１２６が設けられている。
【０２４３】
フランジ１２６は、第２被挿入部材３３０の上方位置に設けられており、裏ケース体１２０から後方に向かって突出している（図２２を参照）。そして、基板ボックス（第１部材）１０２を可動ベース部２０３に取り付けた状態で、可動ベース部２０３の底板部２６１よりも上方に位置し、底板部２６１よりも後方の位置まで突出するように形成されている。
【０２４４】
したがって、基板ボックス（第１部材）１０２を可動ベース部２０３に取り付けることによって、第１被挿入部材（第３部材）３１０から第２被挿入部材３３０に亘る部位の上方に位置し、裏ケース体１２０と底板部２６１との間の合わせ目部分を基板ボックス（第１部材）１０２の上方から覆い隠すことができる。したがって、裏ケース体１２０と底板部２６１との間にカッターや鋸の刃などを挿入して固定ピン（規制手段）３０１を切断する等の不正操作を防止できる。
【０２４５】
また、フランジ１２６には係止孔１２７が穿設され、可動ベース部２０３には、係止孔１２７に係入する係止部２８８が突設されている。係止孔１２７は、フランジ１２６を上下に貫通して形成されている。本実施の形態では、合計で４個が設けられており、各第２被挿入部材３３０の近傍位置にそれぞれ配置されている。
【０２４６】
係止部２８８は、可動ベース部２０３の底板部２６１から上方に向かって突設されている。そして、基板ボックス（第１部材）１０２を可動ベース部２０３に取り付けた状態で、フランジ１２６の下方から係止孔１２７内に進入し、係止孔１２７内を貫通して先端がフランジ１２６の上方に突出する形状を有する。したがって、基板ボックス（第１部材）１０２を可動ベース部２０３に取り付けることにより、フランジ１２６の下方から係止孔１２７内に係止部２８８を進入させて、係止孔１２７内を貫通してフランジ１２６の上方に突出させることができる。
【０２４７】
したがって、裏ケース体１２０に対して底板部２６１を後方に向かって離間させる方向に付勢した場合であっても、係止部２８８を係止孔１２７内に係止することができ、底板部２６１と裏ケース体１２０との間に隙間が生じるのを防ぐことができる。したがって、フランジ１２６の効果である、裏ケース体１２０と底板部２６１との間にカッターや鋸の刃などを挿入して固定ピン（規制手段）３０１を切断する等の不正操作を防止できるという効果を更に向上させることができる。
【０２４８】
次に、上述の固定手段３００の構成について以下に詳細に説明する。図２１は、固定ピン（規制手段）３０１の斜視図、図２２は、第１被挿入部材（第３部材）３１０の構成を説明する図、図２３は、第１被挿入部材（第３部材）３１０と嵌合部３２１の構成を説明する図、図２４は、第２被挿入部材３３０の構成を説明する図、図２５は、固定手段３００の断面図である。
【０２４９】
固定手段３００は、主制御装置１０１の基板ボックス（第１部材）１０２が台座装置（第２部材）２０１の可動ベース部２０３から不正に取り外される行為を防ぐためのものであり、固定ピン（規制手段）（規制（固定）部材）３０１と、可動ベース部２０３に着脱自在に取り付けられて固定ピン（規制手段）３０１の先端側部分が挿入されて係止される第１被挿入部材（第３部材）３１０と、第１被挿入部材（第３部材）３１０に対向して基板ボックス（第１部材）１０２に配設され固定ピン（規制手段）３０１の基端側部分が挿入される第２被挿入部材３３０を備えている。
【０２５０】
固定ピン（規制手段）３０１は、所定の剛性を有する例えばポリカーボネイトなどの合成樹脂製材料によって構成されている。固定ピン（規制手段）３０１は、一定径を有して軸方向に延在する円柱状の軸部３０２を有している。そして、軸部３０２の基端には、段差を介して拡径された円盤状の鍔部３０３が設けられている。鍔部３０３は、第２被挿入部材３３０の後述する第２挿入孔（第１挿入部）３３３に固定ピン（規制手段）３０１の基端側部分が挿入された状態で第２被挿入部材３３０と当接して固定ピン（規制手段）３０１の挿入方向への移動を規制する当接部を構成する。
【０２５１】
それから、軸部３０２の先端側部分には、腕部３０５を介して先端側係止爪３０４が設けられている。腕部３０５は、軸部３０２の先端から軸方向に沿って延出し、軸部３０２の軸方向に直交する方向に互いに離反するように一対が設けられている。各腕部３０５は、先端側係止爪３０４を互いに接近する方向に付勢することによって弾性変形し、また、付勢力の消失により復元して元の位置に戻すことができるように構成されている。
【０２５２】
先端側係止爪３０４は、固定ピン（規制手段）３０１の先端側部分を第１被挿入部材（第３部材）３１０に挿入した場合に、第１被挿入部材（第３部材）３１０に係止されて固定ピン（規制手段）３０１の抜脱方向への移動を規制する構成を有する。先端側係止爪３０４は、軸部３０２よりも径方向外側に突出するように各腕部３０５の先端に各々設けられている。そして、腕部３０５に対してほぼ垂直面となるように段差状に形成された段差面３０４ａと、腕部３０５の基端側から先端側に移行するにしたがって段差面３０４ａの外縁から軸部３０２の中心に向かって移行するように傾斜した傾斜面３０４ｂを有している。
【０２５３】
段差面３０４ａは、固定ピン（規制手段）３０１を第１被挿入部材（第３部材）３１０の第１挿入孔（第２挿入部）３１４に挿入した場合に、第１被挿入部材（第３部材）３１０の後端面３１０ａに対向できるように平面状に形成されている。
【０２５４】
そして、傾斜面３０４ｂは、固定ピン（規制手段）３０１を第１被挿入部材（第３部材）３１０の第１挿入孔（第２挿入部）３１４に挿入する際に、第１挿入孔（第２挿入部）３１４の内周面に当接して一対の腕部３０５を互いに接近する方向に付勢できるように形成されている。
【０２５５】
第１被挿入部材（第３部材）３１０は、固定ピン（規制手段）３０１と同様に所定の剛性を有する例えばポリカーボネイトなどの合成樹脂製材料からなる。そして、第１挿入孔（第２挿入部）３１４の軸心と交差する方向に分離して第１挿入孔（第２挿入部）３１４の内周面の一部を備えた２個のプレート部材３１１（複数の部材）に分解される構成を有する。本実施の形態では、第１被挿入部材（第３部材）３１０は、正面斜視図である図２２（ａ）及び背面斜視図である図２２（ｂ）、及び図２３に示すように、上下に組み合わされる２個のプレート部材３１１によって構成される。
【０２５６】
プレート部材３１１は、略矩形の平板部３１２を有している。平板部３１２の長手方向略中央位置には、切欠部３１３が形成されている。切欠部３１３は、平板部３１２の短手方向一方側の合わせ面から短手方向他方側に向かって半円状に切り欠いて形成されている。切欠部３１３は、２個のプレート部材３１１を上下に組み合わせた場合に、同一平面上で並列に並べられた２つの平板部３１２の中央位置に、一定径を有して平板部３１２を貫通する第１挿入孔（第２挿入部）３１４を形成するように構成されている。
【０２５７】
そして、第１挿入孔（第２挿入部）３１４が固定ピン（規制手段）３０１の軸部３０２の外径よりも若干大きくかつ一対の先端側係止爪３０４の最大離間距離よりも小さな内径を有し、固定ピン（規制手段）３０１の先端側部分を挿入した場合に固定ピン（規制手段）３０１の腕部３０５との間に若干の間隙を有して内周面が対向するように構成されている。
【０２５８】
また、平板部３１２の長手方向両端部には、第１被挿入部材（第３部材）３１０を可動ベース部２０３の嵌合部３２１に着脱自在に保持させるための保持爪３１５が設けられている。保持爪３１５は、第１被挿入部材（第３部材）３１０を正面側から斜視した図２２（ａ）及び裏面側から斜視した図２２（ｂ）に示すように、平板部３１２から突出する腕部３１６の先端に設けられている。
【０２５９】
腕部３１６は、左右で一対をなし、平板部３１２の合わせ面側（切欠部３１３が設けられている側）にそれぞれ基端が設けられ、平板部３１２に対して直交する方向でかつ互いに平行に延在する。そして、弾性変形により保持爪３１５を互いに接近する方向に向かって移動させ、復元により保持爪３１５を元の位置に戻すことができる弾性力を有している。
【０２６０】
各保持爪３１５は、各腕部３１６の先端で互いに離反する方向に向かって突設されており、腕部３１６に対してほぼ垂直面となるように段差状に形成された段差面３１５ａと、腕部３１６の基端側から先端側に移行するにしたがって段差面３１５ａの外縁から互いに接近する方向に向かって移行する傾斜面３１５ｂを有している。
【０２６１】
上記構成を有する第１被挿入部材（第３部材）３１０は、可動ベース部２０３に設けられた嵌合部３２１に着脱自在に取り付けられる。嵌合部３２１は、可動ベース部２０３の底板部２６１に一体に形成されており、本実施の形態では、底板部２６１の上部中央に合計で４個が左右一列に並ぶように配置されている（図１０及び図１２を参照）。
【０２６２】
嵌合部３２１は、底板部２６１の表面から裏面側に向かって凹設されており、第１被挿入部材（第３部材）３１０を取り付けたときに、プレート部材３１１の平板部３１２が可動ベース部２０３の底板部２６１から表面側に突出しないように保持する構成を有する。このように、プレート部材３１１の平板部３１２の表面が可動ベース部２０３の底板部２６１の表面に突出しないように構成することで、基板ボックス（第１部材）１０２を可動ベース部２０３に対してスライド移動させた際に、基板ボックス（第１部材）１０２が第１被挿入部材（第３部材）３１０に引っ掛かってしまうことを防止できる。
【０２６３】
嵌合部３２１は、図２４に示すように、平板部３１２が嵌め込まれて収容される矩形凹部３２１ａと、矩形凹部３２１ａの略中央位置に凹設される丸穴部３２１ｂと、矩形凹部３２１ａ内でかつ丸穴部３２１ｂの左右両側に沿って穿設されて保持爪３１５が挿入される爪孔部３２１ｃとを有する。
【０２６４】
矩形凹部３２１ａは、平板部３１２の板厚と略同一の深さ寸法を有し、丸穴部３２１ｂは、嵌合部３２１に取り付けられた第１被挿入部材（第３部材）３１０に、固定ピン（規制手段）３０１の先端側係止爪３０４が係止された場合に、先端側係止爪３０４を収容して、底板部２６１の裏面側から覆い隠す大きさを有する（例えば、図２７を参照）。爪孔部３２１ｃは、丸穴部３２１ｂの軸方向に沿って延在し、保持爪３１５の腕部３１５ａよりも若干短い長さ寸法を有し、その底部には開口孔３２１ｄが形成されている。
【０２６５】
開口孔３２１ｄは、爪孔部３２１ｃに保持爪３１５が挿入され、矩形凹部３２１ａに平板部３１２が嵌め込まれて平板部３１２の表面が可動ベース部２０３の底板部２６１の表面と面一とされた状態で、保持爪３１５が開口孔３２１ｄから突出する位置に形成されている。そして更に、一対の爪孔部３２１ｃの最大離間距離が、プレート部材３１１の一対の腕部３１６の最大離間距離と同一若しくは若干短くなるように形成されている。
【０２６６】
そして、プレート部材３１１の一対の腕部３１６を互いに接近する方向に弾性変形させて爪孔部３２１ｃに挿通し、保持爪３１５を開口孔３２１ｄから突出させて、腕部３１６を復元させ、保持爪３１５を嵌合部３２１の後端面に引っ掛けて、第１被挿入部材（第３部材）３１０を嵌合部３２１に取り付けることができる。第１被挿入部材（第３部材）３１０は、第１挿入孔（第２挿入部）３１４が基板ボックス（第１部材）１０２のスライド方向に直交する方向に延在するように嵌合部３２１に取り付けられる。
【０２６７】
そして、第１被挿入部材（第３部材）３１０を嵌合部３２１から取り外すときは、開口孔３２１ｄから突出している一対の保持爪３１５を互いに接近する方向に付勢して、各腕部３１６を弾性変形させ、保持爪３１５の引っ掛かりを外す。そして、第１挿入孔（第２挿入部）３１４の軸心に沿って嵌合部３２１から離反する方向に移動させることによって取り外すことができる。第１被挿入部材（第３部材）３１０の取外作業は、可動ベース部２０３を傾倒姿勢位置に位置決め保持させた状態で、底板部２６１の後方から行うことができる。
【０２６８】
矩形凹部３２１ａと丸穴部３２１ｂは、図２４及び図２７に示すように、後側が閉塞されており、底板部２６１の後方からプレート部材３１１の平板部３１２や固定ピン（規制手段）３０１の先端側係止爪３０４に触れることはできない構造となっている。
【０２６９】
嵌合部３２１の矩形凹部３２１ａ、丸穴部３２１ｂ、爪孔部３２１ｃは、いずれも底板部２６１に対して直交する方向に沿って凹設又は穿設されているので、底板部２６１の表面側と裏面側から挟み込む金型によって形成することができ、可動ベース部２０３を容易に製造することができる。
【０２７０】
第２被挿入部材３３０は、裏ケース体１２０の裏面側の斜視図である図２５（ａ）及びその要部を拡大して示す図である図２５（ｂ）に示すように、基板ボックス（第１部材）１０２の裏ケース体１２０に一体に設けられている。そして、基板ボックス（第１部材）１０２を可動ベース部２０３に保持させた場合に、可動ベース部２０３の各第１被挿入部材（第３部材）３１０に対して基板ボックス（第１部材）１０２のスライド移動方向に直交する方向で且つ第１被挿入部材（第３部材）３１０の平板部３１２にそれぞれ対向するように設けられている。
【０２７１】
第２被挿入部材３３０は、図２５及び図２６に示すように、一定の肉厚を有する略円筒形状を有しており、その中心には、第２挿入孔（第１挿入部）３３３が穿設されている。第２被挿入部材３３０は、裏ケース体１２０の角孔部１２３内にゲート部３３１によって支持されている。
【０２７２】
ゲート部３３１は、角孔部１２３内を上下に亘って架け渡すように設けられており、角孔部１２３内の高さ方向略中央位置に第２被挿入部材３３０を支持する。そして、第２被挿入部材３３０の上方に位置する箇所及び下方に位置する箇所をそれぞれニッパなどの工具で切断することによって、第２被挿入部材３３０を裏ケース体１２０から分離できるように構成されている。
【０２７３】
ゲート部３３１は、第２被挿入部材３３０の中心軸線が裏ケース体１２０の底板部１２１に直交する方向に沿って延在し、第２被挿入部材３３０の後端面３３０ａが底板部１２１の後面と面一に位置するように第２被挿入部材３３０を支持する。
【０２７４】
ゲート部３３１は、第２被挿入部材３３０の左右両側位置でそれぞれ一定厚さ及び一定幅を有して上下に延在し、ゲート部３３１の幅方向後端縁部が第２被挿入部材３３０の後端面３３０ａよりも前側（表ケース体１１０側）の位置に位置し、かつ基板ボックス（第１部材）１０２を可動ベース部２０３に保持させた状態でゲート部３３１の幅方向後端縁部と可動ベース部２０３の底板部２６１との間に所定間隔を有して離間するように設けられている。
【０２７５】
このように、ゲート部３３１の幅方向後端縁部と可動ベース部２０３の底板部２６１との間に所定間隔を設けることによって、例えば表ケース体１１０側から工具を差し入れてゲート部３３１を切断するときに工具をゲート部３３１の幅方向全幅に亘って確実に当接させることができ、ゲート部３３１の切断作業を容易に行うことができる。
【０２７６】
ゲート部３３１は、本実施の形態では、第２被挿入部材３３０の軸方向長さの約半分の横幅を有しており、ゲート部３３１の幅方向前端縁部が第２被挿入部材３３０の前端面と面一となり、ゲート部３３１の幅方向後端縁部が第２被挿入部材３３０の軸方向略中央位置に位置するように形成されている。
【０２７７】
第２被挿入部材３３０は、固定ピン（規制手段）３０１の軸部３０２とほぼ同一の軸方向長さを有している。そして、第２挿入孔（第１挿入部）３３３は、第２被挿入部材３３０を貫通して形成されており、基板ボックス（第１部材）１０２のスライド方向に直交する方向に延在し、基板ボックス（第１部材）１０２が可動ベース部２０３に保持された状態で、第１被挿入部材（第３部材）３１０の第１挿入孔（第２挿入部）３１４と同軸上に連続する位置に配置される構成を有する。
【０２７８】
第２挿入孔（第１挿入部）３３３は、固定ピン（規制手段）３０１の軸部３０２を挿入した場合に軸部３０２の外周面との間に若干の間隙を形成できるように軸部３０２の外径よりも若干大きな内径を有している。第２挿入孔（第１挿入部）３３３の軸方向前側部分には、拡径部３３４が形成されている。拡径部３３４は、第２挿入孔（第１挿入部）３３３との間に段差面３３４ａを介して拡径されて形成されており、第２被挿入部材３３０の前端面３３０ａに開口している。
【０２７９】
拡径部３３４は、固定ピン（規制手段）３０１の基端側部分が第２挿入孔（第１挿入部）３３３に挿入された状態で鍔部３０３を収容できるように、鍔部３０３の外径よりも若干大きい内径と、鍔部３０３の軸方向長さと同一若しくは若干長い軸方向長さを有している。
【０２８０】
そして、段差面３３４ａに鍔部３０３を当接させて、固定ピン（規制手段）３０１がそれ以上挿入方向に移動されるのを規制し、固定ピン（規制手段）３０１を所定の挿入位置に位置決めすることができるようになっている。
【０２８１】
第２被挿入部材３３０には、スリット３３２が形成されており、ゲート部３３１を切断して第２被挿入部材３３０を裏ケース体１２０から分離した場合に、第２被挿入部材３３０を第２挿入孔（第１挿入部）３３３の軸心と交差する方向に分離して第２挿入孔（第１挿入部）３３３の内周面の一部を備えた２つの部材３３６に分解されるように構成されている。
【０２８２】
スリット３３２は、図２６に示すように、第２挿入孔（第１挿入部）３３３の軸心に沿って上下に延在し、第２被挿入部材３３０の前端面３３０ａから後端面３３０ｂに亘って切り欠いて設けられており、第２被挿入部材３３０を左右に二分している。そして、ゲート部３３１を切断した場合に、第２被挿入部材３３０を左右に分解できるようになっている。
【０２８３】
第２被挿入部材３３０は、基板ボックス（第１部材）１０２を可動ベース部２０３に保持させた場合に、第１被挿入部材（第３部材）３１０が嵌合部３２１から取り外される方向側で第１被挿入部材（第３部材）３１０に対向して配置され、第１被挿入部材（第３部材）３１０の取り出し方向への移動を妨げるようになっている。そして、ゲート部３３１が切断されて第２被挿入部材３３０が基板ボックス（第１部材）１０２の裏ケース体１２０から取り外されると、第１被挿入部材（第３部材）３１０との対向が解除されて、第１被挿入部材（第３部材）３１０を嵌合部３２１から取り外すことができるようになっている。
【０２８４】
次に、上記固定手段３００の使用方法及び作用効果について説明する。固定手段３００により基板ボックス（第１部材）１０２を可動ベース部２０３に固定する場合、第１被挿入部材（第３部材）３１０の嵌合部３２１に第１被挿入部材（第３部材）３１０を取り付け、基板ボックス（第１部材）１０２を可動ベース部２０３に対してスライド移動させて結合させる。
【０２８５】
これにより、第１被挿入部材（第３部材）３１０の第１挿入孔（第２挿入部）３１４と、第２被挿入部材３３０の第２挿入孔（第１挿入部）３３３が基板ボックス（第１部材）１０２のスライド方向に直交する方向に同軸上に配置される。
【０２８６】
そして、固定ピン（規制手段）３０１を基板ボックス（第１部材）１０２の前方から第２被挿入部材３３０の第２挿入孔（第１挿入部）３３３内に挿入する。固定ピン（規制手段）３０１は、固定ピン（規制手段）３０１の先端側部分が第２被挿入部材３３０の第２挿入孔（第１挿入部）３３３内に挿入されると、先端側係止爪３０４の傾斜面３０４ｂが第２挿入孔（第１挿入部）３３３の内周面に当接して、各先端側係止爪３０４が互いに接近する方向に付勢される。そして、第２挿入孔（第１挿入部）３３３内に進入して、第２挿入孔（第１挿入部）３３３内を通過し、第２挿入孔（第１挿入部）３３３に連続する第１挿入孔（第２挿入部）３１４内に進入する。そして、先端側係止爪３０４は、第１挿入孔（第２挿入部）３１４内を通過し、最終的に、図２７に示すように、第１被挿入部材（第３部材）３１０の後端面３１０ａから先端側係止爪３０４全体が突出する。
【０２８７】
先端側係止爪３０４は、第１被挿入部材（第３部材）３１０の後端面３１０ａから先端側係止爪３０４全体が突出すると、付勢が解除され、腕部３０５が復元して、先端側係止爪３０４の段差面３０４ａが第１被挿入部材（第３部材）３１０の後端面３１０ａと対向する。したがって、固定ピン（規制手段）３０１を挿入方向とは逆向きの抜脱方向に付勢した場合に、先端側係止爪３０４の段差面３０４ａが第１被挿入部材（第３部材）３１０の後端面３１０ａに当接して、固定ピン（規制手段）３０１の抜脱方向への移動が規制され、第１被挿入部材（第３部材）３１０に係止される。
【０２８８】
固定ピン（規制手段）３０１は、かかる位置で、鍔部３０３が第２被挿入部材３３０の拡径部３３４内に挿入されて、鍔部３０３の底面が第２被挿入部材３３０の前端面３３０ａと略面一となる。そして、鍔部３０３が第２挿入孔（第１挿入部）３３３と拡径部３３４との段差面３３４ａに当接して固定ピン（規制手段）３０１の更なる挿入方向への移動が規制される。
【０２８９】
すなわち、固定ピン（規制手段）３０１の先端側部分が第１被挿入部材（第３部材）３１０の第１挿入孔（第２挿入部）３１４に挿入され且つ固定ピン（規制手段）３０１の基端側部分が第２被挿入部材３３０の第２挿入孔（第１挿入部）３３３に挿入された状態で先端側係止爪３０４が第１被挿入部材（第３部材）３１０に係止されており、固定ピン（規制手段）３０１を第１被挿入部材（第３部材）３１０及び第２被挿入部材３３０から取り外すことができない状態になっている。
【０２９０】
したがって、基板ボックス（第１部材）１０２が可動ベース部２０３に結合された状態で、可動ベース部２０３に対する基板ボックス（第１部材）１０２の相対的なスライド移動が規制され、基板ボックス（第１部材）１０２を可動ベース部２０３から不正に取り外すことができないように固定することができる。
【０２９１】
また、先端側係止爪３０４が第１被挿入部材（第３部材）３１０に係止されて固定ピン（規制手段）３０１の抜脱方向への移動が規制されると共に鍔部３０３が拡径部３３４の段差面３３４ａに当接して固定ピン（規制手段）３０１の挿入方向への移動が規制されるので、可動ベース部２０３と基板ボックス（第１部材）１０２とを固定ピン（規制手段）３０１の軸方向に沿って互いに離反する方向に付勢した場合に、可動ベース部２０３と基板ボックス（第１部材）１０２との間に隙間が形成されるのを防ぐことができ、かかる隙間から固定ピン（規制手段）３０１に不正な細工がなされるのを防止できる。
【０２９２】
一方、基板ボックス（第１部材）１０２を台座装置（第２部材）２０１から正規に取り出す場合、まず最初にゲート部３３１を切断して、固定ピン（規制手段）３０１の先端側係止爪３０４が係止されている第２被挿入部材３３０を裏ケース体１２０から分離する。
【０２９３】
ゲート部３３１は、第２被挿入部材３３０の上方に位置する箇所及び下方に位置する箇所がそれぞれ切断される。ゲート部３３１は、可動ベース部２０３の底板部２６１との間に所定間隔を有して離間する位置に設けられているので、表ケース体１１０側から工具を差し入れてゲート部３３１を切断するときに工具をゲート部３３１の幅方向全幅に亘って確実に当接させることができ、ゲート部３３１の切断作業を容易に行うことができる。
【０２９４】
第２被挿入部材３３０は、ゲート部３３１の切断によって裏ケース体１２０から分離されると、スリット３３２を間に介して左右に２つに分解され、互いに離反して固定ピン（規制手段）３０１から取り外される。
【０２９５】
第２被挿入部材３３０が裏ケース体１２０から分離されて取り外されると、第１被挿入部材（第３部材）３１０との対向が解除されて、第１被挿入部材（第３部材）３１０を可動ベース部２０３の嵌合部３２１から取り外すことが可能となる。
【０２９６】
次に、第１被挿入部材（第３部材）３１０を可動ベース部２０３から取り外すべく、可動ベース部２０３を起立姿勢位置から傾倒させて傾倒姿勢位置に位置決め保持させ、可動ベース部２０３の底板部２６１を露出させる。
【０２９７】
そして、開口孔３２１ｄから底板部２６１の裏面側に突出している一対の保持爪３１５を互いに接近する方向に付勢して保持爪３１５の引っ掛かりを外し、第１被挿入部材（第３部材）３１０を底板部２６１の表面側に押し出す。
【０２９８】
第１被挿入部材（第３部材）３１０は、底板部２６１の表面側への押し出しにより、第１挿入孔（第２挿入部）３１４の軸心に沿って嵌合部３２１から離反する方向に移動され、固定ピン（規制手段）３１０が第１挿入孔（第２挿入部）３１４に挿入された状態のままで嵌合部３２１から取り外される。
【０２９９】
固定ピン（規制手段）３１０が第１挿入孔（第２挿入部）３１４に挿入された状態で第１被挿入部材（第３部材）３１０が嵌合部３２１から取り外されると、基板ボックス（第１部材）１０２は、可動ベース部２０３に対してスライド方向にスライド移動させることが可能になる。したがって、基板ボックス（第１部材）１０２を可動ベース部２０３から正規に取り出すことができる。
【０３００】
そして、第１被挿入部材（第３部材）３１０は、２個のプレート部材３１１が合わせ面を間に介して互いに上下に離反して、第１挿入孔（第２挿入部）３１４の径方向に分解され、固定ピン（規制手段）３０１から取り外される。したがって、固定ピン（規制手段）３０１を、第１被挿入部材（第３部材）３１０及び第２被挿入部材３３０から簡単に取り外すことができる。
【０３０１】
上記固定手段３００によれば、基板ボックス（第１部材）１０２を台座装置（第２部材）２０１に取り付けて固定ピン（規制手段）３０１を挿入した場合に、固定ピン（規制手段）３０１の先端側部分が第１被挿入部材（第３部材）３１０の第１挿入孔（第２挿入部）３１４に挿入され且つ固定ピン（規制手段）３０１の基端側部分が第２被挿入部材３３０の第２挿入孔（第１挿入部）３３３に挿入される。そして、先端側係止爪３０４が第１被挿入部材（第３部材）３１０に係止されて、固定ピン（規制手段）３１０の抜脱方向への移動が規制される。したがって、基板ボックス（第１部材）１０２のスライド移動が規制されて基板ボックス（第１部材）１０２を台座装置（第２部材）２０１に固定した状態が維持される。
【０３０２】
また、かかる状態で、第１被挿入部材（第３部材）３１０は、嵌合部３２１から取り出される側に第２被挿入部材３３０が対向して配置されているので、第２被挿入部材３３０が裏ケース体１２０から分離されるまでは、嵌合部３２１から取り外すことができない。したがって、可動ベース部２０３を回動させた場合に基板ボックス（第１部材）１０２内の制御基板の裏面を筐体２の正面側から視認可能としつつ、第１被挿入部材（第３部材）３１０に係止された先端側係止爪３０４を、嵌合部３２１によって外部から覆い隠して、先端側係止爪３０４に対して直接触れるのを禁止し、不正な解除操作を防ぐことができる。
【０３０３】
一方、基板ボックス（第１部材）１０２を可動ベース部２０３から正規に取り外す場合、第２被挿入部材３３０を基板ボックス（第１部材）１０２の裏ケース体１２０から分離して第１被挿入部材（第３部材）３１０との対向を解除し、第１被挿入部材（第３部材）３１０を固定ピン（規制手段）３１０と共に嵌合部３２１から取り外す。第１被挿入部材（第３部材）３１０は、嵌合部３２１から取り出されると、２つのプレート部材３１１に分解されて互いに離反し、固定ピン（規制手段）３０１から取り外される。そして、第２被挿入部材３３０は、裏ケース体１２０から分離されると、２つに分解されて互いに離反し、固定ピン（規制手段）３０１から取り外される。
【０３０４】
すなわち、台座装置（第２部材）２０１に固定されている基板ボックス（第１部材）１０２の第２被挿入部材３３０を分離した場合に、第２被挿入部材３３０を２つに分解して固定ピン（規制手段）３１０から簡単に取り外すことができる。そして、第１被挿入部材（第３部材）３１０を可動ベース部２０３の嵌合部３２１から取り外した場合に、第１被挿入部材（第３部材）３１０を２つのプレート部材３１１に分解して固定ピン（規制手段）３１０から簡単に取り外すことができる。したがって、固定ピン（規制手段）３１０を破壊することなく、再使用可能な状態で第１被挿入部材（第３部材）３１０及び第２被挿入部材３３０から取り外すことができる。
【０３０５】
このように、固定ピン（規制手段）３０１を破壊することなく、再使用可能な状態で取り外すことができるので、１台のスロットマシン１に対して、１個の固定ピン（規制手段）３０１を用意するだけでよく、予備の固定ピン（規制手段）３０１を付与する必要がない。したがって、複数の固定ピン（規制手段）３０１を用意したときの不具合、例えば、固定ピン（規制手段）３０１を破壊して可動ベース部２０３と基板ボックス（第１部材）１０２との固定を解除した後に、未使用の固定ピン（規制手段）３０１を再び同じ第１被挿入部材（第３部材）３１０と第２被挿入部材３３０に挿入して可動ベース部２０３と基板ボックス（第１部材）１０２との固定が未だ解除されていないと偽装する不正行為等を防ぐことができる。
【０３０６】
また、例えば、可動ベース部２０３又は基板ボックス（第１部材）１０２と、固定ピン（規制手段）３０１とのいずれか一方がプラスチック製材料によって構成され、他方が金属製材料によって構成されており、これらを廃棄する場合には、簡単かつ確実に分別して廃棄できる。したがって、それぞれ資源ゴミとしてリサイクルすることができ、資源の有効活用を図ることができる。
【０３０７】
そして、固定ピン（規制手段）３０１の先端側係止爪３０４が係止される第１被挿入部材（第３部材）３１０を、可動ベース部２０３とは別体に設けて嵌合部３２１に着脱自在な構成としたので、第１被挿入部材（第３部材）３１０を成形する成形型と、可動ベース部２０３を成形する成形型を別々の物にすることができ、各成形型の構造を簡単化することができる。したがって、成形型の製造を容易なものとし、生産コストを低減でき、遊技機の提供価格の高騰を抑制することができる。
【０３０８】
尚、上述の実施の形態では、第１被挿入部材（第３部材）３１０が係止爪３１５を備え、係止爪３１５によって台座装置（第２部材）２０１の可動ベース部２０３に係止される場合を例に説明したが、これに限定されるものではなく、例えば、第１被挿入部材（第３部材）３１０の係止爪３１５を省略して、嵌合部３２１に嵌合させる構成としてもよい。かかる構成によれば、プレート部材３１１の構造を簡単化することができるので、プレート部材３１１の製造を容易化することができる。また、第１被挿入部材（第３部材）３１０を嵌合部３２１から取り外す場合に、係止爪３１５の係止を解除する係止解除操作を省略することができ、簡単に取り外すことができる。
【０３０９】
また、上述の第１実施の形態では、先端側係止爪３０４が軸部３０２よりも径方向外側に突出する構成を有する場合を例に説明したが、これに限定されるものではなく、例えば、先端側係止爪３０４が軸部３０２よりも径方向内側に位置する構成としてもよい。かかる構成によれば、第２被挿入部材３３０の第２挿入孔（第１挿入部）３３３から固定ピン（規制手段）３０１を抜脱する際に、先端側係止爪３０４が第２被挿入部材３３０に引っ掛かることなく第２挿入孔（第１挿入部）３３３内を通過させることができる。したがって、固定ピン（規制手段）３０１を第２被挿入部材３３０から簡単に抜脱することができる。
【０３１０】
図２８及び図２９は、第１被挿入部材（第３部材）３１０の他の構成例を説明する斜視図である。図２８に示す第１被挿入部材（第３部材）３４０と図２９に示す第１被挿入部材（第３部材）３５０は、図２２に示す第１被挿入部材（第３部材）３１０と全体形状が同一の寸法を有するように構成されている。
【０３１１】
第１被挿入部材（第３部材）３４０は、固定ピン（規制手段）３０１と同様に所定の剛性を有する例えばポリカーボネイトなどの合成樹脂製材料からなる。そして、第１挿入孔（第２挿入部）３４４の軸心と交差する方向に分離して第１挿入孔（第２挿入部）３４４の内周面の一部を備えた２個のプレート部材（複数の部材）３４１に分解される構成を有する。本実施の形態では、第１被挿入部材（第３部材）３４０は、図２８に示すように、それぞれが一方の腕部３４６を有し、左右に組み合わされる２個のプレート部材３４１によって構成される。
【０３１２】
プレート部材３４１は、略矩形の平板部３４２を有している。平板部３４２の合わせ面３４２ａ側である一方の側端には、切欠部３４３が形成され、平板部３４２の他方の側端には、保持爪３４５が設けられている。
【０３１３】
切欠部３４３は、平板部３４２の高さ方向略中央位置で、一方の側端から他方の側端に向かって半円状に切り欠いて形成されており、２個のプレート部材３４１を組み合わせた場合に、並列に並べられた２つの平板部３４２の中央位置に、一定径を有して平板部３４２を貫通する第１挿入孔（第２挿入部）３４４を形成するように構成されている。そして、第１挿入孔（第２挿入部）３４４が固定ピン（規制手段）３０１の軸部３０２の外径よりも若干大きくかつ一対の先端側係止爪３０４の最大離間距離よりも小さな内径を有し、固定ピン（規制手段）３０１の先端側部分を挿入した場合に固定ピン（規制手段）３０１の腕部３０５との間に若干の間隙を有して内周面が対向するように構成されている。
【０３１４】
保持爪３４５は、第１被挿入部材（第３部材）３４０を可動ベース部２０３の嵌合部３２１に着脱自在に保持させるためのものであり、平板部３４２から突出する腕部３４６の先端に設けられている。
【０３１５】
腕部３４６は、切欠部３４３と対向する側である平板部３４２の他方の側端に基端が設けられており、平板部３４２に対して直交する方向に延在する。そして、弾性変形により保持爪３４５を互いに接近する方向に向かって移動させ、復元により保持爪３４５を元の位置に戻すことができる弾性力を有している。
【０３１６】
保持爪３４５は、腕部３４６の先端で互いに離反する方向に向かって突設されており、腕部３４６との間で腕部３４６に対してほぼ垂直面となるように段差状に形成された段差面３４５ａと、腕部３４６の基端側から先端側に移行するにしたがって段差面３４５ａの外縁から切欠部３４３が設けられている側端に向かって接近する方向に移行する傾斜面３４５ｂを有している。
【０３１７】
プレート部材３４１は、他方のプレート部材３４１と連結するための連結部３４７を有する。連結部３４７は、平板部３４２の一方の側端に設けられており、連結ピン３４７ａと連結穴３４７ｂによって構成される。連結ピン３４７ａと連結穴３４７ｂは、切欠部３４３を間に介して上下に離間した位置にそれぞれ設けられており、連結ピン３４７ａが平板部３４２から突出し、連結穴３４７ｂが平板部３４２に凹設されている。
【０３１８】
連結部３４７は、２個のプレート部材３４１を左右から互いに接近させて合わせ面３４２ａどうしを接面させた場合に、一方のプレート部材３４１の連結ピン３４７ａを他方のプレート部材３４１の連結穴３４７ｂに挿入して嵌合させ、且つ他方のプレート部材３４１の連結ピン３４７ａを一方のプレート部材３４１の連結穴３４７ｂに挿入して嵌合させることができ、各平板部３４２を同一平面上で並列に並べて一枚の板状とするように連結する構成を有する。
【０３１９】
そして、各プレート部材３４１の腕部３４６を互いに接近する方向に弾性変形させて嵌合部３２１の爪孔部３２１ｃに挿通し、保持爪３４５を嵌合部３２１の開口孔３２１ｄから突出させて、腕部３４６を復元させ、保持爪３４５を嵌合部３２１の後端面に引っ掛けて、第１被挿入部材（第３部材）３４０を嵌合部３２１に取り付けた状態に保持できるようになっている。
【０３２０】
上記構成を有する第１被挿入部材（第３部材）３４０は、図２２に示す第１被挿入部材（第３部材）３１０と同様に、可動ベース部２０３の嵌合部３２１から取り出した際に、２個のプレート部材３４１に分解して互いに離反させることができる。したがって、第１被挿入部材（第３部材）３４０を固定ピン（規制手段）３０１から簡単に取り外すことができる。
【０３２１】
第１被挿入部材（第３部材）３５０は、固定ピン（規制手段）３０１と同様に所定の剛性を有する例えばポリカーボネイトなどの合成樹脂製材料からなる。そして、第１挿入孔（第２挿入部）３５４の軸心と交差する方向に分離して第１挿入孔（第２挿入部）３５４の内周面の一部を備えた２個のプレート部材（複数の部材）３５１に分解される構成を有する。本実施の形態では、第１被挿入部材（第３部材）３５０は、図２９に示すように、それぞれが一方の腕部３５６を有し、左右に組み合わされる２個のプレート部材３５１によって構成される。
【０３２２】
プレート部材３５１は、略矩形の平板部３５２を有している。平板部３５２の合わせ面３５２ａ側である一方の側端には、切欠部３５３が形成され、平板部３５２の他方の側端には、保持爪３５５が設けられている。
【０３２３】
切欠部３５３は、平板部３５２の高さ方向略中央位置で、合わせ面３５２ａから他方の側端に向かって半円状に切り欠いて形成されている。切欠部３５３は、２個のプレート部材３５１を組み合わせた場合に、並列に並べられた２つの平板部３５２の中央位置に、一定径を有して平板部３５２を貫通する第１挿入孔（第２挿入部）３５４を形成するように構成されている。
【０３２４】
第１挿入孔（第２挿入部）３５４は、固定ピン（規制手段）３０１の軸部３０２の外径よりも若干大きくかつ一対の先端側係止爪３０４の最大離間距離よりも小さな内径を有し、固定ピン（規制手段）３０１の先端側部分を挿入した場合に固定ピン（規制手段）３０１の腕部３０５との間に若干の間隙を有して内周面が対向する。
【０３２５】
保持爪３５５は、第１被挿入部材（第３部材）３５０を可動ベース部２０３の嵌合部３２１に着脱自在に保持させるためのものであり、平板部３５２から突出する腕部３５６の先端に設けられている。
【０３２６】
腕部３５６は、切欠部３５３と対向する側である平板部３５２の他方の側端に基端が設けられており、平板部３５２に対して直交する方向に延在する。そして、弾性変形により保持爪３５５を互いに接近する方向に向かって移動させ、復元により保持爪３５５を元の位置に戻すことができる弾性力を有している。
【０３２７】
保持爪３５５は、腕部３５６の先端で互いに離反する方向に向かって突設されており、腕部３５６に対してほぼ垂直面となるように段差状に形成された段差面３５５ａと、腕部３５６の基端側から先端側に移行するにしたがって段差面３５５ａの外縁から切欠部３５３が設けられている側端に向かって接近する方向に移行する傾斜面３５５ｂを有している。
【０３２８】
プレート部材３５１は、他方のプレート部材３５１と連結するための連結部３５７を有する。連結部３５７は、平板部３５２の合わせ面３５２ａ側である一方の側端に設けられており、切欠部３５３を間に介して合わせ面３５２ａの上部と下部にそれぞれ形成された一対の凸部３５７ａ、３５７ｂと、一対の凹部３５７ｃ、３５７ｄによって構成されている。
【０３２９】
凸部３５７ａ、３５７ｂは、図２９（ｂ）に示すように、凸部３５７ａが平板部３５２の裏面側に形成され、凸部３５７ｂが平板部３５２の表面側に形成されている。そして、凹部３５７ｃ、３５７ｄは、凹部３５７ｃが平板部３５２の表面側に形成され、凹部３５７ｄが平板部３５２の裏面側に形成されている。
【０３３０】
凸部３５７ａ、３５７ｂと凹部３５７ｃ、３５７ｄは、２個のプレート部材３５１を左右から互いに接近させて各合わせ面３５２ａを互いに接面させた場合に、一方のプレート部材３５１の凸部３５７ａ、３５７ｂを他方のプレート部材３５１の凹部３５７ｃ、３５７ｄに係合させ、且つ他方のプレート部材３５１の凸部３５７ａ、３５７ｂを一方のプレート部材３５１の凹部３５７ｃ、３５７ｄに係合させることができ、各平板部３５２を同一平面上で並列に並べて一枚の板状とするように連結する構成を有する。
【０３３１】
そして、各プレート部材３５１の腕部３５６を互いに接近する方向に弾性変形させて嵌合部３２１の爪孔部３２１ｃに挿通し、保持爪３５５を嵌合部３２１の開口孔３２１ｄから突出させて、腕部３５６を復元させ、保持爪３５５を嵌合部３２１の後端面に引っ掛けて、第１被挿入部材（第３部材）３５０を嵌合部３２１に取り付けた状態に保持できるようになっている。
【０３３２】
上記構成を有する第１被挿入部材（第３部材）３５０は、図２２に示す第１被挿入部材（第３部材）３１０と同様に、可動ベース部２０３の嵌合部３２１から取り出した際に、２個のプレート部材３５１に分解して互いに離反させることができる。したがって、第１被挿入部材（第３部材）３５０を固定ピン（規制手段）３０１から簡単に取り外すことができる。
【０３３３】
［第２実施の形態］
次に、第２実施の形態における固定手段４００の構成について以下に詳細に説明する。尚、第１実施の形態と同様の構成要素については同一の符号を付することでその詳細な説明を省略する。
【０３３４】
本実施の形態では、固定ピン（規制手段）４０１が先端側係止爪４０４と基端側係止爪４０６を備え、先端側係止爪４０４が第１被挿入部材（第３部材）４１０に係止され、且つ基端側係止爪４０６が第２被挿入部材４３０に係止される構成について説明する。
【０３３５】
図３０は、固定ピン（規制手段）４０１の斜視図、図３１及び図３２は、第１被挿入部材（第３部材）４１０の構成を説明する図、図３３は、第１被挿入部材（第３部材）４１０と嵌合部３２１の構成を説明する図、図３４及び図３５は、第２被挿入部材４３０の構成を説明する図、図３６は、固定手段４００の断面図である。
【０３３６】
固定手段４００は、固定ピン（規制手段）（規制（固定）部材）４０１と、第１被挿入部材（第３部材）４１０と、第２被挿入部材４３０を備えている。
【０３３７】
固定ピン（規制手段）４０１は、所定の剛性を有する例えばポリカーボネイトなどの合成樹脂製材料によって構成されており、丸棒状の軸部４０２を有している。軸部４０２は、所定の肉厚を有する円筒形状を有しており、軸部４０２の基端には段差を介して拡径された円盤状の鍔部４０３が設けられている。鍔部４０３は、第２被挿入部材４３０の後述する第２挿入孔（第１挿入部）４３３に固定ピン（規制手段）４０１の基端側部分が挿入された状態で第２被挿入部材４３０と当接して固定ピン（規制手段）４０１の挿入方向への移動を規制する当接部を構成する。
【０３３８】
固定ピン（規制手段）４０１の先端側部分には、腕部４０５を介して先端側係止爪４０４が設けられている。腕部４０５は、軸部４０２の先端から軸方向に沿って延出しており、軸部４０２の軸方向に直交する方向に互いに離反するように一対が設けられている。各腕部４０５は、先端側係止爪３０４を互いに接近する方向に付勢することによって弾性変形し、また、付勢力の消失により復元して元の位置に戻すことができるように構成されている。
【０３３９】
先端側係止爪４０４は、固定ピン（規制手段）４０１の先端側部分を第１被挿入部材（第３部材）４１０に挿入した場合に、第１被挿入部材（第３部材）４１０に係止されて固定ピン（規制手段）４０１の抜脱方向への移動を規制する構成を有する。先端側係止爪４０４は、各腕部４０５の先端に各々設けられており、軸部４０２よりも径方向外側に突出している。そして、腕部４０５に対してほぼ垂直面となるように段差状に形成された段差面４０４ａと、腕部４０５の基端側から先端側に移行するにしたがって段差面４０４ａの外縁から漸次縮径するように傾斜状に形成された傾斜面４０４ｂを有している。
【０３４０】
段差面４０４ａは、固定ピン（規制手段）４０１を第１被挿入部材（第３部材）４１０の第１挿入孔（第２挿入部）４１４に挿入した場合に、後述する第１被挿入部材（第３部材）４１０の第１係止部４１７の後端面４１７ａに対向できるように平面状に形成されている。
【０３４１】
傾斜面４０４ｂは、固定ピン（規制手段）４０１を第１被挿入部材（第３部材）４１０の第１挿入孔（第２挿入部）４１４に挿入する際に、第１挿入孔（第２挿入部）４１４の内周面に当接して一対の腕部４０５を互いに接近する方向に付勢できるように形成されている。
【０３４２】
固定ピン（規制手段）４０１の基端側部分には、腕部４０７を介して基端側係止爪４０６が設けられている。腕部４０７は、軸部４０２に開口形成された窓穴部４０２ａ内で、軸部４０２の軸方向に沿って軸部４０２の基端側から先端側に向かって延出しており、軸部４０２の軸方向に直交する方向に互いに離反するように一対が設けられている。各腕部４０７は、基端側係止爪４０６を互いに接近する方向に付勢することによって弾性変形し、また、付勢力の消失により復元して元の位置に戻すことができるように構成されている。
【０３４３】
基端側係止爪４０６は、固定ピン（規制手段）４０１の基端側部分が第２被挿入部材４３０に挿入された場合に、第２被挿入部材４３０に係止されて固定ピン（規制手段）４０１の抜脱方向への移動を規制する構成を有する。基端側係止爪４０６は、軸部４０２よりも径方向外側に突出するように各腕部４０７の先端に各々設けられている。そして、腕部４０７に対してほぼ垂直面となるように段差状に形成された段差面４０６ａと、腕部４０７の基端側から先端側に移行するにしたがって段差面４０６ａの外縁から漸次縮径するように傾斜状に形成された傾斜面４０６ｂを有している。
【０３４４】
段差面４０６ａは、固定ピン（規制手段）４０１の基端側部分を第２被挿入部材４３０の第２挿入孔（第１挿入部）４３３に挿入した場合に、後述する第２挿入孔（第１挿入部）４３３内の後側段差面４３５ａに対向できるように平面状に形成されている。傾斜面４０６ｂは、固定ピン（規制手段）４０１の基端側部分を第２被挿入部材４３０の第２挿入孔（第１挿入部）４３３に挿入する際に、第２挿入孔（第１挿入部）４３３の内周面に当接して一対の腕部４０７を互いに接近する方向に付勢できるように形成されている。
【０３４５】
先端側係止爪４０４と基端側係止爪４０６は、各先端側係止爪４０４が互いに離反する方向と各基端側係止爪４０６が互いに離反する方向とが、０度の位相角度となる位置関係を有しており、軸方向に沿って一列に並ぶように設けられている。そして、先端側係止爪４０４と基端側係止爪４０６は、略同一の径方向高さを有する。
【０３４６】
第１被挿入部材（第３部材）４１０は、固定ピン（規制手段）４０１と同様に所定の剛性を有する例えばポリカーボネイトなどの合成樹脂製材料からなる。そして、第１挿入孔（第２挿入部）４１４の軸心と交差する方向に分離して第１挿入孔（第２挿入部）４１４の内周面の一部を備えた２個のプレート部材４１１（複数の部材）に分解される構成を有する。本実施の形態では、第１被挿入部材（第３部材）４１０は、正面斜視図である図３１（ａ）及び背面斜視図である図３１（ｂ）、及び図３２に示すように、上下に組み合わされる２個のプレート部材４１１によって構成される。
【０３４７】
プレート部材４１１は、略矩形の平板部４１２を有している。平板部４１２の長手方向略中央位置には、切欠部４１３と突起部４１８が形成されている。切欠部４１３は、平板部４１２の短手方向一方側の合わせ面から短手方向他方側に向かって半円状に切り欠いて形成されている。切欠部４１３は、２個のプレート部材４１１を上下に組み合わせた場合に、同一平面上で並列に並べられた２つの平板部４１２の中央位置に、一定径を有して平板部４１２を貫通する第１挿入孔（第２挿入部）４１４を形成するように構成されている。
【０３４８】
そして、第１挿入孔（第２挿入部）４１４が固定ピン（規制手段）４０１の軸部４０２の外径よりも若干大きく且つ一対の先端側係止爪４０４の最大離間距離よりも小さな内径を有し、固定ピン（規制手段）４０１の先端側部分を挿入した場合に固定ピン（規制手段）４０１の腕部４０５との間に若干の間隙を有して内周面が対向するように構成されている。
【０３４９】
突起部４１８は、平板部４１２の後面から切欠部４１３に沿って円筒半割状に突出して形成されている。突起部４１８は、２個のプレート部材４１１を組み合わせた場合に、同一平面上に並列に並べられた２つの平板部４１２の中央位置で円筒状に突出する第１係止部４１７を形成するように構成されている。第１係止部４１７は、第１挿入孔（第２挿入部）４１４と同一の内径を有し、後端面４１７ａが軸方向に直交する方向に沿って平面状に形成されている。
【０３５０】
そして、固定ピン（規制手段）４０１の先端側部分を平板部４１２の第１挿入孔（第２挿入部）４１４に挿入して第１係止部４１７の後端面４１７ａよりも突出させた場合に、後端面４１７ａが先端側係止爪４０４の段差面４０４ａと対向するようになっている。そして、かかる状態から固定ピン（規制手段）４０１を抜脱方向に移動させようとした場合に、先端側係止爪４０４の段差面４０４ａを第１係止部４１７の後端面４１７ａに当接させて抜脱方向への移動を規制し、先端側係止爪４０４を第１被挿入部材（第３部材）４１０に係止することができるようになっている。
【０３５１】
平板部４１２の長手方向両端部には、第１被挿入部材（第３部材）４１０を可動ベース部２０３の嵌合部３２１に着脱自在に保持させるための保持爪４１５が設けられている。保持爪４１５は、第１被挿入部材（第３部材）４１０を正面側から斜視した図３１（ａ）及び後面側から斜視した図３１（ｂ）に示すように、平板部４１２から突出する腕部４１６の先端に設けられている。
【０３５２】
腕部４１６は、左右で一対をなし、平板部４１２の長手方向両端部でかつ切欠部４１３が設けられている合わせ面側にそれぞれ基端が設けられ、平板部４１２に対して直交する方向でかつ互いに平行に延在する。そして、弾性変形により保持爪４１５を互いに接近する方向に向かって移動させ、復元により保持爪４１５を元の位置に戻すことができる弾性力を有している。
【０３５３】
各保持爪４１５は、各腕部４１６の先端で互いに離反する方向に向かって突設されており、腕部４１６に対してほぼ垂直面となるように段差状に形成された段差面４１５ａと、腕部４１６の基端側から先端側に移行するにしたがって段差面４１５ａの外縁から互いに接近する方向に向かって移行する傾斜面４１５ｂを有している。
【０３５４】
上記構成を有する第１被挿入部材（第３部材）４１０は、可動ベース部２０３に設けられた嵌合部３２１に着脱自在に取り付けられる。尚、嵌合部３２１の構成については、第１実施の形態と同様であるので、その詳細な説明を省略する。
【０３５５】
上記構成を有する第１被挿入部材（第３部材）４１０は、一対の保持爪４１５を互いに接近する方向に弾性変形させて爪孔部３２１ｃに挿通し、保持爪３１５を開口孔３２１ｄから突出させて、腕部４１６を復元させ、保持爪４１５を嵌合部３２１の後端面に引っ掛けることができ、嵌合部３２１に取り付けられる。第１被挿入部材（第３部材）４１０は、第１挿入孔（第２挿入部）４１４が基板ボックス（第１部材）１０２のスライド方向に直交する方向に延在するように嵌合部３２１に取り付けられる。
【０３５６】
また、第１被挿入部材（第３部材）４１０を嵌合部３２１から取り外すときは、開口孔３２１ｄから突出している一対の保持爪４１５を互いに接近する方向に付勢して、各腕部４１６を弾性変形させ、保持爪４１５の引っ掛かりを外してプレート部材４１１の保持を解除することによって取り外すことができる。第１被挿入部材（第３部材）４１０は、嵌合部３２１から取り外されると、２個のプレート部材４１１に分離して、第１挿入孔（第２挿入部）４１４の径方向に分解することができる。
【０３５７】
第２被挿入部材４３０は、裏ケース体１２０の裏面側の斜視図である図３４（ａ）及びその要部を拡大して示す図である図３４（ｂ）に示すように、基板ボックス（第１部材）１０２の裏ケース体１２０に一体に設けられている。そして、基板ボックス（第１部材）１０２を台座装置（第２部材）２０１の可動ベース部２０３に装着した場合に、可動ベース部２０３の各第１被挿入部材（第３部材）４１０に対して基板ボックス（第１部材）１０２のスライド移動方向に直交する方向で且つ第１被挿入部材（第３部材）４１０の平板部４１２にそれぞれ対向するように設けられている。
【０３５８】
第２被挿入部材４３０は、図３４及び図３５に示すように、一定の肉厚を有する円筒形状を有しており、その中心には、第２挿入孔（第１挿入部）４３３が穿設されている。第２被挿入部材４３０は、裏ケース体１２０の角孔部１２３内にゲート部３３１によって支持されている。
【０３５９】
第２被挿入部材４３０は、固定ピン（規制手段）４０１の軸部４０２とほぼ同一の軸方向長さを有している。そして、第２挿入孔（第１挿入部）４３３は、第２被挿入部材４３０を貫通して形成されており、基板ボックス（第１部材）１０２のスライド方向に直交する方向に延在し、基板ボックス（第１部材）１０２が可動ベース部２０３に保持された状態で、第１被挿入部材（第３部材）４１０の第１挿入孔（第２挿入部）４１４と同軸上に連続する位置に配置される構成を有する。
【０３６０】
第２挿入孔（第１挿入部）４３３は、固定ピン（規制手段）４０１を挿入した場合に軸部４０２の外周面との間に若干の間隙を形成できるように軸部４０２の外径よりも若干大きな内径を有している。第２挿入孔（第１挿入部）４３３の軸方向前側部分には、拡径部４３４が形成されている。拡径部４３４は、第２挿入孔（第１挿入部）４３３との間に段差面４３４ａを介して拡径されて形成されており、第２被挿入部材４３０の前端面４３０ａに開口している。
【０３６１】
拡径部４３４は、固定ピン（規制手段）３０１の基端側部分が第２挿入孔（第１挿入部）４３３に挿入された状態で鍔部３０３を収容できるように、鍔部３０３の外径よりも若干大きい内径と、鍔部３０３の軸方向長さと同一若しくは若干長い軸方向長さを有している。
【０３６２】
そして、段差面４３４に鍔部３０３を当接させて、固定ピン（規制手段）３０１がそれ以上挿入方向に移動されるのを規制し、固定ピン（規制手段）３０１を所定の挿入位置に位置決めすることができるようになっている。
【０３６３】
第２挿入孔（第１挿入部）４３３の軸方向後側部分には、収容部４３５が形成されている。収容部４３５は、後側段差面４３５ａを介して拡径されて形成されており、第２被挿入部材４３０の後端面４３０ｂに開口している。そして、基板ボックス（第１部材）１０２を可動ベース部２０３に挿着した場合に、開口部分が第１被挿入部材（第３部材）４１０によって閉塞されるように構成されている。
【０３６４】
収容部４３５は、固定ピン（規制手段）４０１の基端側係止爪４０６全体を収容できるように、一対の基端側係止爪４０６の最大離間距離よりも若干大きい内径と、基端側係止爪４０６とほぼ同一の軸方向長さを有している。
【０３６５】
そして、固定ピン（規制手段）４０１の基端側部分を第２挿入孔（第１挿入部）４３３に挿入して基端側係止爪４０６を第２被挿入部材４３０の後側段差面４３５ａよりも突出させた場合に、後側段差面４３５ａが基端側係止爪４０６の段差面４０６ａと対向するように形成されている。そして、かかる状態から固定ピン（規制手段）４０１を抜脱方向に移動させようとした場合に、基端側係止爪４０６の段差面４０６ａを後側段差面４３５ａに当接させて抜脱方向への移動を規制し、基端側係止爪４０６を第２被挿入部材４３０に係止することができるようになっている。
【０３６６】
第２被挿入部材４３０には、スリット４３２が形成されており、ゲート部３３１を切断して第２被挿入部材４３０を裏ケース体１２０から分離した場合に、第２被挿入部材４３０を第２挿入孔（第１挿入部）４３３の軸心と交差する方向に分離して第２挿入孔（第１挿入部）４３３の内周面の一部を備えた２つの部材４３６に分解されるように構成されている。
【０３６７】
スリット４３２は、図３５に示すように、第２挿入孔（第１挿入部）４３３の軸心に沿って上下に延在し、第２被挿入部材４３０の前端面４３０ａから後端面４３０ｂに亘って切り欠いて設けられており、第２被挿入部材４３０を左右に二分している。そして、ゲート部３３１を切断した場合に、第２被挿入部材４３０を第２挿入孔（第１挿入部）４３３の径方向である左右に分解できるようになっている。
【０３６８】
第２被挿入部材４３０は、基板ボックス（第１部材）１０２を可動ベース部２０３に保持させた場合に、第１被挿入部材（第３部材）４１０が嵌合部３２１から取り外される方向側で第１被挿入部材（第３部材）４１０に対向して配置され、第１被挿入部材（第３部材）４１０の取り出し方向への移動を妨げるようになっている。そして、ゲート部３３１が切断されて第２被挿入部材４３０が基板ボックス（第１部材）１０２の裏ケース体１２０から取り外されると、第１被挿入部材（第３部材）４１０との対向が解除されて、第１被挿入部材（第３部材）４１０を嵌合部３２１から取り外すことができるようになっている。
【０３６９】
次に、上記固定手段４００の使用方法及び作用効果について説明する。固定手段４００により基板ボックス（第１部材）１０２を可動ベース部２０３に固定する場合、第１被挿入部材（第３部材）３１０の嵌合部３２１に第１被挿入部材（第３部材）３１０を取り付け、基板ボックス（第１部材）１０２を可動ベース部２０３に対してスライド移動させて結合させる。
【０３７０】
これにより、第１被挿入部材（第３部材）４１０の第１挿入孔（第２挿入部）４１４と、第２被挿入部材４３０の第２挿入孔（第１挿入部）４３３が基板ボックス（第１部材）１０２のスライド方向に直交する方向に同軸上に配置される。
【０３７１】
そして、固定ピン（規制手段）４０１を基板ボックス（第１部材）１０２の前方から第２被挿入部材４３０の第２挿入孔（第１挿入部）４３３内に挿入する。固定ピン（規制手段）４０１は、固定ピン（規制手段）４１０の先端側部分が第２被挿入部材４３０の第２挿入孔（第１挿入部）４３３に挿入されると、先端側係止爪４０４の傾斜面４０４ｂが第２挿入孔（第１挿入部）４３３の内周面に当接して、各先端側係止爪４０４が互いに接近する方向に付勢される。そして、第２挿入孔（第１挿入部）４３３内に進入して、第２挿入孔（第１挿入部）４３３内を通過し、第２被挿入部材４３０の後端面４３０ｂから先端側係止爪４０４全体が突出する。
【０３７２】
固定ピン（規制手段）４０１の先端側係止爪４０４は、第２被挿入部材４３０の後端面４３０ｂから突出すると、第２挿入孔（第１挿入部）４３３に同軸上に連続する第１被挿入部材（第３部材）４１０の第１挿入孔（第２挿入部）４１４に挿入される。そして、各先端側係止爪４０４の傾斜面４０４ｂが第１挿入孔（第２挿入部）４１４の内周面に当接し、また、基端側係止爪４０６の傾斜面４０６ｂが第２挿入孔（第１挿入部）４３３の内周面に当接した状態とされる。
【０３７３】
かかる状態から、固定ピン（規制手段）４０１を更に押し込むことで、先端側係止爪４０４は、互いに接近する方向に付勢され、第１挿入孔（第２挿入部）４１４内に進入して、第１挿入孔（第２挿入部）４１４内を通過し、第１係止部４１７の後端面４１７ａから先端側係止爪４０４全体が突出する。
【０３７４】
先端側係止爪４０４は、第１係止部４１７の後端面４１７ａから先端側係止爪４０４全体が突出すると、付勢が解除され、腕部４０５が復元して、先端側係止爪４０４の段差面４０４ａが第１係止部４１７の後端面４１７ａに対向する。
【０３７５】
そして、基端側係止爪４０６も、互いに接近する方向に付勢され、第２挿入孔（第１挿入部）４３３内に進入して、第２挿入孔（第１挿入部）４３３内を通過し、第２被挿入部材４３０の後端面４３０ｂから突出する。基端側係止爪４０６は、第２被挿入部材４３０の後端面４３０ｂから基端側係止爪４０６全体が突出すると、付勢が解除され、腕部４０７が復元して、基端側係止爪４０６の段差面４０６ａが第２被挿入部材４３０の後端面４３０ａに対向する。
【０３７６】
したがって、固定ピン（規制手段）４０１を挿入方向とは逆向きの抜脱方向に付勢した場合に、先端側係止爪４０４の段差面４０４ａが第１係止部４１７の後端面４１７ａに当接すると共に、基端側係止爪４０６の段差面４０６ａが収容部４３５の後側段差面４３５ａに当接して、固定ピン（規制手段）４０１の抜脱方向への移動が規制される。
【０３７７】
固定ピン（規制手段）４０１は、かかる位置で、鍔部４０３の底面が第２被挿入部材４３０の前端面４３０ｂと略面一となる。そして、先端側係止爪４０４の先端が丸穴部３２１ｂの底面に対向し、基端側係止爪４０６の先端が第１被挿入部材（第３部材）４１０の平板部４１２に対向し、鍔部４０３が拡径部４３４の前端面４３４ａと当接して固定ピン（規制手段）４０１の更なる挿入方向への移動が規制される。
【０３７８】
すなわち、固定ピン（規制手段）４０１の先端側部分が第１挿入孔（第２挿入部）４１４に挿入されて先端側係止爪４０４が第１被挿入部材（第３部材）４１０に係止され、且つ固定ピン（規制手段）４０１の基端側部分が第２挿入孔（第１挿入部）４３３に挿通されて基端側係止爪４０６が第２被挿入部材４３０に係止されており、固定ピン（規制手段）４０１を第１被挿入部材（第３部材）４１０及び第２被挿入部材４３０から取り外すことができない状態になっている。
【０３７９】
したがって、基板ボックス（第１部材）１０２が可動ベース部２０３に結合された状態で、可動ベース部２０３に対する基板ボックス（第１部材）１０２の相対的なスライド移動が禁止され、基板ボックス（第１部材）１０２を可動ベース部２０３から分離して取り外すことができないように固定することができる。
【０３８０】
また、先端側係止爪４０４が第１被挿入部材（第３部材）４１０に係止されて固定ピン（規制手段）４０１の抜脱方向への移動が規制されると共に鍔部４０３が拡径部４３４の前端面４３４ａに当接して固定ピン（規制手段）４０１の挿入方向への移動が規制されるので、可動ベース部２０３と基板ボックス（第１部材）１０２とを固定ピン（規制手段）４０１の軸方向に沿って互いに離反する方向に付勢した場合に、可動ベース部２０３と基板ボックス（第１部材）１０２との間に隙間が形成されるのを防ぐことができ、かかる隙間から固定ピン（規制手段）４０１に不正な細工がなされるのを防止できる。
【０３８１】
一方、基板ボックス（第１部材）１０２を台座装置（第２部材）２０１から正規に取り出す場合、まず最初にゲート部３３１を切断して、固定ピン（規制手段）４０１の基端側係止爪４０６が係止されている第２被挿入部材４３０を裏ケース体１２０から分離する。
【０３８２】
第２被挿入部材４３０は、ゲート部３３１の切断によって裏ケース体１２０から分離されると、スリット４３２を間に介して左右に２つに分解され、互いに離反して固定ピン（規制手段）４０１から取り外される。
【０３８３】
第２被挿入部材４３０が裏ケース体１２０から分離されて取り外されると、第１被挿入部材（第３部材）４１０との対向が解除されて、第１被挿入部材（第３部材）４１０を可動ベース部２０３の嵌合部３２１から取り外すことが可能となる。
【０３８４】
次に、第１被挿入部材（第３部材）４１０を可動ベース部２０３から取り外すべく、可動ベース部２０３を起立姿勢位置から傾倒させて傾倒姿勢位置に位置決め保持させ、可動ベース部２０３の底板部２６１を露出させる。
【０３８５】
そして、開口孔３２１ｄから底板部２６１の裏面側に突出している一対の保持爪４１５を互いに接近する方向に付勢して保持爪４１５の引っ掛かりを外し、第１被挿入部材（第３部材）４１０を底板部２６１の表面側に押し出す。
【０３８６】
第１被挿入部材（第３部材）４１０は、底板部２６１の表面側への押し出しにより、第１挿入孔（第２挿入部）４１４の軸心に沿って嵌合部３２１から離反する方向に移動され、固定ピン（規制手段）４１０が第１挿入孔（第２挿入部）４１４に挿入された状態のままで嵌合部３２１から取り外される。
【０３８７】
固定ピン（規制手段）４１０が第１挿入孔（第２挿入部）４１４に挿入された状態で第１被挿入部材（第３部材）４１０が嵌合部３２１から取り外されると、基板ボックス（第１部材）１０２は、可動ベース部２０３に対してスライド方向にスライド移動させることが可能になる。したがって、基板ボックス（第１部材）１０２を可動ベース部２０３から正規に取り出すことができる。
【０３８８】
そして、第１被挿入部材（第３部材）４１０は、２個のプレート部材４１１が合わせ面を間に介して互いに上下に離反して、第１挿入孔（第２挿入部）４１４の径方向に分解され、固定ピン（規制手段）４０１から取り外される。したがって、固定ピン（規制手段）４０１を、第１被挿入部材（第３部材）４１０及び第２被挿入部材４３０から簡単に取り外すことができる。
【０３８９】
上記固定手段４００によれば、基板ボックス（第１部材）１０２を台座装置（第２部材）２０１に取り付けて固定ピン（規制手段）４０１を挿入した場合に、固定ピン（規制手段）４０１の先端側部分が第１被挿入部材（第３部材）４１０の第１挿入孔（第２挿入部）４１４に挿入され且つ固定ピン（規制手段）４０１の基端側部分が第２被挿入部材４３０の第２挿入孔（第１挿入部）４３３に挿入される。そして、先端側係止爪４０４が第１被挿入部材（第３部材）４１０に係止され且つ基端側係止爪４０６が第２被挿入部材４３０に係止されて、固定ピン（規制手段）３１０の抜脱方向への移動が規制される。したがって、基板ボックス（第１部材）１０２のスライド移動が規制されて基板ボックス（第１部材）１０２を台座装置（第２部材）２０１に固定した状態が維持される。
【０３９０】
また、かかる状態で、第１被挿入部材（第３部材）４１０は、嵌合部３２１から取り出される側に第２被挿入部材４３０が対向して配置されているので、第２被挿入部材４３０が裏ケース体１２０から分離されるまでは、嵌合部３２１から取り外すことができない。したがって、可動ベース部２０３を回動させた場合に基板ボックス（第１部材）１０２内の制御基板の裏面を筐体２の正面側から視認可能としつつ、第１被挿入部材（第３部材）３１０に係止された先端側係止爪３０４を、嵌合部３２１によって外部から覆い隠して、先端側係止爪３０４に対して直接触れるのを禁止し、不正な解除操作を防ぐことができる。
【０３９１】
特に、本実施の形態では、固定ピン（規制手段）４１０が先端側係止爪４０４と基端側係止爪４０６を有しているので、例えば、第２被挿入部材４３０を基板ボックス（第１部材）１０２から分離せずに固定ピン（規制手段）４１０を取り外すには、先端側係止爪４０４に対して係止解除操作を行うと同時に、基端側係止爪４０６に対しても係止解除操作を行わなければならないが、かかる操作は煩雑であり、また、困難である。したがって、固定ピン（規制手段）４１０の不正な取り外しを防止でき、高いセキュリティ性を有する。
【０３９２】
一方、基板ボックス（第１部材）１０２を可動ベース部２０３から正規に取り外す場合、第２被挿入部材４３０を基板ボックス（第１部材）１０２の裏ケース体１２０から分離して第１被挿入部材（第３部材）４１０との対向を解除し、第１被挿入部材（第３部材）４１０を固定ピン（規制手段）４１０と共に嵌合部３２１から取り外す。第１被挿入部材（第３部材）４１０は、嵌合部３２１から取り出されると、２つのプレート部材４１１に分解されて互いに離反し、固定ピン（規制手段）４０１から取り外される。そして、第２被挿入部材４３０は、裏ケース体１２０から分離されると、２つに分解されて互いに離反し、固定ピン（規制手段）４０１から取り外される。
【０３９３】
すなわち、台座装置（第２部材）２０１に固定されている基板ボックス（第１部材）１０２の第２被挿入部材４３０を分離した場合に、第２被挿入部材４３０を固定ピン（規制手段）４１０から簡単に取り外すことができる。そして、第１被挿入部材（第３部材）４１０を可動ベース部２０３の嵌合部３２１から取り出した場合に、第１被挿入部材（第３部材）４１０を固定ピン（規制手段）４１０から簡単に取り外すことができる。したがって、固定ピン（規制手段）４１０を破壊することなく、再使用可能な状態で第１被挿入部材（第３部材）４１０及び第２被挿入部材４３０から取り外すことができる。
【０３９４】
また、固定ピン（規制手段）４０１の先端側係止爪４０４が係止される第１被挿入部材（第３部材）４１０を、可動ベース部２０３とは別体に設けて嵌合部３２１に着脱自在な構成としたので、第１被挿入部材（第３部材）４１０を成形する成形型と、可動ベース部２０３を成形する成形型を別々の物にすることができ、各成形型の構造を簡単化することができる。したがって、成形型の製造を容易なものとし、生産コストを低減でき、遊技機の提供価格の高騰を抑制することができる。
【０３９５】
尚、上述の第２実施の形態では、第１被挿入部材（第３部材）４１０が２個のプレート部材４１１からなる場合を例に説明したが、これに限定されるものではなく、３個以上のプレート部材によって構成し、第１被挿入部材（第３部材）４１０を第１挿入孔（第２挿入部）４１４の径方向に分解可能な構成としてもよい。同様に、上述の第２実施の形態では、第２被挿入部材４３０が第２挿入孔（第１挿入部）４３３の径方向に２つに分解される構成を例に説明したが、３個以上に分解される構成としてもよい。
【０３９６】
［第３実施の形態］
次に、第３実施の形態における固定手段５００の構成について以下に詳細に説明する。尚、第１実施の形態と同様の構成要素については同一の符号を付することでその詳細な説明を省略する。
【０３９７】
本実施の形態では、第２被挿入部材５３０を基板ボックス（第１部材）１０２の裏ケース体１２０から分離し、第１被挿入部材（第３部材）５１０を台座装置（第２部材）２０１の可動ベース部２０３から分離した後、固定ピン（規制手段）５０１を第１被挿入部材（第３部材）５１０に対して相対的に回転させることによって、固定ピン（規制手段）５０１から第１被挿入部材（第３部材）５１０を取り外し、次いで、固定ピン（規制手段）５０１を第２被挿入部材５３０に対して相対的に回転させることによって、固定ピン（規制手段）５０１から第２被挿入部材５３０を取り外す構成の場合を例に説明する。
【０３９８】
図３７は、固定ピン（規制手段）５０１の斜視図、図３８及び図３９は、第１被挿入部材（第３部材）５１０の構成を説明する図、図４０は、第１被挿入部材（第３部材）５１０と嵌合部３２１の構成を説明する図、図４１及び図４２は、第２被挿入部材５３０の構成を説明する図、図４３及び図４４は、固定手段５００の断面図である。
【０３９９】
固定手段５００は、固定ピン（規制手段）５０１と、第１被挿入部材（第３部材）５１０と、第２被挿入部材５３０を備えている。
【０４００】
固定ピン（規制手段）５０１は、所定の剛性を有する例えばポリカーボネイトなどの合成樹脂製材料によって構成されており、丸棒状の軸部５０２を有している。軸部５０２は、所定の肉厚を有する円筒形状を有しており、軸部５０２の基端には段差を介して拡径された円盤状の鍔部５０３が設けられている。鍔部５０３は、第２被挿入部材５３０の後述する第２挿入孔（第１挿入部）５３３に固定ピン（規制手段）５０１の基端側部分が挿入された状態で第２被挿入部材５３０と当接して固定ピン（規制手段）５０１の挿入方向への移動を規制する当接部を構成する。
【０４０１】
固定ピン（規制手段）５０１の先端側部分には、腕部５０５を介して先端側係止爪５０４が設けられている。腕部５０５は、軸部５０２の先端から軸方向に沿って延出しており、軸部５０２の軸方向に直交する方向に互いに離反するように一対が設けられている。各腕部５０５は、先端側係止爪５０４を互いに接近する方向に付勢することによって弾性変形し、また、付勢力の消失により復元して元の位置に戻すことができるように構成されている。
【０４０２】
先端側係止爪５０４は、各腕部５０５の先端に各々設けられており、軸部５０２よりも径方向外側に突出している。そして、腕部５０５に対してほぼ垂直面となるように段差状に形成された段差面５０４ａと、腕部５０５の基端側から先端側に移行するにしたがって段差面５０４ａの外縁から漸次縮径するように傾斜状に形成された傾斜面５０４ｂを有している。
【０４０３】
段差面５０４ａは、固定ピン（規制手段）５０１を第１被挿入部材（第３部材）５１０の第１挿入孔（第２挿入部）５１３に挿入した場合に、後述する第１被挿入部材（第３部材）５１０の第１係止部５１７の後端面５１７ａに対向できるように平面状に形成されている。
【０４０４】
傾斜面５０４ｂは、固定ピン（規制手段）５０１を第１被挿入部材（第３部材）５１０の第１挿入孔（第２挿入部）５１３に挿入する際に、第１挿入孔（第２挿入部）５１３の内周面に当接して一対の腕部５０５を互いに接近する方向に付勢できるように形成されている。
【０４０５】
固定ピン（規制手段）５０１の基端側部分には、腕部５０７を介して基端側係止爪５０６が設けられている。腕部５０７は、軸部５０２に開口形成された窓穴部５０２ａ内で、軸部５０２の軸方向に沿って軸部５０２の基端側から先端側に向かって延出しており、互いに軸部５０２の軸方向に直交する方向に離反するように一対が設けられている。
【０４０６】
各腕部５０７は、基端側係止爪５０６を互いに接近する方向に付勢することによって弾性変形し、また、付勢力の消失により復元して元の位置に戻すことができるように構成されている。
【０４０７】
基端側係止爪５０６は、各腕部５０７の先端に各々設けられており、軸部５０２よりも径方向外側に突出している。そして、腕部５０７に対してほぼ垂直面となるように段差状に形成された段差面５０６ａと、腕部５０７の基端側から先端側に移行するにしたがって段差面５０６ａの外縁から漸次縮径するように傾斜状に形成された傾斜面５０６ｂを有している。
【０４０８】
段差面５０６ａは、固定ピン（規制手段）５０１の基端側部分を第２被挿入部材５３０の第２挿入孔（第１挿入部）５３３に挿入した場合に、後述する第２挿入孔（第１挿入部）５３３内の後側段差面５３５ａに対向できるように平面状に形成されている。
【０４０９】
傾斜面５０６ｂは、固定ピン（規制手段）５０１の基端側部分を第２被挿入部材５３０の第２挿入孔（第１挿入部）５３３に挿入する際に、第２係止部５３４の湾曲面５３４ａに当接して一対の腕部５０７を互いに接近する方向に付勢できるように形成されている。
【０４１０】
先端側係止爪５０４と基端側係止爪５０６は、各先端側係止爪５０４が互いに離反する方向と各基端側係止爪５０６が互いに離反する方向とが、９０度の位相角度となる位置関係を有している。そして、先端側係止爪５０４と基端側係止爪５０６は、軸部５０２の軸心からの径方向高さが略同一になるように形成されている。
【０４１１】
第１被挿入部材（第３部材）５１０は、固定ピン（規制手段）５０１と同様に所定の剛性を有する例えばポリカーボネイトなどの合成樹脂製材料からなる。第１被挿入部材（第３部材）５１０は、正面斜視図である図３８（ａ）及び背面斜視図である図３８（ｂ）、及び図３９に示すように、横長矩形の平板部５１２を有している。平板部５１２は、可動ベース部２０３の底板部２６１とほぼ同一の厚さを有する平板形状を有している。平板部５１２は、嵌合部３２１の矩形凹部３２１ａ内に嵌め込まれて収容される大きさを有する。
【０４１２】
平板部５１２の長手方向略中央位置には、第１挿入孔（第２挿入部）５１３が穿設されている。第１挿入孔（第２挿入部）５１３は、固定ピン（規制手段）５０１の先端側部分を挿通可能な丸孔形状を有している。第１挿入孔（第２挿入部）５１３は、固定ピン（規制手段）５０１の軸部５０２の外径よりも若干大きくかつ一対の先端側係止爪５０４の最大離間距離よりも小さな内径を有し、固定ピン（規制手段）３０１の先端側部分を挿入した場合に固定ピン（規制手段）５０１の軸部５０２との間に若干の間隙を有して内周面が対向するように構成されている。
【０４１３】
そして、平板部５１２には、第１挿入孔（第２挿入部）５１３の一部を径方向外側に向かって広げるように第１通路部５１４が切欠形成されている。第１通路部５１４は、固定ピン（規制手段）５０１の先端側部分が第１被挿入部材（第３部材）５１０の第１挿入孔（第２挿入部）５１３に挿入されて固定ピン（規制手段）５０１が第１被挿入部材（第３部材）５１０に対して予め設定された回転解除位置に配置された場合に、各先端側係止爪５０４に対して固定ピン（規制手段）５０１の抜脱方向側に配置される。そして、第１被挿入部材（第３部材）５１０に対して固定ピン（規制手段）５０１を相対的に抜脱方向に付勢した場合に、先端側係止爪５０４を第１挿入孔（第２挿入部）５１３の軸方向に沿って通過させて規制手段の抜脱方向への移動を許容する構成を有する。
【０４１４】
第１通路部５１４は、第１挿入孔（第２挿入部）５１３を間に介して互いに離反する位置に対をなして形成されており、平板部５１２の長手方向一方側で第１挿入孔（第２挿入部）５１３に対して斜め下部位置（図３９では右側斜め下部位置）に一方が配置され、平板部５１２の長手方向他方側で第１挿入孔（第２挿入部）５１３に対して斜め上部位置（図３９では左側斜め上部位置）に他方が配置されている。第１通路部５１３は、第１挿入孔（第２挿入部）５１３に先端側部分が挿入された固定ピン（規制手段）５０１を第１挿入孔（第２挿入部）５１３の軸心に沿って移動させた場合に、先端側係止爪５０４を通過させることができる大きさを有する。
【０４１５】
そして、平板部５１２には、第１係止部５１７及び第１回転規制部５１８が設けられている。
【０４１６】
第１係止部５１７は、固定ピン（規制手段）５０１の先端側部分が第１被挿入部材（第３部材）５１０の第１挿入孔（第２挿入部）５１３に挿入されて固定ピン（規制手段）５０１が第１被挿入部材（第３部材）５１０に対して予め設定された回転係止位置に配置された場合に、各先端側係止爪５０４に対して固定ピン（規制手段）５０１の抜脱方向側に対向して配置される。そして、第１被挿入部材（第３部材）５１０に対して固定ピン（規制手段）５０１を相対的に抜脱方向に付勢した場合に、先端側係止爪５０４に当接して第１被挿入部材（第３部材）５１０に対する固定ピン（規制手段）５０１の相対的な抜脱方向への移動を規制する構成を有する。
【０４１７】
第１係止部５１７は、第１挿入孔（第２挿入部）５１３を間に介して平板部５１２の短手方向に互いに離反する位置（図３９では上下位置）に対をなして設けられており、一定の肉厚を有して第１挿入孔（第２挿入部）５１３の外縁に沿う円弧形状を有している。
【０４１８】
第１係止部５１７の後端面５１７ａは、第１挿入孔（第２挿入部）５１３の軸方向に直交する平面状に形成されており、固定ピン（規制手段）５０１が回転係止位置に配置された場合に、先端側係止爪５０４の段差面５０４ａと対向するように形成されている。そして、かかる状態から固定ピン（規制手段）５０１を抜脱方向に付勢した場合に、先端側係止爪５０４の段差面５０４ａを当接させて抜脱方向への移動を規制し、先端側係止爪５０４を第１被挿入部材（第３部材）５１０に係止するようになっている。
【０４１９】
尚、本実施の形態では、固定ピン（規制手段）５０１の回転係止位置は、第１被挿入部材（第３部材）５１０に対して固定ピン（規制手段）５０１の各先端側係止爪５０４が上下に配置される位置で且つ第２被挿入部材５３０に対して固定ピン（規制手段）５０１の各基端側係止爪５０６が上下に配置される位置として予め設定されている。
【０４２０】
第１回転規制部５１８は、後述する第２被挿入部材５３０の第２回転規制部５３６と協働して、固定ピン（規制手段）５０１を回転係止位置に位置決めする回転位置決め手段を構成する。第１回転規制部５１８は、固定ピン（規制手段）５０１の先端側係止爪５０４が第１係止部５１７に係止された状態から固定ピン（規制手段）５０１が第１被挿入部材（第３部材）５１０に対して軸周りに回転方向一方側に相対的に回転移動されるのを規制する構成を有する。
【０４２１】
第１回転規制部５１８は、第１挿入孔（第２挿入部）５１３を間に介して互いに離反する位置であって、一対の第１通路部５１４が離反する方向に直交する方向に互いに離反する位置に対をなして設けられている。具体的には、平板部５１２の長手方向一方側で第１挿入孔（第２挿入部）５１３に対して斜め上部位置（図３９では右側斜め上部位置）に一方が配置され、平板部５１２の長手方向他方側で第１挿入孔（第２挿入部）５１３に対して斜め下部位置（図３９では左側斜め下部位置）に他方が配置されている。
【０４２２】
各第１回転規制部５１８は、それぞれ第１対向面５１８ａを有している。第１対向面５１８ａは、固定ピン（規制手段）５０１の先端側係止爪５０４が第１係止部５１７に係止された状態で先端側係止爪５０４の回転方向一方（図３９では時計回り）側に対向する。そして、かかる状態から固定ピン（規制手段）５０１を軸周りに回転方向一方側に回転させようとした場合に先端側係止爪５０４を当接させて固定ピン（規制手段）５０１の回転を規制するようになっている。
【０４２３】
そして、一対の先端側係止爪５０４を互いに接近する方向に付勢して各腕部５０５を弾性変形させた状態でも、先端側係止爪５０４の回転方向一方側と対向し、固定ピン（規制手段）５０１の回転を規制するように構成されている。
【０４２４】
尚、固定ピン（規制手段）５０１は、第１回転規制部５１８によって回転方向一方側への回転移動が規制されるが、回転方向他方側への回転移動は規制されず、先端側係止爪５０４の抜脱方向側に第１通路部５１４が配置される位置まで相対的に回転移動させることができる。
【０４２５】
平板部５１２の長手方向両端部には、第１被挿入部材（第３部材）５１０を可動ベース部２０３の嵌合部３２１に着脱自在に保持させるための保持爪５１５が設けられている。保持爪５１５は、平板部５１２から突出する腕部５１６の先端に設けられている。
【０４２６】
腕部５１６は、左右で一対をなし、平板部５１２の長手方向両端部にそれぞれ基端が設けられ、平板部５１２に対して直交する方向でかつ互いに平行に延在する。そして、弾性変形により保持爪５１５を互いに接近する方向に向かって移動させ、復元により保持爪５１５を元の位置に戻すことができる弾性力を有している。
【０４２７】
各保持爪５１５は、各腕部５１６の先端で互いに離反する方向に向かって突設されており、腕部５１６に対してほぼ垂直面となるように段差状に形成された段差面５１５ａと、腕部５１６の基端側から先端側に移行するにしたがって段差面５１５ａの外縁から互いに接近する方向に向かって移行する傾斜面５１５ｂを有している。
【０４２８】
上記構成を有する第１被挿入部材（第３部材）５１０は、可動ベース部２０３の嵌合部３２１に着脱自在に取り付けられる。尚、嵌合部３２１の構成については、第１実施の形態と同様であるので、その詳細な説明を省略する。
【０４２９】
第１被挿入部材（第３部材）５１０は、一対の保持爪５１５を互いに接近する方向に弾性変形させて爪孔部３２１ｃに挿通し、保持爪５１５を開口孔３２１ｄから突出させて、腕部５１６を復元させ、保持爪５１５を嵌合部３２１の後端面に引っ掛けることができ、嵌合部３２１に取り付けられる（例えば、図４３を参照）。第１被挿入部材（第３部材）５１０は、第１挿入孔（第２挿入部）４１４の軸心が基板ボックス（第１部材）１０２のスライド方向に直交する方向に延在するように嵌合部３２１に取り付けられる。
【０４３０】
また、第１被挿入部材（第３部材）５１０を嵌合部３２１から取り外すときは、開口孔３２１ｄから突出している一対の保持爪５１５を互いに接近する方向に付勢して、各腕部５１６を弾性変形させ、保持爪５１５の引っ掛かりを外して取り外すことができる。
【０４３１】
第２被挿入部材５３０は、裏ケース体１２０の裏面側の斜視図である図４１（ａ）及びその要部を拡大して示す図である図４１（ｂ）に示すように、基板ボックス（第１部材）１０２の裏ケース体１２０に一体に設けられている。そして、基板ボックス（第１部材）１０２を台座装置（第２部材）２０１の可動ベース部２０３に装着した場合に、可動ベース部２０３の各第１被挿入部材（第３部材）５１０に対して基板ボックス（第１部材）１０２のスライド移動方向に直交する方向で且つ第１被挿入部材（第３部材）５１０の平板部４１２にそれぞれ対向するように設けられている。
【０４３２】
第２被挿入部材５３０は、図４１及び図４２に示すように、一定の肉厚を有する円筒形状を有しており、その中心には、第２挿入孔（第１挿入部）５３３が穿設されている。第２被挿入部材５３０は、裏ケース体１２０の角孔部１２３内にゲート部３３１によって支持されている。
【０４３３】
第２被挿入部材５３０は、固定ピン（規制手段）５０１の軸部５０２とほぼ同一の軸方向長さを有している。そして、第２挿入孔（第１挿入部）５３３は、第２被挿入部材５３０を貫通して形成されており、基板ボックス（第１部材）１０２のスライド方向に直交する方向に延在し、基板ボックス（第１部材）１０２が可動ベース部２０３に保持された状態で、第１被挿入部材（第３部材）５１０の第１挿入孔（第２挿入部）５１３と同軸上に連続する位置に配置される構成を有する。
【０４３４】
第２挿入孔（第１挿入部）５３３は、固定ピン（規制手段）５０１を挿入した場合に基端側係止爪５０６との間に若干の間隙を形成し、且つ鍔部５０３を収容可能な内径を有している。第２被挿入部材５３０は、基板ボックス（第１部材）１０２を可動ベース部２０３に取り付けた場合に、第２挿入孔（第１挿入部）５３３が第１被挿入部材（第３部材）５１０の第１挿入孔（第２挿入部）５１３と同軸上に連続する位置に配置されるように設けられている。
【０４３５】
第２被挿入部材５３０の第２挿入孔（第１挿入部）５３３内には、第２係止部５３４、第２通路部５３５、第２回転規制部５３６が形成されている。第２係止部５３４は、固定ピン（規制手段）５０１の基端側部分が第２挿入孔（第１挿入部）５３３内に挿入されて、固定ピン（規制手段）５０１が第２被挿入部材５３０に対して予め設定された回転係止位置に配置された場合に、各基端側係止爪５０６に対して固定ピン（規制手段）５０１の抜脱方向側に対向して配置される。そして、第２被挿入部材５３０に対して固定ピン（規制手段）５０１を相対的に抜脱方向に付勢した場合に、基端側係止爪５０６に当接して第２被挿入部材５３０に対する固定ピン（規制手段）５０１の相対的な抜脱方向への移動を規制する構成を有する。
【０４３６】
第２係止部５３４は、図４２に示すように、第２挿入孔（第１挿入部）５３３内で左右に離反して対をなすように突設されている。各第２係止部５３４は、固定ピン（規制手段）５０１を第２挿入孔（第１挿入部）５３３内に挿入した状態で、固定ピン（規制手段）５０１の軸部５０２の外周面に沿って対向し、固定ピン（規制手段）５０１を軸周りに回転自在に支持可能な湾曲面５３４ａを有している。湾曲面５３４ａは、第２挿入孔（第１挿入部）５３３と同一の中心軸線を中心として軸部５０２の半径よりも若干大きな半径を有して凹状に湾曲するように形成されている。
【０４３７】
各第２係止部５３４の端面のうち、第２挿入孔（第１挿入部）５３３の軸方向後側に位置する後端面５３４ｂは、第２挿入孔（第１挿入部）５３３の軸方向に直交する方向に沿って平面状に形成されている。そして、固定ピン（規制手段）５０１を第２被挿入部材５３０に対して予め設定された回転係止位置に配置させた場合に、基端側係止爪５０６の段差面５０６ａに対向するように形成されている。そして、かかる状態から固定ピン（規制手段）５０１を抜脱方向に付勢した場合に、基端側係止爪５０６の段差面５０６ａを第２係止部５３４の後端面５３４ｂに当接させて固定ピン（規制手段）５０１の抜脱方向への移動を規制し、基端側係止爪５０６を第２被挿入部材５３０に係止することができるようになっている。
【０４３８】
各第２係止部５３４の端面のうち、第２挿入孔（第１挿入部）５３３の軸方向前側に位置する前端面５３４ｃは、第２挿入孔（第１挿入部）５３３の軸方向に直交する方向に沿って平面状に形成されている。そして、第２挿入孔（第１挿入部）５３３に挿入された鍔部３０３と当接して、固定ピン（規制手段）５０１がそれ以上挿入方向に移動されるのを規制し、固定ピン（規制手段）５０１を所定の挿入位置に位置決めすることができるように構成されている。
【０４３９】
第２通路部５３５は、固定ピン（規制手段）５０１の基端側部分が第２挿入孔（第１挿入部）５３３内に挿入されて予め設定された回転解除位置に配置されている場合に基端側係止爪５０６を通過させて固定ピン（規制手段）５０１の抜脱方向への移動を許容する構成を有する。
【０４４０】
第２通路部５３５は、一対の第２係止部５３４の間に形成されており、第２挿入孔（第１挿入部）５３３内で上下に離反して対をなしている。そして、第２被挿入部材５３０に対して固定ピン（規制手段）５０１を軸周りに相対的に回転させて回転係止位置から回転解除位置に移動させた場合に、第２係止部５３４の後端面５３４ｂに対する基端側係止爪５０６の段差面５０６ｂの対向を解除し、固定ピン（規制手段）５０１の抜脱方向側に第２通路部５３５を配置される。そして、第２被挿入部材５３０に対して固定ピン（規制手段）５０１を相対的に抜脱方向に付勢した場合に、基端側係止爪５０６を第２挿入孔（第１挿入部）５３３の軸方向に沿って通過させて固定ピン（規制手段）５０１の抜脱方向への移動を許容する構成を有する。
【０４４１】
第２回転規制部５３６は、第１回転規制部５１８と協働して、固定ピン（規制手段）５０１を回転係止位置に位置決めする回転位置決め手段を構成する。第２回転規制部５３６は、固定ピン（規制手段）５０１の基端側係止爪５０６が第２係止部５３４に係止された状態から固定ピン（規制手段）が第２被挿入部材５３０に対して軸周りに回転方向他方側に相対的に回転移動されるのを規制する構成を有する。第２回転規制部５３６は、第２挿入孔（第１挿入部）５３３内の第２係止部５３４よりも軸方向後側に突設されており、図４２に示すように、左右に離反して対をなして設けられている。
【０４４２】
第２回転規制部５３６は、第２係止部５３４の後端面５３４ｂの一部を段差を介して軸方向後側に向かって突出させることによって形成されており、第２挿入孔（第１挿入部）５３３内の左右方向一方側でかつ斜め上部位置（図４２では右側斜め上部位置）に一方が配置され、他方が第２挿入孔（第１挿入部）５３３内の左右方向他方側でかつ斜め下部位置（図４２では、左側斜め下部位置）に配置されている。
【０４４３】
各第２回転規制部５３６は、それぞれ第２対向面５３６ａを有している。第２対向面５３６ａは、固定ピン（規制手段）５０１の基端側部分が第２係止部５３４に係止された状態で基端側係止爪５０６の回転方向他方（図４２では、反時計回り）側に対向する。そして、かかる状態から固定ピン（規制手段）５０１を軸周りに回転方向他方側に回転させようとした場合に基端側係止爪５０６を当接させて固定ピン（規制手段）５０１の回転を規制するようになっている。
【０４４４】
そして、一対の基端側係止爪５０６を互いに接近する方向に付勢して各腕部５０７を弾性変形させた状態でも、基端側係止爪５０６の回転方向他方側と対向し、固定ピン（規制手段）５０１の回転方向他方側への回転を規制するように構成されている。
【０４４５】
尚、固定ピン（規制手段）５０１は、第２回転規制部５３６によって回転方向他方側への回転移動が規制されるが、回転方向一方側（図４２では時計回り）への回転移動は規制されず、基端側係止爪５０６の抜脱方向側に第２通路部５３５が配置される位置まで相対的に回転移動させることができる。
【０４４６】
第２被挿入部材５３０は、基板ボックス（第１部材）１０２を可動ベース部２０３に取り付けた場合に、第１被挿入部材（第３部材）５１０に対向して、第１被挿入部材（第３部材）５１０の取り出し方向への移動を妨げる位置に配置される。そして、ゲート部３３１が切断されて第２被挿入部材５３０が基板ボックス（第１部材）１０２の裏ケース体１２０から取り外されると、第１被挿入部材（第３部材）５１０との対向が解除されて、第１被挿入部材（第３部材）５１０を嵌合部３２１から取り外すことができるようになっている。
【０４４７】
次に、上記固定手段５００の使用方法及び作用効果について説明する。固定手段５００により基板ボックス（第１部材）１０２を可動ベース部２０３に固定するには、基板ボックス（第１部材）１０２を可動ベース部２０３に対してスライド移動させて装着する。これにより、第１被挿入部材（第３部材）５１０の第１挿入孔（第２挿入部）５１３と、第２被挿入部材５３０の第２挿入孔（第１挿入部）５３３が基板ボックス（第１部材）１０２のスライド方向に直交する方向に同軸上に配置される。
【０４４８】
そして、固定ピン（規制手段）５０１を基板ボックス（第１部材）１０２の前方から第２被挿入部材５３０の第２挿入孔（第１挿入部）５３３内に挿入する。固定ピン（規制手段）５０１は、先端側係止爪５０４が上下に配置され、基端側係止爪５０６が左右に配置された姿勢状態で挿入される。  これにより、各先端側係止爪５０４がそれぞれ第２通路部５３５を通過して、固定ピン（規制手段）５０１の先端側部分が第２挿入孔（第１挿入部）５３３に挿入され、第２被挿入部材５３０の後端面５３０ｂから先端側係止爪５０４が突出する。
【０４４９】
先端側係止爪５０４は、第２被挿入部材５３０の後端面５３０ｂから突出すると、第２挿入孔（第１挿入部）５３３に同軸上に連続する第１被挿入部材（第３部材）５１０の第１挿入孔（第２挿入部）５１３に挿入される。そして、各先端側係止爪５０４の傾斜面５０４ｂが第１挿入孔（第２挿入部）５１３の内周面に当接し、また、基端側係止爪５０６の傾斜面５０６ｂが第２係止部５３４の湾曲面５３４ａに当接した状態とされる。
【０４５０】
かかる状態から、固定ピン（規制手段）５０１を更に挿入方向に向かって押し込むことで、先端側係止爪５０４は、第１挿入孔（第２挿入部）５１３の内周面によって互いに接近する方向に付勢され、第１挿入孔（第２挿入部）５１３内に進入して、第１挿入孔（第２挿入部）５１３内を通過し、第１係止部５１７の後端面５１７ａから先端側係止爪５０４全体が突出する。
【０４５１】
先端側係止爪５０４は、第１係止部５１７の後端面５１７ａから先端側係止爪５０４全体が突出すると、第１挿入孔（第２挿入部）５１３の内周面による付勢が解除され、腕部５０５が復元して、先端側係止爪５０４の段差面５０４ａが第１係止部５１７の後端面５１７ａに対向する位置に配置されると共に、先端側係止爪５０４の回転方向一方側が第１回転規制部５１８の対向面５１８ａに対向配置される。これにより、第１被挿入部材（第３部材）５１０に対する固定ピン（規制手段）５０１の抜脱方向への移動と、回転方向一方側への移動が規制される。
【０４５２】
そして、各基端側係止爪５０６もそれぞれ第２挿入孔（第１挿入部）５３３内に進入して、第２係止部５３４の湾曲面５３４ａによって互いに接近する方向に付勢され、一対の第２係止部５３４の湾曲面５３４ａの間を通過し、第２係止部５３４の後端面５３４ｂよりも基端側係止爪５０６全体が突出する。
【０４５３】
基端側係止爪５０６は、第２係止部５３４の後端面５３４ｂよりも基端側係止爪５０６全体が突出すると、第２係止部５３４の湾曲面５３４ａによる付勢が解除されて腕部５０７が復元し、基端側係止爪５０６の段差面５０６ａが第２被挿入部材５３０の後端面５３０ａに対向する位置に配置されると共に、基端側係止爪５０６の回転方向他方側が第２回転規制部５３６の対向面５３６ａに対向配置される。これにより、第２被挿入部材５３０に対する固定ピン（規制手段）５０１の抜脱方向への移動と、回転方向他方側への移動が規制される。
【０４５４】
そして、固定ピン（規制手段）５０１の先端側部分が第１挿入孔（第２挿入部）５１３に挿入されて先端側係止爪５０４が第１被挿入部材（第３部材）５１０に係止され、固定ピン（規制手段）５０１の基端側部分が第２挿入孔（第１挿入部）５３３に挿入されて基端側係止爪５０６が第２被挿入部材に係止されると、鍔部５０３が第２係止部５３４の前端面５３４ｃに当接して固定ピン（規制手段）５０１の更なる挿入方向への移動が規制される。
【０４５５】
かかる状態から固定ピン（規制手段）５０１を挿入方向とは逆向きの抜脱方向に付勢した場合、先端側係止爪５０４の段差面５０４ａが第１係止部５１７の後端面５１７ａに当接すると共に、基端側係止爪５０６の段差面５０６ａが第２係止部５３４の後端面５３４ｂに当接して、固定ピン（規制手段）５０１の抜脱方向への移動が規制される。
【０４５６】
また、かかる状態から固定ピン（規制手段）５０１を回転方向一方側に回転させようとした場合、先端側係止爪５０４が第１回転規制部５１８の対向面５１８ａに当接して固定ピン（規制手段）５０１の回転方向一方側への回転移動が規制される。
【０４５７】
そして、固定ピン（規制手段）５０１を回転方向他方側に回転させようとした場合、基端側係止爪５０６が第２回転規制部５３６の対向面５３６ａに当接して固定ピン（規制手段）５０１の回転方向他方側への回転移動が規制される。
【０４５８】
したがって、固定ピン（規制手段）５０１は、先端側係止爪５０４が第１被挿入部材（第３部材）５１０に係止され且つ基端側係止爪５０６が第２被挿入部材５３０に係止される。そして、第１回転規制部５１８と第２回転規制部５３６によって、固定ピン（規制手段）５０１の回転方向一方側及び回転方向他方側への回転移動が規制され、回転係止位置に位置決めされる。
【０４５９】
したがって、固定ピン（規制手段）５０１を第１被挿入部材（第３部材）５１０及び第２被挿入部材５３０から取り外すことができない状態とすることができる。したがって、可動ベース部２０３に対する基板ボックス（第１部材）１０２の相対的なスライド移動が禁止され、基板ボックス（第１部材）１０２を可動ベース部２０３から分離して取り外すことができないように固定することができる。
【０４６０】
また、先端側係止爪５０４が第１被挿入部材（第３部材）５１０に係止されて固定ピン（規制手段）５０１の抜脱方向への移動が規制されると共に鍔部５０３が第２係止部５３４の前端面５３４ｃに当接して固定ピン（規制手段）５０１の挿入方向への移動が規制されるので、可動ベース部２０３と基板ボックス（第１部材）１０２とを固定ピン（規制手段）５０１の軸方向に沿って互いに離反する方向に付勢した場合に、可動ベース部２０３と基板ボックス（第１部材）１０２との間に隙間が形成されるのを防ぐことができ、かかる隙間から固定ピン（規制手段）５０１に不正な細工がなされるのを防止できる。
【０４６１】
一方、基板ボックス（第１部材）１０２を台座装置（第２部材）２０１から正規に取り出す場合、まず最初にゲート部３３１を切断して、固定ピン（規制手段）５０１の基端側係止爪５０６が係止されている第２被挿入部材５３０を裏ケース体１２０から分離する。
【０４６２】
固定ピン（規制手段）５０１は、第２被挿入部材５３０が裏ケース体１２０から分離されると、第２被挿入部材５３０の第２回転規制部５３６による回転規制が解除されて、回転方向他方側への回転が可能となる。したがって、先端側係止爪５０４を回転係止位置から回転解除位置に移動させて、第１係止部５１７の後端面５１７ａに対する段差面５０４ａの対向を解除し、第１通路部５１４の位相に一致させることができる。そして、かかる位相を維持しつつ、固定ピン（規制手段）５０１を抜脱方向に移動させることによって、固定ピン（規制手段）５０１の先端側部分を第１挿入孔（第２挿入部）５１３から抜脱し、固定ピン（規制手段）５０１を第１被挿入部材（第３部材）５１０から取り外すことができる。
【０４６３】
したがって、第１被挿入部材（第３部材）５１０を可動ベース部２０３から取り外すことなく、固定ピン（規制手段）５０１を簡単に取り外すことができ、基板ボックス（第１部材）１０２を可動ベース部２０３に対してスライド方向にスライド移動させて、基板ボックス（第１部材）１０２を可動ベース部２０３から正規に取り出すことができる。
【０４６４】
ここで、固定ピン（規制手段）５０１の基端側部分には、裏ケース体１２０から分離された第２被挿入部材５３０が取り付けられた状態のままとなっているが、この第２被挿入部材５３０を固定ピン（規制手段）５０１から取り外すには、まず、第２被挿入部材５３０に対して固定ピン（規制手段）５０１を回転方向一方側に相対的に回転させて回転係止位置から回転解除位置に配置し、基端側係止爪５０６の段差面５０６ａと第２係止部５３４の後端面５３４ａとの対向を解除する。
【０４６５】
そして、第２被挿入部材５３０に対して固定ピン（規制手段）５０１を抜脱方向に相対的に移動させて、基端側係止爪５０６を第２通路部５３５に通過させ、固定ピン（規制手段）５０１の基端側部分を第２挿入孔（第１挿入部）５３３から抜脱する。
【０４６６】
固定ピン（規制手段）５０１の基端側部分を第２挿入孔（第１挿入部）５３３から抜脱して、そのまま抜脱方向に移動させると、固定ピン（規制手段）５０１の先端側係止爪５０４が第２係止部５３４の後端面５３４ａに当接する。
【０４６７】
そこで、かかる当接状態から第２被挿入部材５３０に対して固定ピン（規制手段）５０１を更に回転方向一方側に回転させて、先端側係止爪５０４の段差面５０４ａと第２係止部５３４の後端面５３４ａとの対向を解除する。
【０４６８】
そして、第２被挿入部材５３０に対して固定ピン（規制手段）５０１を抜脱方向に相対的に移動させて、先端側係止爪５０４を第２通路部５３５に通過させ、固定ピン（規制手段）５０１の先端側部分を第２挿入孔（第１挿入部）５３３から抜脱する。以上の作業によって、固定ピン（規制手段）５０１から第２被挿入部材５３０を取り外すことができる。
【０４６９】
したがって、固定ピン（規制手段）５０１を誤って破壊させることなく、簡単に取り出すことができ、再利用することができる。
【０４７０】
上記固定手段５００によれば、基板ボックス（第１部材）１０２を台座装置（第２部材）２０１に取り付けて、基板ボックス（第１部材）１０２の第２被挿入部材５３０側から固定ピン（規制手段）５０１を挿入した場合に、固定ピン（規制手段）５０１の先端側部分が第１被挿入部材（第３部材）５１０の第１挿入孔（第２挿入部）５１３に挿入され、固定ピン（規制手段）５０１の基端側部分が第２被挿入部材５３０の第２挿入孔（第１挿入部）５３３に挿入される。
【０４７１】
そして、先端側係止爪５０４が第１被挿入部材（第３部材）５１０に係止され、基端側係止爪５０６が第２被挿入部材５３０に係止されて、固定ピン（規制手段）５０１の抜脱方向への移動が規制される。したがって、基板ボックス（第１部材）１０２のスライド移動が規制されて基板ボックス（第１部材）１０２を台座装置（第２部材）２０１に固定することができる。
【０４７２】
また、かかる固定状態では、第１被挿入部材（第３部材）５１０は、嵌合部３２１から離脱される側に第２被挿入部材５３０が対向して配置されているので、第２被挿入部材５３０が裏ケース体１２０から分離されるまでは、嵌合部３２１から取り外すことができない。
【０４７３】
したがって、可動ベース部２０３を回動させた場合に基板ボックス（第１部材）１０２内の制御基板の裏面を筐体２の正面側から視認可能としつつ、第１被挿入部材（第３部材）５１０に係止された先端側係止爪５０４を、嵌合部３２１によって外部から覆い隠して、先端側係止爪５０４に対して直接触れるのを禁止し、不正な解除操作を防ぐことができる。
【０４７４】
一方、基板ボックス（第１部材）１０２を台座装置（第２部材）２０１から正規に取り外す場合、第２被挿入部材５３０を基板ボックス（第１部材）１０２の裏ケース体１２０から分離して、固定ピン（規制手段）５０１を第１被挿入部材（第３部材）５１０に対して相対的に回転させ、先端側係止爪５０４を第１通路部５１４の位相に一致させ、かかる位相状態を維持したまま抜脱方向に移動させて、固定ピン（規制手段）５０１の先端側部分を第１挿入孔（第２挿入部）５１３から抜脱する。これにより、固定ピン（規制手段）５０１を取り外すことができ、基板ボックス（第１部材）１０２を台座装置（第２部材）２０１から簡単に取り外すことができる。
【０４７５】
そして、固定ピン（規制手段）５０１に対して第２被挿入部材５３０を相対的に回転させて、固定ピン（規制手段）５０１から第２被挿入部材５３０を取り外すことができる。したがって、固定ピン（規制手段）５０１を傷つけたり破壊することなく、再使用可能な状態で第１被挿入部材（第３部材）５１０及び第２被挿入部材５３０から簡単に取り外すことができる。
【０４７６】
また、固定ピン（規制手段）５０１の先端側係止爪５０４が係止される第１被挿入部材（第３部材）５１０を、可動ベース部２０３とは別体に設けて嵌合部３２１に着脱自在な構成としたので、第１被挿入部材（第３部材）５１０を成形する成形型と、可動ベース部２０３を成形する成形型を別々の物にすることができ、各成形型の構造を簡単化することができる。したがって、成形型の製造を容易なものとし、生産コストを低減でき、遊技機の提供価格の高騰を抑制することができる。
【０４７７】
尚、上述の第３実施の形態では、固定ピン（規制手段）５０１が先端側係止爪５０４と基端側係止爪５０５との位相角度を９０度とする位置関係を有する場合を例に説明したが、いかなる位相角度であってもよく、例えば、先端側係止爪５０４と基端側係止爪５０５とが０度の位相角度となる位置関係を有してもよい。この場合、例えば、第２被挿入部材５３０は、第１挿入孔（第２挿入部）５１３内の一対の第２係止部５３４が上下に配置され、第２通路部５３５が左右に配置される構成を有する。
【０４７８】
また、上述の第３実施の形態では、先端側係止爪５０４が軸部５０２よりも径方向外側に突出する構成の場合を例に説明したが、例えば、先端側係止爪５０４が軸部５０２よりも径方向内側に位置する構成を有していてもよい。かかる構成によれば、固定ピン（規制手段）５０１の先端側部分を第２挿入孔（第１挿入部）５３３から抜脱する際に、先端側係止爪５０４が第２被挿入部材５３０に引っ掛かることなく、固定ピン（規制手段）５０１を抜脱方向に移動させるだけで固定ピン（規制手段）５０１の先端側部分を第２挿入孔（第１挿入部）５３３から抜脱することができる。したがって、より簡単に固定ピン（規制手段）５０１から第２被挿入部材を取り外すことができる。
【０４７９】
［第４実施の形態］
次に、第４実施の形態における固定手段６００の構成について以下に詳細に説明する。尚、第１実施の形態と同様の構成要素については同一の符号を付することでその詳細な説明を省略する。
【０４８０】
本実施の形態では、第２被挿入部材６３０を基板ボックス（第１部材）１０２の裏ケース体１２０から分離し、第１被挿入部材（第３部材）６１０を台座装置（第２部材）２０１の可動ベース部２０３から分離した後、固定ピン（規制手段）６０１の先端側係止爪６０４を撓ませることによって、固定ピン（規制手段）６０１から第１被挿入部材（第３部材）６１０を取り外し、次いで、固定ピン（規制手段）６０１から第２被挿入部材６３０を取り外すことができる構成の場合を例に説明する。
【０４８１】
図４５は、固定ピン（規制手段）６０１の斜視図、図４６及び図４７は、第１被挿入部材（第３部材）６１０の構成を説明する図、図４８は、第１被挿入部材（第３部材）６１０と嵌合部３２１の構成を説明する図、図４９及び図５０は、第２被挿入部材６３０の構成を説明する図、図５１は、固定手段６００の断面図である。
【０４８２】
固定手段６００は、固定ピン（規制手段）６０１と、第１被挿入部材（第３部材）６１０と、第２被挿入部材６３０を備えている。固定ピン（規制手段）６０１は、所定の剛性を有する例えばポリカーボネイトなどの合成樹脂製材料によって構成されており、丸棒状の軸部６０２を有している。軸部６０２は、所定の肉厚を有する円筒形状を有しており、軸部６０２の基端には段差を介して拡径された円盤状の鍔部６０３が設けられている。鍔部６０３は、第２被挿入部材６３０の後述する第２挿入孔（第１挿入部）６３３に固定ピン（規制手段）６０１の基端側部分が挿入された状態で第２被挿入部材６３０と当接して固定ピン（規制手段）６０１の挿入方向への移動を規制する当接部を構成する。
【０４８３】
固定ピン（規制手段）６０１の先端側部分には、腕部６０５を介して先端側係止爪６０４が設けられている。腕部６０５は、軸部６０２の先端から軸方向に沿って延出しており、互いに軸部６０２の軸方向に直交する方向に離反するように一対が設けられている。各腕部６０５は、先端側係止爪６０４を互いに接近する方向に付勢することによって弾性変形し、また、付勢力の消失により復元して元の位置に戻すことができるように構成されている。
【０４８４】
一対の先端側係止爪６０４は、各腕部６０５の先端にそれぞれ設けられており、互いに離反する方向に突出している。そして、腕部６０５に対してほぼ垂直面となるように段差状に形成された段差面６０４ａと、腕部６０５の基端側から先端側に移行するにしたがって段差面６０４ａの外縁から漸次縮径するように傾斜状に形成された傾斜面６０４ｂを有している。
【０４８５】
段差面６０４ａは、固定ピン（規制手段）６０１の先端側部分を第１被挿入部材（第３部材）６１０の第１挿入孔（第２挿入部）６１３に挿入して先端側係止爪６０４全体を突出させた場合に、第１被挿入部材（第３部材）６１０の後端面６１０ａに対向できるように平面状に形成されている。
【０４８６】
傾斜面６０４ｂは、固定ピン（規制手段）６０１を第１被挿入部材（第３部材）６１０の第１挿入孔（第２挿入部）６１３に挿入する際に、第１挿入孔（第２挿入部）６１３の内周面に当接して一対の腕部６０５を互いに接近する方向に付勢できるように形成されている。
【０４８７】
先端側係止爪６０４は、軸部６０２の外周面よりも径方向内側に位置するように形成されている。換言すると、先端側係止爪６０４は、軸部６０２の軸中心から最大突出部分までの径方向距離が軸部６０２の半径以下の大きさに設定されており、軸部６０２の外周面よりも径方向外側に突出しないように形成されている。
【０４８８】
そして、一対の先端側係止爪６０４の最大離間距離、すなわち、一対の先端側係止爪６０４の最も離間した部位の離間距離が、軸部６０２の直径以下となる大きさを有している。
【０４８９】
固定ピン（規制手段）６０１の基端側部分には、腕部６０７を介して基端側係止爪６０６が設けられている。腕部６０７は、軸部６０２に開口形成された窓穴部６０２ａ内で、軸部６０２の軸方向に沿って軸部６０２の基端側から先端側に向かって延出しており、互いに軸部６０２の軸方向に直交する方向に離反するように一対が設けられている。
【０４９０】
各腕部６０７は、基端側係止爪６０６を互いに接近する方向に付勢することによって弾性変形し、また、付勢力の消失により復元して元の位置に戻すことができるように構成されている。
【０４９１】
一対の基端側係止爪６０６は、各腕部６０７の先端にそれぞれ設けられている。各基端側係止爪６０６は、互いに離反する方向に向かって突出しており、軸部６０２の外周面よりも径方向外側に突出している。
【０４９２】
基端側係止爪６０６は、腕部６０７に対してほぼ垂直面となるように段差状に形成された段差面６０６ａと、腕部６０７の基端側から先端側に移行するにしたがって段差面６０６ａの外縁から漸次縮径するように傾斜状に形成された傾斜面６０６ｂを有している。
【０４９３】
段差面６０６ａは、固定ピン（規制手段）６０１の基端側部分を第２被挿入部材６３０の第２挿入孔（第１挿入部）６３３に挿入した場合に、後述する収容部６３５の後側段差面６３５ａに対向できるように平面状に形成されている。
【０４９４】
傾斜面６０６ｂは、固定ピン（規制手段）６０１の基端側部分を第２被挿入部材６３０の第２挿入孔（第１挿入部）６３３に挿入する際に、第２挿入孔（第１挿入部）６３３の内周面に当接して一対の腕部６０７を互いに接近する方向に付勢できるように形成されている。
【０４９５】
上記構成を有する先端側係止爪６０４と基端側係止爪６０６は、各先端側係止爪６０４が互いに離反する方向と各基端側係止爪６０６が互いに離反する方向とが、０度の位相角度となる位置関係を有しており、軸部６０２の軸方向に一列に並ぶように設けられている。尚、先端側係止爪６０４と基端側係止爪６０６の位置関係は、これに限定されるものではなく、例えば９０度の位相角度となる等、種々の位置関係であってもよい。
【０４９６】
第１被挿入部材（第３部材）６１０は、固定ピン（規制手段）６０１と同様に所定の剛性を有する例えばポリカーボネイトなどの合成樹脂製材料によって構成されており、正面斜視図である図４６（ａ）及び背面斜視図である図４６（ｂ）に示すように、平板部６１２を有している。
【０４９７】
平板部６１２は、横長矩形で可動ベース部２０３の底板部２６１よりも板厚が若干厚い平板ブロック形状を有している。そして、平板部６１２の長手方向略中央位置には、第１挿入孔（第２挿入部）６１３が穿設されている。
【０４９８】
第１挿入孔（第２挿入部）６１３は、固定ピン（規制手段）６０１の先端側部分を挿入可能な丸孔形状を有している。第１挿入孔（第２挿入部）６１３は、一対の腕部６０５の最大離間距離よりも若干大きく且つ一対の先端側係止爪６０４の最大離間距離よりも小さな内径を有している。第１挿入孔（第２挿入部）６１３の軸方向前側部分には、段差面６１４ａを介して拡径された凹部６１４が形成されている。凹部６１４は、先端側係止爪６０４が第１被挿入部材（第３部材）６１０に係止された状態で、軸部６０２の先端が挿入されるように形成されている。
【０４９９】
第１被挿入部材（第３部材）６１０は、固定ピン（規制手段）６０１の先端側部分を第１挿入孔（第２挿入部）６１３に挿入して後端面６１０ａから先端側係止爪６０４全体を突出させた場合に、後端面６１０ａが先端側係止爪６０４の段差面６０４ａと対向する。そして、かかる状態から固定ピン（規制手段）６０１を抜脱方向に相対的に移動させようとした場合に、先端側係止爪６０４の段差面６０４ａを後端面６１０ａに当接させて抜脱方向への移動を規制し、先端側係止爪６０４を係止することができるようになっている。
【０５００】
また、一対の先端側係止爪６０４を互いに接近する方向に付勢して腕部６０５を撓ませた場合に、先端側係止爪６０４の段差面６０４ａと第１被挿入部材（第３部材）６１０の後端面６１０ａとの対向を解除でき、各先端側係止爪６０４を第１挿入孔（第２挿入部）６１３内に通過させて固定ピン（規制手段）６０１の先端側部分を抜脱できるようになっている。
【０５０１】
平板部６１２の長手方向両端部には、第１被挿入部材（第３部材）６１０を可動ベース部２０３の嵌合部３２１に着脱自在に保持させるための保持爪６１５が設けられている。保持爪６１５は、平板部６１２から突出する腕部６１６の先端に設けられている。
【０５０２】
腕部６１６は、左右で一対をなし、平板部６１２の長手方向両端部にそれぞれ基端が設けられ、平板部６１２に対して直交する方向でかつ互いに平行に延在する。そして、弾性変形により保持爪６１５を互いに接近する方向に向かって移動させ、復元により保持爪６１５を元の位置に戻すことができる弾性力を有している。
【０５０３】
各保持爪６１５は、各腕部６１６の先端で互いに離反する方向に向かって突設されており、腕部６１６に対してほぼ垂直面となるように段差状に形成された段差面６１５ａと、腕部６１６の基端側から先端側に移行するにしたがって段差面６１５ａの外縁から互いに接近する方向に向かって移行する傾斜面６１５ｂを有している。
【０５０４】
上記構成を有する第１被挿入部材（第３部材）６１０は、可動ベース部２０３の嵌合部３２１に着脱自在に取り付けられる。尚、嵌合部３２１の構成については、第１実施の形態と同様であるので、その詳細な説明を省略する。
【０５０５】
上記構成を有する第１被挿入部材（第３部材）６１０は、一対の保持爪６１５を互いに接近する方向に弾性変形させて爪孔部３２１ｃに挿通し、保持爪６１５を開口孔３２１ｄから突出させて、腕部６１６を復元させ、保持爪６１５を嵌合部３２１の後端面に引っ掛けることができ、嵌合部３２１に取り付けられる（例えば、図４８を参照）。
【０５０６】
また、第１被挿入部材（第３部材）６１０を嵌合部３２１から取り外すときは、開口孔３２１ｄから突出している一対の保持爪６１５を互いに接近する方向に付勢して、各腕部６１６を弾性変形させ、保持爪６１５の引っ掛かりを外して取り外すことができる。
【０５０７】
第２被挿入部材６３０は、裏ケース体１２０の裏面側の斜視図である図４９（ａ）及びその要部を拡大して示す図である図４９（ｂ）に示すように、基板ボックス（第１部材）１０２の裏ケース体１２０に一体に設けられている。そして、基板ボックス（第１部材）１０２を台座装置（第２部材）２０１の可動ベース部２０３に装着した場合に、可動ベース部２０３の各第１被挿入部材（第３部材）６１０に対して基板ボックス（第１部材）１０２のスライド移動方向に直交する方向で且つ第１被挿入部材（第３部材）６１０にそれぞれ対向するように設けられている。
【０５０８】
第２被挿入部材６３０は、図４９及び図５０に示すように、一定の肉厚を有する円筒形状を有しており、その中心軸線が台座装置（第２部材）２０１に対する基板ボックス（第１部材）１０２のスライド移動方向に直交する方向に沿って延在するように、裏ケース体１２０の角孔部１２３内にゲート部３３１によって支持されている。
【０５０９】
第２被挿入部材６３０は、固定ピン（規制手段）６０１の軸部６０２よりも若干短い軸方向長さを有している。そして、第２被挿入部材６３０の中心には、第２挿入孔（第１挿入部）６３３が穿設されている。第２挿入孔（第１挿入部）６３３は、一定径を有して軸方向に延在する丸穴形状を有しており、固定ピン（規制手段）６０１を挿入した場合に、軸部６０２の外周面との間に若干の間隙を形成できるように軸部６０２の外径よりも若干大きく且つ一対の基端側係止爪６０６の最大離間距離よりも小さな内径を有している。
【０５１０】
第２挿入孔（第１挿入部）６３３の軸方向前側部分には、拡径部６３４が形成されている（図５１を参照）。拡径部６３４は、第２挿入孔（第１挿入部）６３３との間に前側段差面６３４ａを介して拡径されて形成されており、第２被挿入部材６３０の前端面６３０ｂに開口している。
【０５１１】
拡径部６３４は、固定ピン（規制手段）６０１の基端側部分が第２挿入孔（第１挿入部）６３３に挿入された状態で鍔部６０３全体を収容できるように、鍔部６０３の外径よりも若干大きい内径と、鍔部６０３の軸方向長さと同一若しくは若干長い軸方向長さを有している。
【０５１２】
そして、前側段差面６３４ａに鍔部６０３を当接させて、固定ピン（規制手段）６０１がそれ以上挿入方向に移動されるのを規制し、所定の挿入位置に位置決めすることができるようになっている。
【０５１３】
第２挿入孔（第１挿入部）６３３の軸方向後側部分には、収容部６３５が形成されている。収容部６３５は、後側段差面６３５ａを介して拡径されて形成されており、第２被挿入部材６３０の後端面６３０ｂに開口している。そして、基板ボックス（第１部材）１０２を可動ベース部２０３に挿着した場合に、第１被挿入部材（第３部材）６１０によって閉塞されるように構成されている。
【０５１４】
収容部６３５は、固定ピン（規制手段）６０１の基端側係止爪６０６全体を収容できるように、一対の基端側係止爪６０６の最大離間距離よりも若干大きい内径と、基端側係止爪６０６とほぼ同一の軸方向長さを有している。
【０５１５】
そして、固定ピン（規制手段）６０１の基端側部分を第２挿入孔（第１挿入部）６３３に挿入して基端側係止爪６０６を第２被挿入部材６３０の後側段差面６３５ａよりも突出させた場合に、後側段差面６３５ａが基端側係止爪６０６の段差面６０６ａに対向し、かかる状態から固定ピン（規制手段）６０１を抜脱方向に移動させようとした場合に、基端側係止爪６０６の段差面６０６ａを後側段差面６３４ａに当接させて抜脱方向への移動を規制し、基端側係止爪６０６を第２被挿入部材６３０に係止することができるようになっている。
【０５１６】
そして、一対の基端側係止爪６０６を互いに接近する方向に付勢して腕部６０７を撓ませた場合に、基端側係止爪６０６の段差面６０６ａと第２被挿入部材６３０の後側段差面６３４との対向を解除することができ、各基端側係止爪６０６を第２挿入孔（第１挿入部）６３３内に通過させて固定ピン（規制手段）６０１の基端側部分を抜脱できるようになっている。
【０５１７】
第２被挿入部材６３０は、基板ボックス（第１部材）１０２を可動ベース部２０３に取り付けた場合に、第１被挿入部材（第３部材）６１０に対向して、第１被挿入部材（第３部材）６１０の取り出し方向への移動を妨げる位置に配置される。そして、ゲート部３３１が切断されて第２被挿入部材６３０が基板ボックス（第１部材）１０２の裏ケース体１２０から取り外されると、第１被挿入部材（第３部材）６１０との対向が解除されて、第１被挿入部材（第３部材）６１０を嵌合部３２１から取り外すことができるようになっている。
【０５１８】
次に、上記固定手段６００の使用方法及び作用効果について説明する。固定手段６００により基板ボックス（第１部材）１０２を可動ベース部２０３に固定するには、基板ボックス（第１部材）１０２を可動ベース部２０３に対してスライド移動させて装着する。
【０５１９】
これにより、第１被挿入部材（第３部材）６１０の第１挿入孔（第２挿入部）６１３と、第２被挿入部材６３０の第２挿入孔（第１挿入部）６３３が基板ボックス（第１部材）１０２のスライド方向に直交する方向に同軸上に配置される。
【０５２０】
そして、固定ピン（規制手段）６０１を基板ボックス（第１部材）１０２の前方から第２被挿入部材６３０の第２挿入孔（第１挿入部）６３３内に挿入する。固定ピン（規制手段）６０１は、先端側から第２挿入孔（第１挿入部）６３３に挿入され、先端側係止爪６０４の傾斜面６０４ｂが第２挿入孔（第１挿入部）６３３の内周面に当接して、各先端側係止爪６０４が互いに接近する方向に付勢される。そして、各先端側係止爪６０４は、第２挿入孔（第１挿入部）６３３内に進入して通過し、第２被挿入部材６３０から突出する。
【０５２１】
各先端側係止爪６０４は、第２被挿入部材６３０から突出すると、第２挿入孔（第１挿入部）６３３に同軸上に連続する第１被挿入部材（第３部材）６１０の第１挿入孔（第２挿入部）６１３に挿入される。そして、各先端側係止爪６０４の傾斜面６０４ｂが第１挿入孔（第２挿入部）６１３の内周面に当接し、また、基端側係止爪６０６の傾斜面６０６ｂが第２挿入孔（第１挿入部）６３３の内周面に当接した状態とされる。
【０５２２】
かかる状態から、固定ピン（規制手段）６０１を更に押し込むことで、先端側係止爪６０４は、互いに接近する方向に付勢され、第１挿入孔（第２挿入部）６１３内に進入して通過し、第１被挿入部材（第３部材）６１０から突出する。そして、基端側係止爪６０６も互いに接近する方向に付勢され、第２挿入孔（第１挿入部）６３３内に進入して通過し、収容部６３５の後側段差面６３５ａよりも後方に移動する。
【０５２３】
先端側係止爪６０４は、第１被挿入部材（第３部材）６１０から先端側係止爪６０４全体が突出すると、第１挿入孔（第２挿入部）６１３による付勢が解除され、腕部６０５が復元して、先端側係止爪６０４の段差面６０４ａが第１被挿入部材（第３部材）６１０の後端面６１０ａに対向する位置に配置される。
【０５２４】
基端側係止爪６０６は、収容部６３５の後側段差面６３５ａよりも後方に基端側係止爪６０６全体が移動すると、付勢が解除され、腕部６０７が復元して、基端側係止爪６０６の段差面６０６ａが収容部６３５の後側段差面６３５ａに対向する位置に配置される。
【０５２５】
かかる位置で、鍔部６０３が拡径部６３４の前側段差面６３４ａに当接して固定ピン（規制手段）６０１の更なる挿入方向への移動が規制され、固定ピン（規制手段）６０１の位置決めがなされる。
【０５２６】
ここで、固定ピン（規制手段）６０１を挿入方向とは逆向きの抜脱方向に移動させようとした場合、先端側係止爪６０４の段差面６０４ａが第１被挿入部材（第３部材）６１０の後端面６１０ａに当接すると共に、基端側係止爪６０６の段差面６０６ａが収容部６３５の後側段差面６３５ａに当接して、固定ピン（規制手段）６０１の抜脱方向への移動が規制される。
【０５２７】
また、先端側係止爪６０４は嵌合部３２１の丸穴部３２１ｂに収容されて底板部２６１の裏面側から覆い隠されている。したがって、外部から先端側係止爪６０４に触れることができず、先端側係止爪６０４に対する係止解除操作が防止されている。
【０５２８】
そして更に、基端側係止爪６０５は、基端側係止爪６０６を収容する第２被挿入部材６３０の収容部６３５が第１被挿入部材（第３部材）６１０によって塞がれて外部から覆い隠されている。したがって、外部から基端側係止爪６０６に触れることができず、基端側係止爪６０６に対する係止解除操作も防止されている。
【０５２９】
したがって、第１被挿入部材（第３部材）６１０及び第２被挿入部材６３０に対する固定ピン（規制手段）６０１の相対的な挿入方向及び抜脱方向への移動が規制されて、固定ピン（規制手段）６０１を第１被挿入部材（第３部材）６１０及び第２被挿入部材６３０から取り外すことができない状態とすることができる。したがって、可動ベース部２０３に対する基板ボックス（第１部材）１０２の相対的なスライド移動が規制され、基板ボックス（第１部材）１０２を可動ベース部２０３から分離して取り外すことができないように固定することができる。
【０５３０】
一方、基板ボックス（第１部材）１０２を台座装置（第２部材）２０１から正規に取り出す場合、まず最初にゲート部３３１を切断して、固定ピン（規制手段）６０１の基端側係止爪６０６が係止されている第２被挿入部材６３０を裏ケース体１２０から分離する。
【０５３１】
第２被挿入部材６３０が裏ケース体１２０から分離されると、第１被挿入部材（第３部材）６１０との対向が解除されて、第１被挿入部材（第３部材）６１０を可動ベース部２０３の嵌合部３２１から取り出すことが可能となる。
【０５３２】
次に、第１被挿入部材（第３部材）６１０を可動ベース部２０３から取り外すべく、可動ベース部２０３を起立姿勢位置から傾倒させて傾倒姿勢位置に位置決め保持させ、可動ベース部２０３の底板部２６１を露出させる。
【０５３３】
そして、開口孔３２１ｄから底板部２６１の裏面側に突出している一対の保持爪６１５を互いに接近する方向に付勢して保持爪６１５の引っ掛かりを外し、第１被挿入部材（第３部材）６１０を底板部２６１の表面側に押し出すことができる。
【０５３４】
第１被挿入部材（第３部材）６１０は、底板部２６１の表面側への押し出しにより、第１挿入孔（第２挿入部）６１３の軸心に沿って嵌合部３２１から離反する方向に移動され、固定ピン（規制手段）６１０が第１挿入孔（第２挿入部）６１３に挿入された状態のままで嵌合部３２１から取り出される。
【０５３５】
固定ピン（規制手段）６０１が第１挿入孔（第２挿入部）６１３に挿入された状態で第１被挿入部材（第３部材）６１０が嵌合部３２１から取り出されると、基板ボックス（第１部材）１０２は、可動ベース部２０３に対してスライド方向にスライド移動させることが可能になる。したがって、基板ボックス（第１部材）１０２を可動ベース部２０３から正規に取り出すことができる。
【０５３６】
ここで、固定ピン（規制手段）６０１には、嵌合部３２１から取り外された第１被挿入部材（第３部材）６１０、及び裏ケース体１２０から分離された第２被挿入部材６３０がそれぞれ取り付けられた状態のままとなっている。これら第１被挿入部材（第３部材）６１０と第２被挿入部材６３０を固定ピン（規制手段）６０１から取り外すには、まず最初に第１被挿入部材（第３部材）６１０が取り外され、次いで第２被挿入部材６３０が取り外される。
【０５３７】
固定ピン（規制手段）６０１は、第１被挿入部材（第３部材）６１０が裏ケース体１２０から分離されると、先端側係止爪６０４が第１被挿入部材（第３部材）６１０に係止された状態で露出され、外部から先端側係止爪６０４に対する係止解除操作が可能となる。
【０５３８】
したがって、各先端側係止爪６０４を互いに接近する方向に付勢して腕部６０５を撓ませ、先端側係止爪６０４の段差面６０４ａと第１被挿入部材（第３部材）６１０の後端面６１０ａとの対向を解除し、固定ピン（規制手段）６０１を相対的に抜脱方向に移動させて、各先端側係止爪６０４を第１挿入孔（第２挿入部）６１３内に通過させ、固定ピン（規制手段）６０１の先端側部分を第１挿入孔（第２挿入部）６１３から抜脱することができる。したがって、固定ピン（規制手段）６０１から第１被挿入部材（第３部材）６１０を簡単に取り外すことができる。
【０５３９】
第２被挿入部材６３０は、固定ピン（規制手段）６０１から第１被挿入部材（第３部材）６１０が取り外されると、第１被挿入部材（第３部材）６１０によって閉塞されていた収容部６３５が開放され、外部から基端側係止爪６０６に対する係止解除操作が可能となる。
【０５４０】
したがって、各基端側係止爪６０６を互いに接近する方向に付勢して腕部６０７を撓ませ、基端側係止爪６０６の段差面６０６ａと収容部６３５の後側段差面６３５ａとの対向を解除し、固定ピン（規制手段）６０１を相対的に抜脱方向に移動させて、各基端側係止爪６０６を第２挿入孔（第１挿入部）６３３内に通過させ、固定ピン（規制手段）６０１の基端側部分を第２挿入孔（第１挿入部）６３３から抜脱することができる。
【０５４１】
固定ピン（規制手段）６０１は、軸部６０２の外周面よりも軸部６０２の径方向内側に先端側係止爪６０４が位置するので、固定ピン（規制手段）６０１の基端側部分を第２挿入孔（第１挿入部）６３３から抜脱した後に、引き続いて第２被挿入部材６３０に対して抜脱方向に移動させた場合に、先端側係止爪６０４が第２被挿入部材６３０に引っ掛かることなく、固定ピン（規制手段）６０１の先端側部分を第２挿入孔（第１挿入部）６３３内に通過させて、第２挿入孔（第１挿入部）６３３から抜脱することができる。したがって、固定ピン（規制手段）６０１から第２被挿入部材６３０を簡単に取り外すことができる。
【０５４２】
上記固定手段６００によれば、基板ボックス（第１部材）１０２を台座装置（第２部材）２０１に取り付けて固定ピン（規制手段）６０１を挿入した場合に、固定ピン（規制手段）６０１の先端側部分が第１被挿入部材（第３部材）６１０の第１挿入孔（第２挿入部）６１３に挿入され且つ固定ピン（規制手段）６０１の基端側部分が第２被挿入部材６３０の第２挿入孔（第１挿入部）６３３に挿入される。
【０５４３】
そして、先端側係止爪６０４が第１被挿入部材（第３部材）６１０に係止され、基端側係止爪６０６が第２被挿入部材６３０に係止されて、固定ピン（規制手段）６０１の抜脱方向への移動が規制される。したがって、基板ボックス（第１部材）１０２のスライド移動が規制されて基板ボックス（第１部材）１０２を台座装置（第２部材）２０１に固定した状態が維持される。
【０５４４】
また、かかる状態で、第１被挿入部材（第３部材）６１０は、嵌合部３２１から取り出される側に第２被挿入部材６３０が対向して配置されているので、第２被挿入部材６３０が裏ケース体１２０から分離されるまでは、嵌合部３２１から取り外すことができない。
【０５４５】
したがって、可動ベース部２０３を回動させた場合に基板ボックス（第１部材）１０２内の制御基板の裏面を筐体２の正面側から視認可能としつつ、第１被挿入部材（第３部材）６１０に係止された先端側係止爪６０４を、嵌合部３２１によって外部から覆い隠して、先端側係止爪６０４に対して直接触れるのを禁止し、不正な係止解除操作を防ぐことができる。
【０５４６】
一方、基板ボックス（第１部材）１０２を可動ベース部２０３から正規に取り外す場合、第２被挿入部材６３０を基板ボックス（第１部材）１０２の裏ケース体１２０から分離して第１被挿入部材（第３部材）６１０との対向を解除し、第１被挿入部材（第３部材）６１０を固定ピン（規制手段）６０１と共に嵌合部３２１から取り外す。
【０５４７】
固定ピン（規制手段）６０１の先端側係止爪６０４は、第１被挿入部材（第３部材）６１０が嵌合部３２１から取り外されると、外部に露出され、係止解除操作が可能となる。したがって、先端側係止爪６０４に係止解除操作を行い、第１被挿入部材（第３部材）６１０に対する係止を解除し、固定ピン（規制手段）６０１の先端側部分を第１被挿入部材（第３部材）６１０の第１挿入孔（第２挿入部）６１３から抜脱し、固定ピン（規制手段）６０１から第１被挿入部材（第３部材）６１０を簡単に取り外すことができる。
【０５４８】
固定ピン（規制手段）６０１の基端側係止爪６０６は、第１被挿入部材（第３部材）６１０が固定ピン（規制手段）６０１から取り外されると、収容部６３５が開放されて外部からの係止解除操作が可能となる。したがって、基端側係止爪６０６に係止解除操作を行い、第２被挿入部材６３０に対する係止を解除し、固定ピン（規制手段）６０１の基端側部分を第２被挿入部材６３０の第２挿入孔（第１挿入部）６３３から抜脱し、固定ピン（規制手段）６０１から第２被挿入部材６３０を取り外すことができる。
【０５４９】
したがって、固定ピン（規制手段）５１０を再使用可能な状態で第１被挿入部材（第３部材）６１０及び第２被挿入部材６３０から簡単に取り外すことができ、固定ピン（規制手段）５１０を傷つけたり破壊するおそれもない。
【０５５０】
［第５実施の形態］
次に、第５実施の形態について図に基づいて以下に説明する。尚、上記各実施の形態と同様の構成要素については同一の符号を付することでその詳細な説明を省略する。
【０５５１】
図５２（ａ）は、本実施の形態に係る裏ケース体１２０の斜視図である。同図（ｂ）は、要部拡大図である。本実施形態において特徴的なことは、裏ケース体１２０に設けられているフランジ１２６に、裏ケース体１２０に対して可動ベース部２０３の底板部２６１を後方に向かって離間させる方向に付勢した痕跡が残るように腕部５０３を設けたことである（可動ベース部２０３に関する構成は図１２参照）。
【０５５２】
フランジ１２６は、裏ケース体１２０の上端縁であって、裏ケース体１２０の左端部（図上右側）から可動ベース部２０３の係止片２８６を構成するための左側のスリット溝に対応する位置までと、裏ケース体１２０の右端部のネジ孔１２８（図１４参照）が形成されている付近から可動ベース部２０３の係止片２８６を構成するための右側のスリット溝に対応する位置までの２箇所に、裏ケース体１２０から後方に向かって突出して形成されている。特に、第２被挿入部材３３０の上方位置では、後方に向かって突出する突出量が固定ベース部２０２の第２取付面部２２３の後方延出量と同程度に構成されている。したがって、フランジ１２６を平面視した場合、フランジ１２６の突出量の差により途中位置で段差部が見られることとなる。この突出量が多い部分を膨出部５０１と定義する。なお、裏ケース体１２０と表ケース体１１０とを互いに組み合わせ可動ベース部２０３に装着した場合に、上記の段差部が固定ベース部２０２のフランジ片２２２に近接し、フランジ１２６の上面は表ケース体１１０の上面と同一面になるように構成されている。
【０５５３】
同じく図５２から理解されるように、膨出部５０１の裏ケース体１２０の中央寄りの端部には、抉り防止壁５０２が膨出部５０１の突出量と同じ突出量で裏ケース体１２０の下方に所定長さ延在するように形成されている。その長さは、前述の可動ベース部２０３の底板部２６１の上端縁から下方に向かって切り欠いたスリット溝の長さに略等しい。この抉り防止壁５０２は、基板ボックス（第１部材）１０２を可動ベース部２０３に装着した場合に、可動ベース部２０３のスリット溝に入り込む形状になっている。
【０５５４】
膨出部５０１の裏ケース体１２０の側端寄りの端部には、脆弱部５０３ａを有する腕部５０３が裏ケース体１２０の下方に所定長さ延在するように形成されている。その長さは、抉り防止壁５０２の長さと略同一である。更に、この腕部５０３と裏ケース体１２０の底板部１２１の裏面との間には所定の間隔、すなわち可動ベース部２０３の底板部２６１の厚さと略同一の間隔が設けられており、基板ボックス（第１部材）１０２を可動ベース部２０３に装着した場合に、この間隔に可動ベース部２０３の底板部２６１が隙間なく嵌合するように構成されている。また、脆弱部５０３ａは、腕部５０３の根元部に切り欠きを設けることで形成されている。正面視の際、第２被挿入部３３０、ゲート部３３１と重ならない位置に腕部５０３を設けており、腕部５０３は基板ボックス（第１部材）１０２が台座装置（第２部材）２０１に装着された状態で、正面から視認することができる。
【０５５５】
なお、上述した係止片２８６は、膨出部５０１の間に位置し、その位置で上述した可動ベース部２０３に対する基板ボックス（第１部材）１０２の装着、取り外しの動作が行われる。また、膨出部５０１の上面の前方寄り位置には、係止孔１２７が穿設されている。本実施の形態では、各フランジ１２６にそれぞれ２個ずつ設けられており、各第２被挿入部材３３０の近傍位置にそれぞれ配置されている。この係止孔１２７に可動ベース部２０３に突設された係止部２８８が嵌入される。係止部２８８は、可動ベース２０３の底板部２６１から上方に向かって突設されている。そして、係止部２８８は、基板ボックス（第１部材）１０２を可動ベース部２０３に取り付けた状態で、フランジ１２６の下方から係止孔１２７に進入し、係止孔１２７内を貫通して先端がフランジ１２６の上方に突出する形状を有する。
【０５５６】
したがって、基板ボックス（第１部材）１０２を可動ベース部２０３に装着し、裏ケース体１２０に対して可動ベース部２０３の底板部２６１を後方に向かって離間させる方向に付勢した場合、係止部２８８が係止孔１２７内に嵌入されているので、底板部２６１と裏ケース体１２０との間に隙間が生じることが防止されている。しかし更に力が加えられ、係止部２８８が係止孔１２７から外されて、裏ケース体１２０に対して可動ベース部２０３の底板部２６１を後方に向かって離間させる方向に動かされた場合、腕部５０３は可動部ベース部２０３の底板部２６１と密着した状態にあるので、腕部５０３は脆弱部５０３ａの部分で破壊され、その痕跡が残ることとなる。腕部５０３が破壊に至らなくとも、腕部５０３の脆弱部５０３ａ付近に曲がりや白化等の現象が生じ、裏ケース体１２０に対して可動ベース部２０３の底板部２６１を後方に向かって離間させる方向に付勢した痕跡が残る。このように、基板ボックス（第１部材）１０２外から基板ボックス（第１部材）１０２内を確認できるようにするために、基板ボックス（第１部材）１０２及び可動ベース部２０３の材料は透明樹脂材料を使用したまま、裏ケース体１２０に対して可動ベース部２０３の底板部２６１を後方に向かって離間させる方向に動かされた痕跡を残すための手段として腕部５０３を設けている。
【０５５７】
なお、基板ボックス（第１部材）１０２を可動ベース部２０３に装着する場合には、腕部５０３には過剰な力が加わらないため、装着時に破壊することはない。ここで、腕部５０３は裏ケース体１２０ではなく、表ケース体１１０や可動ベース部２０３に設けることも可能であるが、可動ベース部２０３に設ける場合は、基板ボックス（第１部材）１０２の可動ベース部２０３への装着に障害とならない部位に設ける必要がある。例えば、側板部２６４の前端部から基板ボックス（第１部材）１０２側へ突設した腕部を設けることができる。なお、腕部５０３は基板ボックス（第１部材）１０２が台座装置（第２部材）２０１に装着された状態で正面から視認できる位置に設けられているので、可動ベース部２０３を回転させることなく視認でき、不正行為が行われた痕跡をいち早く確認することが可能である。
【０５５８】
また、基板ボックス（第１部材）１０２を可動ベース部２０３に取り付けた場合、フランジ１２６の膨出部５０１は、第１被挿入部材（第３部材）３１０から第２被挿入部材３３０に至る部位の上方に位置し、裏ケース体１２０と可動ベース部２０３の底板部２６１との間の合わせ目部分を、基板ボックス（第１部材）１０２の上方から覆い隠すことができる。加えて、抉り防止壁５０２は膨出部５０１と略Ｌ字型に繋がって強度が高められており、抉り防止壁５０２は可動ベース部２０３のスリット溝を隙間なく覆う構成になっているので、裏ケース体１２０と底板部２６１との間にカッターや鋸の刃などを挿入して固定ピン（規制手段）３０１を切断する等の不正操作を防止できる。
【０５５９】
したがって、上述の第１〜４実施の形態と比較して、裏ケース体１２０に対して可動ベース部２０３の底板部２６１を後方に向かって離間させる方向に付勢した痕跡が確実に残り、裏ケース体１２０と底板部２６１との間にカッターや鋸の刃などを挿入して固定ピン（規制手段）３０１を切断する等の不正操作をより確実に防止できることとなる。
【０５６０】
尚、上述の第４実施の形態では、先端側係止爪６０４が軸部６０２の外周面よりも軸部６０２の径方向内側に位置する構成の場合を例に説明したが、これに限定されるものではなく、軸部６０２の外周面よりも径方向外側に突出する構成を有していてもよい。
【０５６１】
本発明は、上述の実施の形態に限定されるものではなく、本発明の趣旨を逸脱しない範囲で種々の変更が可能である。例えば、上述の各実施の形態では、固定手段３００、４００、５００、６００によって台座装置（第２部材）２０１と基板ボックス（第１部材）１０２とを固定する場合を例に説明したが、固定対象は台座装置（第２部材）２０１と基板ボックス（第１部材）１０２だけに限定されるものではない。例えば、基板ボックス（第１部材）１０２を構成する表ケース体１１０と裏ケース体１２０とを固定手段３００等によって固定してもよく、互いに相対的にスライド移動することによって結合及び分離される２つの部材であれば、どのようなものであってもよい。
【図面の簡単な説明】
【０５６２】
【図１】スロットマシンの正面図である。
【図２】スロットマシンの前面扉が閉じた状態を示す斜視図である。
【図３】スロットマシンの前面扉を開いた状態を示した斜視図である。
【図４】前面扉の背面図である。
【図５】筐体の正面図である。
【図６】主基板ユニットの正面図である。
【図７】図６のＩ方向矢視図である。
【図８】可動ベース部が起立姿勢位置に位置決め保持された主基板ユニットの状態を示す斜視図である。
【図９】可動ベース部が傾倒姿勢位置に位置決め保持された主基板ユニットの状態を示す斜視図である。
【図１０】主基板ユニットの背面斜視図である。
【図１１】主基板ユニットの分解斜視図である。
【図１２】固定ベース部と可動ベース部とを拡大して示す分解斜視図である。
【図１３】台座装置（第２部材）の正面斜視図である。
【図１４】主基板と基板ボックス（第１部材）とを拡大して示す分解斜視図である。
【図１５】図６のＩＩ−ＩＩ線断面図である。
【図１６】図６のIII−III線断面図である。
【図１７】固定ベース部への可動ベース部の支持構造を説明する模式図である。
【図１８】主制御装置を台座装置（第２部材）から取り外す手順を示す図である。
【図１９】台座装置（第２部材）の平面図である。
【図２０】図１９のｉｖ−ｉｖ線断面図である。
【図２１】第１実施の形態に係わる固定手段の固定ピン（規制手段）を示す斜視図である。
【図２２】同上、固定手段の第１被挿入部材（第３部材）を示す斜視図である。
【図２３】同上、図２２（ｂ）に示す第１被挿入部材（第３部材）のＸ１方向矢視図である。
【図２４】同上、第１被挿入部材（第３部材）と嵌合部の構成を説明する図である。
【図２５】同上、第２被挿入部材の構成を説明する図である。
【図２６】同上、第２被挿入部材の構成を説明する図である。
【図２７】同上、固定手段の構成を水平断面により模式的に示す図である。
【図２８】同上、第１被挿入部材（第３部材）の他の構成例を説明する斜視図である。
【図２９】同上、第１被挿入部材（第３部材）の更に他の構成例を説明する斜視図である。
【図３０】第２実施の形態に係わる固定手段の固定ピン（規制手段）を示す斜視図である。
【図３１】同上、固定手段の第１被挿入部材（第３部材）を示す斜視図である。
【図３２】同上、図３１（ｂ）に示す第１被挿入部材（第３部材）のＸ２方向矢視図である。
【図３３】同上、第１被挿入部材（第３部材）と嵌合部の構成を説明する図である。
【図３４】同上、第２被挿入部材の構成を説明する図である。
【図３５】同上、第２被挿入部材の構成を説明する図である。
【図３６】同上、固定手段の構成を水平断面により模式的に示す図である。
【図３７】第３実施の形態に係わる固定手段の固定ピン（規制手段）を示す斜視図である。
【図３８】同上、固定手段の第１被挿入部材（第３部材）を示す斜視図である。
【図３９】同上、図３８（ｂ）に示す第１被挿入部材（第３部材）のＸ３方向矢視図である。
【図４０】同上、第１被挿入部材（第３部材）と嵌合部の構成を説明する図である。
【図４１】同上、第２被挿入部材の構成を説明する図である。
【図４２】同上、第２被挿入部材の構成を説明する図である。
【図４３】同上、固定手段の構成を水平断面により模式的に示す図である。
【図４４】同上、固定手段の構成を垂直断面により模式的に示す図である。
【図４５】第４実施の形態に係わる固定手段の固定ピン（規制手段）を示す斜視図である。
【図４６】同上、固定手段の第１被挿入部材（第３部材）を示す斜視図である。
【図４７】同上、図４６（ｂ）に示す第１被挿入部材（第３部材）のＸ４方向矢視図である。
【図４８】同上、第１被挿入部材（第３部材）と嵌合部の構成を説明する図である。
【図４９】同上、第２被挿入部材の構成を説明する図である。
【図５０】同上、第２被挿入部材の構成を説明する図である。
【図５１】同上、固定手段の構成を水平断面により模式的に示す図である。
【図５２】第５実施の形態における裏ケース体の斜視図である。
【図５３】従来技術の一例を説明する図である。
【符号の説明】
【０５６３】
１      スロットマシン（遊技機）
２      筐体
２ｃ    背板
３      前面扉
５１    リールユニット
６１    ホッパ装置
７１    電源ボックス
８１    中継基板
１００  主基板ユニット
１０１  主制御装置
１０２  基板ボックス（第１部材）
１０３  主基板
１１０  表ケース体
１２０  裏ケース体
１２１  底板部
１２５  ゲート部
１２６  フランジ
１２７  係止孔
１３０  封印ピン
２０１  台座装置（第２部材）
２０２  固定ベース部
２０３  可動ベース部
２６１  底板部
３００、４００、５００、６００  固定手段
３０１、４０１、５０１、６０１  固定ピン（規制手段）
３０３、４０３、５０３、６０３  鍔部（当接部）
３０４、４０４、５０４、６０４  先端側係止爪
４０６、５０６、６０６  基端側係止爪
３１０、３４０、３５０、４１０、５１０、６１０  第１被挿入部材（第３部材）
３１１、４１１  プレート部材（複数の部材）
３１４、３４４、３５４、４１４、５１３、６１３  第１挿入孔（第２挿入部）
３２１  嵌合部
３３０、４３０、５３０、６３０  第２被挿入部材
３３２、４３２  スリット
３３３、４３３、５３３、６３３  第２挿入孔（第１挿入部）
４１７、５１７  第１係止部
５１４  第１通路部
５１８  第１回転規制部
【図１】
0005772797.tif 000002
【図２】
0005772797.tif 000003
【図３】
0005772797.tif 000004
【図４】
0005772797.tif 000005
【図５】
0005772797.tif 000006
【図６】
0005772797.tif 000007
【図７】
0005772797.tif 000008
【図８】
0005772797.tif 000009
【図９】
0005772797.tif 000010
【図１０】
0005772797.tif 000011
【図１１】
0005772797.tif 000012
【図１２】
0005772797.tif 000013
【図１３】
0005772797.tif 000014
【図１４】
0005772797.tif 000015
【図１５】
0005772797.tif 000016
【図１６】
0005772797.tif 000017
【図１７】
0005772797.tif 000018
【図１８】
0005772797.tif 000019
【図１９】
0005772797.tif 000020
【図２０】
0005772797.tif 000021
【図２１】
0005772797.tif 000022
【図２２】
0005772797.tif 000023
【図２３】
0005772797.tif 000024
【図２４】
0005772797.tif 000025
【図２５】
0005772797.tif 000026
【図２６】
0005772797.tif 000027
【図２７】
0005772797.tif 000028
【図２８】
0005772797.tif 000029
【図２９】
0005772797.tif 000030
【図３０】
0005772797.tif 000031
【図３１】
0005772797.tif 000032
【図３２】
0005772797.tif 000033
【図３３】
0005772797.tif 000034
【図３４】
0005772797.tif 000035
【図３５】
0005772797.tif 000036
【図３６】
0005772797.tif 000037
【図３７】
0005772797.tif 000038
【図３８】
0005772797.tif 000039
【図３９】
0005772797.tif 000040
【図４０】
0005772797.tif 000041
【図４１】
0005772797.tif 000042
【図４２】
0005772797.tif 000043
【図４３】
0005772797.tif 000044
【図４４】
0005772797.tif 000045
【図４５】
0005772797.tif 000046
【図４６】
0005772797.tif 000047
【図４７】
0005772797.tif 000048
【図４８】
0005772797.tif 000049
【図４９】
0005772797.tif 000050
【図５０】
0005772797.tif 000051
【図５１】
0005772797.tif 000052
【図５２】
0005772797.tif 000053
【図５３】
0005772797.tif 000054